(57)【要約】  本発明の実施形態が、複数のグループを再編成するための方法およびデバイスを提供する。当該方法は、第１のＵＥによって送信されるグループ再編成構築メッセージを第１のグループ管理機能エンティティによって受信する段階であって、グループ再編成構築メッセージは、Ｎ個のＭＣＰＴＴグループの識別子を含み、グループ再編成構築メッセージは、第１のＭＣＰＴＴユーザによって開始されるテンポラリグループであり、かつＮ個のＭＣＰＴＴグループが再編成されるテンポラリグループを、Ｎ個のＭＣＰＴＴグループの識別子に従って構築するよう第１のグループ管理機能エンティティに要求するために使用され、第１のグループ管理機能エンティティは、第１のＭＣＰＴＴユーザのホームネットワークにおけるグループ管理機能エンティティであり、第１のＭＣＰＴＴユーザは、Ｎ個のＭＣＰＴＴグループのうちの少なくとも１つのＭＣＰＴＴグループに属する、段階と、テンポラリグループに関する情報を設定する段階であって、テンポラリグループに関する情報は、Ｎ個のＭＣＰＴＴグループが再編成されるテンポラリグループの識別子と、Ｎ個のＭＣＰＴＴグループの識別子とを含む、段階とを備え、これにより、Ｎ個のＭＣＰＴＴグループを再編成する。
2018512000.tif 000002
【特許請求の範囲】
【請求項１】
第１のユーザ機器ＵＥによって送信されるグループ再編成構築メッセージを第１のグループ管理機能エンティティによって受信する段階であって、前記グループ再編成構築メッセージは、Ｎ個のミッションクリティカル・プッシュ・ツー・トークＭＣＰＴＴグループの識別子を含み、前記グループ再編成構築メッセージは、第１のＭＣＰＴＴユーザによって開始されるテンポラリグループであり、かつ前記Ｎ個のＭＣＰＴＴグループが再編成されるテンポラリグループを、前記Ｎ個のＭＣＰＴＴグループの前記識別子に従って構築するよう前記第１のグループ管理機能エンティティに要求するために使用され、前記第１のグループ管理機能エンティティは、前記第１のＭＣＰＴＴユーザのホームネットワークにおけるグループ管理機能エンティティであり、前記第１のＭＣＰＴＴユーザは、前記Ｎ個のＭＣＰＴＴグループのうちの少なくとも１つのＭＣＰＴＴグループに属する、段階と、
前記テンポラリグループに関する情報を前記第１のグループ管理機能エンティティによって設定する段階であって、前記テンポラリグループに関する前記情報は、前記Ｎ個のＭＣＰＴＴグループが再編成される前記テンポラリグループの識別子と、前記Ｎ個のＭＣＰＴＴグループの前記識別子とを含む、段階と
を備える、複数のグループを再編成するための方法。
【請求項２】
前記テンポラリグループに関する情報を前記第１のグループ管理機能エンティティによって設定する前記段階の後、
グループ再編成完了メッセージを前記第１のグループ管理機能エンティティによって前記第１のＵＥに送信する段階をさらに備える、請求項１に記載の方法。
【請求項３】
前記テンポラリグループに関する前記情報はさらに、前記Ｎ個のＭＣＰＴＴグループのうちの少なくとも１つのＭＣＰＴＴグループ内のＭＣＰＴＴユーザに関する情報、前記テンポラリグループの優先度、または前記テンポラリグループのセキュリティレベルのうちの少なくとも１つを含む、請求項１または２に記載の方法。
【請求項４】
前記Ｎ個のＭＣＰＴＴグループは、前記第１のグループ管理機能エンティティによって管理されるＭＣＰＴＴグループである、請求項１から３のいずれか一項に記載の方法。
【請求項５】
前記Ｎ個のＭＣＰＴＴグループのうちの第１のＭＣＰＴＴグループは、前記第１のグループ管理機能エンティティによって管理されるＭＣＰＴＴグループではなく、前記第１のＭＣＰＴＴグループは、前記Ｎ個のＭＣＰＴＴグループのうちの少なくとも１つのＭＣＰＴＴグループであり、
前記テンポラリグループに関する情報を前記第１のグループ管理機能エンティティによって設定する前記段階の前、前記方法はさらに、
前記グループ再編成構築メッセージを前記第１のグループ管理機能エンティティによって第２のグループ管理機能エンティティに送信する段階であって、前記第２のグループ管理機能エンティティは、前記第１のＭＣＰＴＴグループのうちの少なくとも１つのＭＣＰＴＴグループを管理する任意のグループ管理機能エンティティである、段階と、
前記第２のグループ管理機能エンティティによって送信されるグループ再編成応答メッセージを前記第１のグループ管理機能エンティティによって受信する段階とを備え、
前記テンポラリグループに関する情報を前記第１のグループ管理機能エンティティによって設定する前記段階は、前記グループ再編成応答メッセージに従って前記テンポラリグループに関する前記情報を前記第１のグループ管理機能エンティティによって設定する段階を有する、請求項１から３のいずれか一項に記載の方法。
【請求項６】
前記グループ再編成応答メッセージはさらに、前記第２のグループ管理機能エンティティによって管理される、前記第１のＭＣＰＴＴグループのうちの前記少なくとも１つのＭＣＰＴＴグループ内のＭＣＰＴＴユーザに関する情報を含む、請求項５に記載の方法。
【請求項７】
前記テンポラリグループに関する情報を前記第１のグループ管理機能エンティティによって設定する前記段階の後、
グループ再編成情報を前記第１のグループ管理機能エンティティによって第２のＵＥに送信する段階であって、前記グループ再編成情報は、前記テンポラリグループの前記識別子を含み、前記第２のＵＥは、第２のＭＣＰＴＴユーザによって使用されるＵＥであり、前記第２のＭＣＰＴＴユーザは、前記Ｎ個のＭＣＰＴＴグループ内の任意のＭＣＰＴＴユーザである、段階をさらに備える、請求項１から６のいずれか一項に記載の方法。
【請求項８】
前記第２のＭＣＰＴＴユーザが属するＭＣＰＴＴグループが前記第１のグループ管理機能エンティティによって管理されるＭＣＰＴＴグループではない場合、グループ再編成情報を前記第１のグループ管理機能エンティティによって第２のＵＥに送信する前記段階は、
前記グループ再編成情報を前記第１のグループ管理機能エンティティによって、前記第２のＭＣＰＴＴユーザが属する前記ＭＣＰＴＴグループのグループ管理機能エンティティに送信し、これにより、前記第２のＭＣＰＴＴユーザが属する前記ＭＣＰＴＴグループの前記グループ管理機能エンティティが、前記グループ再編成情報を前記第２のＵＥに送信する段階を有する、請求項７に記載の方法。
【請求項９】
前記第１のＵＥによって送信されるグループ再編成解除メッセージを前記第１のグループ管理機能エンティティによって受信する段階であって、前記グループ再編成解除メッセージは、前記テンポラリグループの前記識別子を含み、前記グループ再編成解除メッセージは、前記テンポラリグループの前記識別子に従って前記テンポラリグループを解除するよう前記第１のグループ管理機能エンティティに要求するために使用される、段階と、
前記グループ再編成解除メッセージに従ってグループ再編成解除通知情報を前記第１のグループ管理機能エンティティによって前記第２のＵＥに送信する段階とをさらに備え、
前記グループ再編成解除通知情報は、前記テンポラリグループの前記識別子を含み、前記グループ再編成解除通知情報は、前記テンポラリグループの前記識別子に従って前記グループ再編成情報を削除するよう前記第２のＵＥに命令するために使用される、
請求項６または７に記載の方法。
【請求項１０】
前記第２のＭＣＰＴＴユーザが属するＭＣＰＴＴグループが前記第１のグループ管理機能エンティティによって管理されるＭＣＰＴＴグループではない場合、前記グループ再編成解除メッセージに従ってグループ再編成解除通知情報を前記第１のグループ管理機能エンティティによって前記第２のＵＥに送信する前記段階は、
前記グループ再編成解除通知情報を前記グループ再編成解除メッセージに従って前記第１のグループ管理機能エンティティによって前記第２のＭＣＰＴＴユーザが属する前記ＭＣＰＴＴグループのグループ管理機能エンティティに送信し、これにより、前記第２のＭＣＰＴＴユーザが属する前記ＭＣＰＴＴグループの前記グループ管理機能エンティティが、前記グループ再編成解除通知情報を前記第２のＵＥに送信する段階を有する、請求項９に記載の方法。
【請求項１１】
前記第１のＵＥによって送信されるグループ再編成解除メッセージを前記第１のグループ管理機能エンティティによって受信する前記段階の後、
前記テンポラリグループに関する前記情報を前記第１のグループ管理機能エンティティによって削除する段階をさらに備える、請求項９または１０に記載の方法。
【請求項１２】
グループ再編成構築メッセージを第１のユーザ機器ＵＥによって生成する段階であって、前記グループ再編成構築メッセージは、Ｎ個のミッションクリティカル・プッシュ・ツー・トークＭＣＰＴＴグループの識別子を含み、前記グループ再編成構築メッセージは、第１のＭＣＰＴＴユーザによって開始されるテンポラリグループであり、かつ前記Ｎ個のＭＣＰＴＴグループが再編成されるテンポラリグループを、前記Ｎ個のＭＣＰＴＴグループの前記識別子に従って構築するよう第１のグループ管理機能エンティティに要求するために使用され、Ｎは、２より大きいか、またはそれに等しい整数であり、前記第１のＭＣＰＴＴユーザは、前記Ｎ個のＭＣＰＴＴグループのうちの少なくとも１つのＭＣＰＴＴグループに属し、前記第１のグループ管理機能エンティティは、前記第１のＭＣＰＴＴユーザのホームネットワークにおけるグループ管理機能エンティティである、段階と、
前記グループ再編成構築メッセージを前記第１のＵＥによって前記第１のグループ管理機能エンティティに送信する段階と
を備える、複数のグループを再編成するための方法。
【請求項１３】
前記グループ再編成構築メッセージを前記第１のＵＥによって前記第１のグループ管理機能エンティティに送信する前記段階の後、
前記第１のグループ管理機能エンティティによって送信されるグループ再編成完了メッセージを前記第１のＵＥによって受信する段階をさらに備える、請求項１２に記載の方法。
【請求項１４】
前記グループ再編成構築メッセージを前記第１のＵＥによって前記第１のグループ管理機能エンティティに送信する前記段階の後、
前記第１のグループ管理機能エンティティによって送信されるグループ再編成情報を前記第１のＵＥによって受信する段階であって、前記グループ再編成情報は前記テンポラリグループの識別子を含む、段階をさらに備える、請求項１２または１３に記載の方法。
【請求項１５】
前記グループ再編成構築メッセージを前記第１のＵＥによって前記第１のグループ管理機能エンティティに送信する前記段階の後、
グループ再編成解除メッセージを前記第１のＵＥによって前記第１のグループ管理機能エンティティに送信する段階であって、前記グループ再編成解除メッセージは、前記テンポラリグループの前記識別子を含み、前記グループ再編成解除メッセージは、前記テンポラリグループの前記識別子に従って前記テンポラリグループを解除するよう前記第１のグループ管理機能エンティティに要求するために使用される、段階と、
前記第１のグループ管理機能エンティティによって送信されるグループ再編成解除通知情報を前記第１のＵＥによって受信する段階であって、前記グループ再編成解除通知情報は、前記テンポラリグループの前記識別子を含む、段階と、
前記グループ再編成解除通知情報内の前記テンポラリグループの前記識別子に従って前記グループ再編成情報を前記第１のＵＥによって削除する段階と、をさらに備える、請求項１２から１４のいずれか一項に記載の方法。
【請求項１６】
第１のユーザ機器ＵＥによって送信され、かつ第１のグループ管理機能エンティティによって転送されるグループ再編成構築メッセージを第２のグループ管理機能エンティティによって受信する段階であって、前記グループ再編成構築メッセージは、Ｎ個のミッションクリティカル・プッシュ・ツー・トークＭＣＰＴＴグループの識別子を含み、前記グループ再編成構築メッセージは、第１のＭＣＰＴＴユーザによって開始されるテンポラリグループであり、かつ前記Ｎ個のＭＣＰＴＴグループが再編成されるテンポラリグループを、前記Ｎ個のＭＣＰＴＴグループの前記識別子に従って構築するよう前記第１のグループ管理機能エンティティに要求するために使用され、前記第２のグループ管理機能エンティティは、前記Ｎ個のＭＣＰＴＴグループのうちの少なくとも１つのＭＣＰＴＴグループを管理し、前記第１のグループ管理機能エンティティは、前記第１のＭＣＰＴＴユーザのホームネットワークにおけるグループ管理機能エンティティであり、前記第１のＭＣＰＴＴユーザは、前記Ｎ個のＭＣＰＴＴグループのうちの少なくとも１つのＭＣＰＴＴグループに属する、段階と、
グループ再編成応答メッセージを前記第２のグループ管理機能エンティティによって前記第１のグループ管理機能エンティティに送信する段階と
を備える、複数のグループを再編成するための方法。
【請求項１７】
前記グループ再編成応答メッセージはさらに、前記第２のグループ管理機能エンティティによって管理される、前記Ｎ個のＭＣＰＴＴグループのうちの前記少なくとも１つのＭＣＰＴＴグループ内のＭＣＰＴＴユーザに関する情報を含む、請求項１６に記載の方法。
【請求項１８】
グループ再編成応答メッセージを前記第２のグループ管理機能エンティティによって前記第１のグループ管理機能エンティティに送信する前記段階の後、
前記第１のグループ管理機能エンティティによって送信されるグループ再編成情報を前記第２のグループ管理機能エンティティによって受信する段階であって、前記グループ再編成情報は、前記テンポラリグループの識別子を含む、段階と、
前記グループ再編成情報を前記第２のグループ管理機能エンティティによって第２のＵＥに送信する段階であって、前記第２のＵＥは、第２のＭＣＰＴＴユーザによって使用されるＵＥであり、前記第２のＭＣＰＴＴユーザは、前記第２のグループ管理機能エンティティによって管理される、前記Ｎ個のＭＣＰＴＴグループのうちの前記少なくとも１つのＭＣＰＴＴグループ内の任意のＭＣＰＴＴユーザである、段階とをさらに備える、請求項１６または１７に記載の方法。
【請求項１９】
前記第１のグループ管理機能エンティティによって送信されるグループ再編成解除通知情報を前記第２のグループ管理機能エンティティによって受信する段階であって、前記グループ再編成解除通知情報は、前記テンポラリグループの前記識別子を含み、前記グループ再編成解除通知情報は、前記テンポラリグループの前記識別子に従って前記グループ再編成情報を削除するよう命令するために使用される、段階と、
前記グループ再編成解除通知情報を前記第２のグループ管理機能エンティティによって前記第２のＵＥに送信する段階と
をさらに備える、請求項１８に記載の方法。
【請求項２０】
前記第１のグループ管理機能エンティティによって送信されるグループ再編成解除通知情報を前記第２のグループ管理機能エンティティによって受信する前記段階の後、
前記グループ再編成情報を前記第２のグループ管理機能エンティティによって削除する段階をさらに備える、請求項１９に記載の方法。
【請求項２１】
第１のグループ管理機能エンティティとして使用されるグループ管理機能エンティティであって、
第１のユーザ機器ＵＥによって送信されるグループ再編成構築メッセージを受信するよう構成される送受信ユニットであって、前記グループ再編成構築メッセージは、Ｎ個のミッションクリティカル・プッシュ・ツー・トークＭＣＰＴＴグループの識別子を含み、前記グループ再編成構築メッセージは、第１のＭＣＰＴＴユーザによって開始されるテンポラリグループであり、かつ前記Ｎ個のＭＣＰＴＴグループが再編成されるテンポラリグループを、前記Ｎ個のＭＣＰＴＴグループの前記識別子に従って構築するよう前記第１のグループ管理機能エンティティに要求するために使用され、前記第１のグループ管理機能エンティティは、前記第１のＭＣＰＴＴユーザのホームネットワークにおけるグループ管理機能エンティティであり、前記第１のＭＣＰＴＴユーザは、前記Ｎ個のＭＣＰＴＴグループのうちの少なくとも１つのＭＣＰＴＴグループに属する、送受信ユニットと、
前記テンポラリグループに関する情報を設定するよう構成される処理ユニットであって、前記テンポラリグループに関する前記情報は、前記Ｎ個のＭＣＰＴＴグループが再編成される前記テンポラリグループの識別子と、前記Ｎ個のＭＣＰＴＴグループの前記識別子とを含む、処理ユニットと
を備えるグループ管理機能エンティティ。
【請求項２２】
前記送受信ユニットはさらに、前記処理ユニットが前記テンポラリグループに関する前記情報を設定した後、グループ再編成完了メッセージを前記第１のＵＥに送信するよう構成される、請求項２１に記載のグループ管理機能エンティティ。
【請求項２３】
前記テンポラリグループに関する前記情報はさらに、前記Ｎ個のＭＣＰＴＴグループのうちの少なくとも１つのＭＣＰＴＴグループ内のＭＣＰＴＴユーザに関する情報、前記テンポラリグループの優先度、または前記テンポラリグループのセキュリティレベルのうちの少なくとも１つを含む、請求項２１または２２に記載のグループ管理機能エンティティ。
【請求項２４】
前記Ｎ個のＭＣＰＴＴグループは、前記第１のグループ管理機能エンティティによって管理されるＭＣＰＴＴグループである、請求項２１から２３のいずれか一項に記載のグループ管理機能エンティティ。
【請求項２５】
前記Ｎ個のＭＣＰＴＴグループのうちの第１のＭＣＰＴＴグループは、前記第１のグループ管理機能エンティティによって管理されるＭＣＰＴＴグループではなく、前記第１のＭＣＰＴＴグループは、前記Ｎ個のＭＣＰＴＴグループのうちの少なくとも１つのＭＣＰＴＴグループであり、
前記送受信ユニットはさらに、前記処理ユニットが前記テンポラリグループに関する前記情報を設定する前、前記グループ再編成構築メッセージを、前記第１のＭＣＰＴＴグループのうちの少なくとも１つのＭＣＰＴＴグループを管理する任意のグループ管理機能エンティティである第２のグループ管理機能エンティティに送信し、前記第２のグループ管理機能エンティティによって送信されるグループ再編成応答メッセージを受信するよう構成され、
前記テンポラリグループに関する前記情報を設定する場合、前記処理ユニットは具体的に、前記グループ再編成応答メッセージに従って前記テンポラリグループに関する前記情報を設定するよう構成される、請求項２１から２３のいずれか一項に記載のグループ管理機能エンティティ。
【請求項２６】
前記グループ再編成応答メッセージはさらに、前記第２のグループ管理機能エンティティによって管理される、前記第１のＭＣＰＴＴグループのうちの前記少なくとも１つのＭＣＰＴＴグループ内のＭＣＰＴＴユーザに関する情報を含む、請求項２５に記載のグループ管理機能エンティティ。
【請求項２７】
前記送受信ユニットはさらに、前記処理ユニットが前記テンポラリグループに関する前記情報を設定した後、グループ再編成情報を第２のＵＥに送信するよう構成され、前記グループ再編成情報は、前記テンポラリグループの前記識別子を含み、前記第２のＵＥは、第２のＭＣＰＴＴユーザによって使用されるＵＥであり、前記第２のＭＣＰＴＴユーザは、前記Ｎ個のＭＣＰＴＴグループ内の任意のＭＣＰＴＴユーザである、請求項２１から２６のいずれか一項に記載のグループ管理機能エンティティ。
【請求項２８】
前記第２のＭＣＰＴＴユーザが属するＭＣＰＴＴグループが前記第１のグループ管理機能エンティティによって管理されるＭＣＰＴＴグループではない場合、前記グループ再編成情報を前記第２のＵＥに送信するとき、前記送受信ユニットは具体的に、前記グループ再編成情報を、前記第２のＭＣＰＴＴユーザが属する前記ＭＣＰＴＴグループのグループ管理機能エンティティに送信するよう構成され、これにより、前記第２のＭＣＰＴＴユーザが属する前記ＭＣＰＴＴグループの前記グループ管理機能エンティティは、前記グループ再編成情報を前記第２のＵＥに送信する、請求項２７に記載のグループ管理機能エンティティ。
【請求項２９】
前記送受信ユニットはさらに、前記第１のＵＥによって送信されるグループ再編成解除メッセージであって、前記テンポラリグループの前記識別子を含み、かつ、前記テンポラリグループの前記識別子に従って前記テンポラリグループを解除するよう前記第１のグループ管理機能エンティティに要求するために使用されるグループ再編成解除メッセージを受信し、前記グループ再編成解除メッセージに従ってグループ再編成解除通知情報を前記第２のＵＥに送信するよう構成され、
前記グループ再編成解除通知情報は、前記テンポラリグループの前記識別子を含み、前記グループ再編成解除通知情報は、前記テンポラリグループの前記識別子に従って前記グループ再編成情報を削除するよう前記第２のＵＥに命令するために使用される、請求項２６または２７に記載のグループ管理機能エンティティ。
【請求項３０】
前記第２のＭＣＰＴＴユーザが属するＭＣＰＴＴグループが前記第１のグループ管理機能エンティティによって管理されるＭＣＰＴＴグループではない場合、前記グループ再編成解除メッセージに従って前記グループ再編成解除通知情報を前記第２のＵＥに送信するとき、前記送受信ユニットは具体的に、前記グループ再編成解除メッセージに従って前記グループ再編成解除通知情報を、前記第２のＭＣＰＴＴユーザが属する前記ＭＣＰＴＴグループのグループ管理機能エンティティに送信するよう構成され、これにより、前記第２のＭＣＰＴＴユーザが属する前記ＭＣＰＴＴグループの前記グループ管理機能エンティティは、前記グループ再編成解除通知情報を前記第２のＵＥに送信する、請求項２９に記載のグループ管理機能エンティティ。
【請求項３１】
前記処理ユニットはさらに、前記送受信ユニットが前記第１のＵＥによって送信される前記グループ再編成解除メッセージを受信した後、前記テンポラリグループに関する前記情報を削除するよう構成される、請求項２９または３０に記載のグループ管理機能エンティティ。
【請求項３２】
第１のユーザ機器ＵＥとして使用されるＵＥであって、
グループ再編成構築メッセージを生成するよう構成される処理ユニットであって、前記グループ再編成構築メッセージは、Ｎ個のミッションクリティカル・プッシュ・ツー・トークＭＣＰＴＴグループの識別子を含み、前記グループ再編成構築メッセージは、第１のＭＣＰＴＴユーザによって開始されるテンポラリグループであり、かつ前記Ｎ個のＭＣＰＴＴグループが再編成されるテンポラリグループを、前記Ｎ個のＭＣＰＴＴグループの前記識別子に従って構築するよう第１のグループ管理機能エンティティに要求するために使用され、Ｎは、２より大きいか、またはそれに等しい整数であり、前記第１のＭＣＰＴＴユーザは、前記Ｎ個のＭＣＰＴＴグループのうちの少なくとも１つのＭＣＰＴＴグループに属し、前記第１のグループ管理機能エンティティは、前記第１のＭＣＰＴＴユーザのホームネットワークにおけるグループ機能管理エンティティである、処理ユニットと、
前記グループ再編成構築メッセージを前記第１のグループ管理機能エンティティに送信するよう構成される送受信ユニットと
を備えるＵＥ。
【請求項３３】
前記送受信ユニットはさらに、前記グループ再編成構築メッセージを前記第１のグループ管理機能エンティティに送信した後、前記第１のグループ管理機能エンティティによって送信されるグループ再編成完了メッセージを受信するよう構成される、請求項３２に記載のＵＥ。
【請求項３４】
前記送受信ユニットはさらに、前記グループ再編成構築メッセージを前記第１のグループ管理機能エンティティに送信した後、前記第１のグループ管理機能エンティティによって送信されるグループ再編成情報を受信するよう構成され、前記グループ再編成情報は、前記テンポラリグループの識別子を含む、請求項３２または３３に記載のＵＥ。
【請求項３５】
前記送受信ユニットはさらに、前記グループ再編成構築メッセージを前記第１のグループ管理機能エンティティに送信した後、前記テンポラリグループの前記識別子を含むグループ再編成解除メッセージであり、かつ、前記テンポラリグループの前記識別子に従って前記テンポラリグループを解除するよう前記第１のグループ管理機能エンティティに要求するために使用されるグループ再編成解除メッセージを前記第１のグループ管理機能エンティティに送信し、前記第１のグループ管理機能エンティティによって送信されるグループ再編成解除通知情報であって、前記テンポラリグループの前記識別子を含むグループ再編成解除通知情報を受信するよう構成され、
前記処理ユニットはさらに、前記グループ再編成解除通知情報内の前記テンポラリグループの前記識別子に従って前記グループ再編成情報を削除するよう構成される、請求項３２から３４のいずれか一項に記載のＵＥ。
【請求項３６】
第２のグループ管理機能エンティティとして使用されるグループ管理機能エンティティであって、
第１のユーザ機器ＵＥによって送信され、かつ第１のグループ管理機能エンティティによって転送されるグループ再編成構築メッセージを受信するよう構成される受信ユニットであって、前記グループ再編成構築メッセージは、Ｎ個のミッションクリティカル・プッシュ・ツー・トークＭＣＰＴＴグループの識別子を含み、前記グループ再編成構築メッセージは、第１のＭＣＰＴＴユーザによって開始されるテンポラリグループであり、かつ前記Ｎ個のＭＣＰＴＴグループが再編成されるテンポラリグループを、前記Ｎ個のＭＣＰＴＴグループの前記識別子に従って構築するよう前記第１のグループ管理機能エンティティに要求するために使用され、前記第２のグループ管理機能エンティティは、前記Ｎ個のＭＣＰＴＴグループのうちの少なくとも１つのＭＣＰＴＴグループを管理し、前記第１のグループ管理機能エンティティは、前記第１のＭＣＰＴＴユーザのホームネットワークにおけるグループ管理機能エンティティであり、前記第１のＭＣＰＴＴユーザは、前記Ｎ個のＭＣＰＴＴグループのうちの少なくとも１つのＭＣＰＴＴグループに属する、受信ユニットと、
グループ再編成応答メッセージを前記第１のグループ管理機能エンティティに送信するよう構成される送信ユニットと
を備えるグループ管理機能エンティティ。
【請求項３７】
前記グループ再編成応答メッセージはさらに、前記第２のグループ管理機能エンティティによって管理される、前記Ｎ個のＭＣＰＴＴグループのうちの前記少なくとも１つのＭＣＰＴＴグループ内のＭＣＰＴＴユーザに関する情報を含む、請求項３６に記載のグループ管理機能エンティティ。
【請求項３８】
前記受信ユニットはさらに、前記送信ユニットが前記グループ再編成応答メッセージを前記第１のグループ管理機能エンティティに送信した後、前記第１のグループ管理機能エンティティによって送信されるグループ再編成情報を受信するよう構成され、前記グループ再編成情報は、前記テンポラリグループの識別子を含み、
前記送信ユニットはさらに、前記グループ再編成情報を第２のＵＥに送信するよう構成され、前記第２のＵＥは、第２のＭＣＰＴＴユーザによって使用されるＵＥであり、前記第２のＭＣＰＴＴユーザは、前記第２のグループ管理機能エンティティによって管理される、前記Ｎ個のＭＣＰＴＴグループのうちの前記少なくとも１つのＭＣＰＴＴグループ内の任意のＭＣＰＴＴユーザである、請求項３６または３７に記載のグループ管理機能エンティティ。
【請求項３９】
前記受信ユニットはさらに、前記第１のグループ管理機能エンティティによって送信されるグループ再編成解除通知情報を受信するよう構成され、前記グループ再編成解除通知情報は、前記テンポラリグループの前記識別子を含み、前記グループ再編成解除通知情報は、前記テンポラリグループの前記識別子に従って前記グループ再編成情報を削除するよう命令するために使用され、
前記送信ユニットはさらに、前記グループ再編成解除通知情報を前記第２のＵＥに送信するよう構成される、請求項３８に記載のグループ管理機能エンティティ。
【請求項４０】
前記受信ユニットが前記第１のグループ管理機能エンティティによって送信される前記グループ再編成解除通知情報を受信した後、前記グループ再編成情報を削除するよう構成される処理ユニット
をさらに備える、請求項３９に記載のグループ管理機能エンティティ。
【請求項４１】
第１のグループ管理機能エンティティとして使用されるグループ管理機能エンティティであって、
第１のユーザ機器ＵＥによって送信されるグループ再編成構築メッセージを受信するよう構成される送受信機であって、前記グループ再編成構築メッセージは、Ｎ個のミッションクリティカル・プッシュ・ツー・トークＭＣＰＴＴグループの識別子を含み、前記グループ再編成構築メッセージは、第１のＭＣＰＴＴユーザによって開始されるテンポラリグループであり、かつ前記Ｎ個のＭＣＰＴＴグループが再編成されるテンポラリグループを、前記Ｎ個のＭＣＰＴＴグループの前記識別子に従って構築するよう前記第１のグループ管理機能エンティティに要求するために使用され、前記第１のグループ管理機能エンティティは、前記第１のＭＣＰＴＴユーザのホームネットワークにおけるグループ管理機能エンティティであり、前記第１のＭＣＰＴＴユーザは、前記Ｎ個のＭＣＰＴＴグループのうちの少なくとも１つのＭＣＰＴＴグループに属する、送受信機と、
前記テンポラリグループに関する情報を設定するよう構成されるプロセッサであって、前記テンポラリグループに関する前記情報は、前記Ｎ個のＭＣＰＴＴグループが再編成される前記テンポラリグループの識別子と、前記Ｎ個のＭＣＰＴＴグループの前記識別子とを含む、プロセッサと
を備えるグループ管理機能エンティティ。
【請求項４２】
前記送受信機はさらに、前記プロセッサが前記テンポラリグループに関する前記情報を設定した後、グループ再編成完了メッセージを前記第１のＵＥに送信するよう構成される、請求項４１に記載のグループ管理機能エンティティ。
【請求項４３】
前記テンポラリグループに関する前記情報はさらに、前記Ｎ個のＭＣＰＴＴグループのうちの少なくとも１つのＭＣＰＴＴグループ内のＭＣＰＴＴユーザに関する情報、前記テンポラリグループの優先度、または前記テンポラリグループのセキュリティレベルのうちの少なくとも１つを含む、請求項４１または４２に記載のグループ管理機能エンティティ。
【請求項４４】
前記Ｎ個のＭＣＰＴＴグループは、前記第１のグループ管理機能エンティティによって管理されるＭＣＰＴＴグループである、請求項４１から４３のいずれか一項に記載のグループ管理機能エンティティ。
【請求項４５】
前記Ｎ個のＭＣＰＴＴグループのうちの第１のＭＣＰＴＴグループは、前記第１のグループ管理機能エンティティによって管理されるＭＣＰＴＴグループではなく、前記第１のＭＣＰＴＴグループは、前記Ｎ個のＭＣＰＴＴグループのうちの少なくとも１つのＭＣＰＴＴグループであり、
前記送受信機はさらに、前記プロセッサが前記テンポラリグループに関する前記情報を設定する前、前記グループ再編成構築メッセージを、前記第１のＭＣＰＴＴグループのうちの少なくとも１つのＭＣＰＴＴグループを管理する任意のグループ管理機能エンティティである第２のグループ管理機能エンティティに送信し、前記第２のグループ管理機能エンティティによって送信されるグループ再編成応答メッセージを受信するよう構成され、
前記テンポラリグループに関する前記情報を設定する場合、前記プロセッサは具体的に、前記グループ再編成応答メッセージに従って前記テンポラリグループに関する前記情報を設定するよう構成される、請求項４１から４３のいずれか一項に記載のグループ管理機能エンティティ。
【請求項４６】
前記グループ再編成応答メッセージはさらに、前記第２のグループ管理機能エンティティによって管理される、前記第１のＭＣＰＴＴグループのうちの前記少なくとも１つのＭＣＰＴＴグループ内のＭＣＰＴＴユーザに関する情報を含む、請求項４５に記載のグループ管理機能エンティティ。
【請求項４７】
前記送受信機はさらに、前記プロセッサが前記テンポラリグループに関する前記情報を設定した後、グループ再編成情報を第２のＵＥに送信するよう構成され、前記グループ再編成情報は、前記テンポラリグループの前記識別子を含み、前記第２のＵＥは、第２のＭＣＰＴＴユーザによって使用されるＵＥであり、前記第２のＭＣＰＴＴユーザは、前記Ｎ個のＭＣＰＴＴグループ内の任意のＭＣＰＴＴユーザである、請求項４１から４６のいずれか一項に記載のグループ管理機能エンティティ。
【請求項４８】
前記第２のＭＣＰＴＴユーザが属するＭＣＰＴＴグループが前記第１のグループ管理機能エンティティによって管理されるＭＣＰＴＴグループではない場合、前記グループ再編成情報を前記第２のＵＥに送信するとき、前記送受信機は具体的に、前記グループ再編成情報を、前記第２のＭＣＰＴＴユーザが属する前記ＭＣＰＴＴグループのグループ管理機能エンティティに送信するよう構成され、これにより、前記第２のＭＣＰＴＴユーザが属する前記ＭＣＰＴＴグループの前記グループ管理機能エンティティが、前記グループ再編成情報を前記第２のＵＥに送信する、請求項４７に記載のグループ管理機能エンティティ。
【請求項４９】
前記送受信機はさらに、前記第１のＵＥによって送信されるグループ再編成解除メッセージであって、前記テンポラリグループの前記識別子を含み、かつ、前記テンポラリグループの前記識別子に従って前記テンポラリグループを解除するよう前記第１のグループ管理機能エンティティに要求するために使用されるグループ再編成解除メッセージを受信し、前記グループ再編成解除メッセージに従ってグループ再編成解除通知情報を前記第２のＵＥに送信するよう構成され、
前記グループ再編成解除通知情報は、前記テンポラリグループの前記識別子を含み、前記グループ再編成解除通知情報は、前記テンポラリグループの前記識別子に従って前記グループ再編成情報を削除するよう前記第２のＵＥに命令するために使用される、請求項４６または４７に記載のグループ管理機能エンティティ。
【請求項５０】
前記第２のＭＣＰＴＴユーザが属するＭＣＰＴＴグループが前記第１のグループ管理機能エンティティによって管理されるＭＣＰＴＴグループではない場合、前記グループ再編成解除メッセージに従って前記グループ再編成解除通知情報を前記第２のＵＥに送信するとき、前記送受信機は具体的に、前記グループ再編成解除メッセージに従って前記グループ再編成解除通知情報を前記第２のＭＣＰＴＴユーザが属する前記ＭＣＰＴＴグループのグループ管理機能エンティティに送信するよう構成され、これにより、前記第２のＭＣＰＴＴユーザが属する前記ＭＣＰＴＴグループの前記グループ管理機能エンティティは、前記グループ再編成解除通知情報を前記第２のＵＥに送信する、請求項４９に記載のグループ管理機能エンティティ。
【請求項５１】
前記プロセッサはさらに、前記送受信機が前記第１のＵＥによって送信される前記グループ再編成解除メッセージを受信した後、前記テンポラリグループに関する前記情報を削除するよう構成される、請求項４９または５０に記載のグループ管理機能エンティティ。
【請求項５２】
第１のユーザ機器ＵＥとして使用されるＵＥであって、
グループ再編成構築メッセージを生成するよう構成されるプロセッサであって、前記グループ再編成構築メッセージは、Ｎ個のミッションクリティカル・プッシュ・ツー・トークＭＣＰＴＴグループの識別子を含み、前記グループ再編成構築メッセージは、第１のＭＣＰＴＴユーザによって開始されるテンポラリグループであり、かつ前記Ｎ個のＭＣＰＴＴグループが再編成されるテンポラリグループを、前記Ｎ個のＭＣＰＴＴグループの前記識別子に従って構築するよう第１のグループ管理機能エンティティに要求するために使用され、Ｎは、２より大きいか、またはそれに等しい整数であり、前記第１のＭＣＰＴＴユーザは、前記Ｎ個のＭＣＰＴＴグループのうちの少なくとも１つのＭＣＰＴＴグループに属し、前記第１のグループ管理機能エンティティは、前記第１のＭＣＰＴＴユーザのホームネットワークにおけるグループ機能管理エンティティである、プロセッサと、
前記グループ再編成構築メッセージを前記第１のグループ管理機能エンティティに送信するよう構成される送受信機と
を備えるＵＥ。
【請求項５３】
前記送受信機はさらに、前記グループ再編成構築メッセージを前記第１のグループ管理機能エンティティに送信した後、前記第１のグループ管理機能エンティティによって送信されるグループ再編成完了メッセージを受信するよう構成される、請求項５２に記載のＵＥ。
【請求項５４】
前記送受信機はさらに、前記グループ再編成構築メッセージを前記第１のグループ管理機能エンティティに送信した後、前記第１のグループ管理機能エンティティによって送信されるグループ再編成情報を受信するよう構成され、前記グループ再編成情報は、前記テンポラリグループの識別子を含む、請求項５２または５３に記載のＵＥ。
【請求項５５】
前記送受信機はさらに、前記グループ再編成構築メッセージを前記第１のグループ管理機能エンティティに送信した後、前記テンポラリグループの前記識別子を含むグループ再編成解除メッセージであり、かつ、前記テンポラリグループの前記識別子に従って前記テンポラリグループを解除するよう前記第１のグループ管理機能エンティティに要求するために使用されるグループ再編成解除メッセージを前記第１のグループ管理機能エンティティに送信し、前記第１のグループ管理機能エンティティによって送信されるグループ再編成解除通知情報であって、前記テンポラリグループの前記識別子を含むグループ再編成解除通知情報を受信するよう構成され、
前記プロセッサはさらに、前記グループ再編成解除通知情報内の前記テンポラリグループの前記識別子に従って前記グループ再編成情報を削除するよう構成される、請求項５２から５４のいずれか一項に記載のＵＥ。
【請求項５６】
第２のグループ管理機能エンティティとして使用されるグループ管理機能エンティティであって、
第１のユーザ機器ＵＥによって送信され、かつ第１のグループ管理機能エンティティによって転送されるグループ再編成構築メッセージを受信するよう構成される受信機であって、前記グループ再編成構築メッセージは、Ｎ個のミッションクリティカル・プッシュ・ツー・トークＭＣＰＴＴグループの識別子を含み、前記グループ再編成構築メッセージは、第１のＭＣＰＴＴユーザによって開始されるテンポラリグループであり、かつ前記Ｎ個のＭＣＰＴＴグループが再編成されるテンポラリグループを、前記Ｎ個のＭＣＰＴＴグループの前記識別子に従って構築するよう前記第１のグループ管理機能エンティティに要求するために使用され、前記第２のグループ管理機能エンティティは、前記Ｎ個のＭＣＰＴＴグループのうちの少なくとも１つのＭＣＰＴＴグループを管理し、前記第１のグループ管理機能エンティティは、前記第１のＭＣＰＴＴユーザのホームネットワークにおけるグループ管理機能エンティティであり、前記第１のＭＣＰＴＴユーザは、前記Ｎ個のＭＣＰＴＴグループのうちの少なくとも１つのＭＣＰＴＴグループに属する、受信機と、
グループ再編成応答メッセージを前記第１のグループ管理機能エンティティに送信するよう構成される送信機と
を備えるグループ管理機能エンティティ。
【請求項５７】
前記グループ再編成応答メッセージはさらに、前記第２のグループ管理機能エンティティによって管理される、前記Ｎ個のＭＣＰＴＴグループのうちの前記少なくとも１つのＭＣＰＴＴグループ内のＭＣＰＴＴユーザに関する情報を含む、請求項５６に記載のグループ管理機能エンティティ。
【請求項５８】
前記受信機はさらに、前記送信機が前記グループ再編成応答メッセージを前記第１のグループ管理機能エンティティに送信した後、前記第１のグループ管理機能エンティティによって送信されるグループ再編成情報を受信するよう構成され、前記グループ再編成情報は、前記テンポラリグループの識別子を含み、
前記送信機はさらに、前記グループ再編成情報を第２のＵＥに送信するよう構成され、前記第２のＵＥは、第２のＭＣＰＴＴユーザによって使用されるＵＥであり、前記第２のＭＣＰＴＴユーザは、前記第２のグループ管理機能エンティティによって管理される、前記Ｎ個のＭＣＰＴＴグループのうちの前記少なくとも１つのＭＣＰＴＴグループ内の任意のＭＣＰＴＴユーザである、請求項５６または５７に記載のグループ管理機能エンティティ。
【請求項５９】
前記受信機はさらに、前記第１のグループ管理機能エンティティによって送信されるグループ再編成解除通知情報を受信するよう構成され、前記グループ再編成解除通知情報は、前記テンポラリグループの前記識別子を含み、前記グループ再編成解除通知情報は、前記テンポラリグループの前記識別子に従って前記グループ再編成情報を削除するよう命令するために使用され、
前記送信機はさらに、前記グループ再編成解除通知情報を前記第２のＵＥに送信するよう構成される、請求項５８に記載のグループ管理機能エンティティ。
【請求項６０】
前記受信機が前記第１のグループ管理機能エンティティによって送信される前記グループ再編成解除通知情報を受信した後、前記グループ再編成情報を削除するよう構成されるプロセッサ
をさらに備える、請求項５９に記載のグループ管理機能エンティティ。
【発明の詳細な説明】
【技術分野】
【０００１】
本発明の実施形態は通信技術分野に関し、具体的には、複数のグループを再編成するための方法およびデバイスに関する。
【背景技術】
【０００２】
実際の応用において、ある要件、すなわち、認可されたミッションクリティカル・プッシュ・ツー・トーク（英語：Ｍｉｓｓｉｏｎ  ｃｒｉｔｉｃａｌ  ｐｕｓｈ  ｔｏ  ｔａｌｋ  ｏｖｅｒ、略してＭＣＰＴＴ）ユーザが、いくつかのＭＣＰＴＴグループをテンポラリグループに一時的に編成してよいという要件が存在する。例えば、いくつかの緊急事態においては、消防署と公安局とは連携し、現場の指揮官は、消防署と公安局との２つのＭＣＰＴＴグループを新たな大グループへと一時的に編成する必要がある場合がある。このＭＣＰＴＴグループ再編成機能は、今のところ従来技術においてはサポートできていない。
【発明の概要】
【０００３】
本発明の実施形態は、複数のグループを再編成するための方法およびデバイスを提供して、複数のＭＣＰＴＴグループ内のＭＣＰＴＴユーザによって使用されるユーザ機器（英語：Ｕｓｅｒ  Ｅｑｕｉｐｍｅｎｔ、略してＵＥ）間における相互通信を可能にする。
【０００４】
第１態様によると、本発明の実施形態が、複数のグループを再編成するための方法を提供する。当該方法は、第１のＵＥによって送信されるグループ再編成構築メッセージを第１のグループ管理機能エンティティによって受信する段階であって、グループ再編成構築メッセージは、Ｎ個のＭＣＰＴＴグループの識別子を含み、グループ再編成構築メッセージは、第１のＭＣＰＴＴユーザによって開始されるテンポラリグループであり、かつＮ個のＭＣＰＴＴグループが再編成されるテンポラリグループを、Ｎ個のＭＣＰＴＴグループの識別子に従って構築するよう第１のグループ管理機能エンティティに要求するために使用され、第１のグループ管理機能エンティティは、第１のＭＣＰＴＴユーザのホームネットワークにおけるグループ管理機能エンティティであり、第１のＭＣＰＴＴユーザは、Ｎ個のＭＣＰＴＴグループのうちの少なくとも１つのＭＣＰＴＴグループに属する、段階と、テンポラリグループに関する情報を第１のグループ管理機能エンティティによって設定する段階であって、テンポラリグループに関する情報は、Ｎ個のＭＣＰＴＴグループが再編成されるテンポラリグループの識別子と、Ｎ個のＭＣＰＴＴグループの識別子とを含む、段階とを備える。
【０００５】
第１態様の第１の考えられる実装例において、テンポラリグループに関する情報を第１のグループ管理機能エンティティによって設定する段階の後、当該方法はさらに、グループ再編成完了メッセージを第１のグループ管理機能エンティティによって第１のＵＥに送信する段階を備える。
【０００６】
第１態様、または第１態様の第１の考えられる実装例に関連して、第１態様の第２の考えられる実装例において、テンポラリグループに関する情報はさらに、Ｎ個のＭＣＰＴＴグループのうちの少なくとも１つのＭＣＰＴＴグループ内のＭＣＰＴＴユーザに関する情報、テンポラリグループの優先度、またはテンポラリグループのセキュリティレベルのうちの少なくとも１つを含む。
【０００７】
第１態様、または第１態様の第１の考えられる実装例、または第１態様の第２の考えられる実装例に関連して、第１態様の第３の考えられる実装例において、Ｎ個のＭＣＰＴＴグループは、第１のグループ管理機能エンティティによって管理されるＭＣＰＴＴグループである。
【０００８】
第１態様、または第１態様の第１の考えられる実装例、または第１態様の第２の考えられる実装例に関連して、第１態様の第４の考えられる実装例において、Ｎ個のＭＣＰＴＴグループのうちの第１のＭＣＰＴＴグループは、第１のグループ管理機能エンティティによって管理されるＭＣＰＴＴグループではなく、第１のＭＣＰＴＴグループは、Ｎ個のＭＣＰＴＴグループのうちの少なくとも１つのＭＣＰＴＴグループであり、テンポラリグループに関する情報を第１のグループ管理機能エンティティによって設定する段階の前、当該方法はさらに、グループ再編成構築メッセージを第１のグループ管理機能エンティティによって第２のグループ管理機能エンティティに送信する段階であって、第２のグループ管理機能エンティティは、第１のＭＣＰＴＴグループのうちの少なくとも１つのＭＣＰＴＴグループを管理する任意のグループ管理機能エンティティである、段階と、第２のグループ管理機能エンティティによって送信されるグループ再編成応答メッセージを第１のグループ管理機能エンティティによって受信する段階とを備え、テンポラリグループに関する情報を第１のグループ管理機能エンティティによって設定する段階は、テンポラリグループに関する情報をグループ再編成応答メッセージに従って第１のグループ管理機能エンティティによって設定する段階を有する。
【０００９】
第１態様の第４の考えられる実装例に関連して、第１態様の第５の考えられる実装例において、グループ再編成応答メッセージはさらに、第２のグループ管理機能エンティティによって管理される、第１のＭＣＰＴＴグループのうちの少なくとも１つのＭＣＰＴＴグループ内のＭＣＰＴＴユーザに関する情報を含む。
【００１０】
第１態様、または第１態様の第１から第５の考えられる実装例のいずれか１つに関連して、第１態様の第６の考えられる実装例において、テンポラリグループに関する情報を第１のグループ管理機能エンティティによって設定する段階の後、当該方法はさらに、グループ再編成情報を第１のグループ管理機能エンティティによって第２のＵＥに送信する段階であって、グループ再編成情報は、テンポラリグループの識別子を含み、第２のＵＥは、第２のＭＣＰＴＴユーザによって使用されるＵＥであり、第２のＭＣＰＴＴユーザは、Ｎ個のＭＣＰＴＴグループ内の任意のＭＣＰＴＴユーザである、段階を備える。
【００１１】
第１態様の第６の考えられる実装例に関連して、第１態様の第７の考えられる実装例において、第２のＭＣＰＴＴユーザが属するＭＣＰＴＴグループが第１のグループ管理機能エンティティによって管理されるＭＣＰＴＴグループではない場合、グループ再編成情報を第１のグループ管理機能エンティティによって第２のＵＥに送信する段階は、グループ再編成情報を第１のグループ管理機能エンティティによって、第２のＭＣＰＴＴユーザが属するＭＣＰＴＴグループのグループ管理機能エンティティに送信し、これにより、第２のＭＣＰＴＴユーザが属するＭＣＰＴＴグループのグループ管理機能エンティティがグループ再編成情報を第２のＵＥに送信する段階を有する。
【００１２】
第１態様の第６の考えられる実装例、または第１態様の第７の考えられる実装例に関連して、第１態様の第８の考えられる実装例において、当該方法はさらに、第１のＵＥによって送信されるグループ再編成解除メッセージを第１のグループ管理機能エンティティによって受信する段階であって、グループ再編成解除メッセージは、テンポラリグループの識別子を含み、グループ再編成解除メッセージは、テンポラリグループ識別子に従ってテンポラリグループを解除するよう第１のグループ管理機能エンティティに要求するために使用される、段階と、グループ再編成解除メッセージに従ってグループ再編成解除通知情報を第１のグループ管理機能エンティティによって第２のＵＥに送信する段階とを備え、グループ再編成解除通知情報は、テンポラリグループの識別子を含み、グループ再編成解除通知情報は、テンポラリグループの識別子に従ってグループ再編成情報を削除するよう第２のＵＥに命令するために使用される。
【００１３】
第１態様の第８の考えられる実装例に関連して、第１態様の第９の考えられる実装例において、第２のＭＣＰＴＴユーザが属するＭＣＰＴＴグループが第１のグループ管理機能エンティティによって管理されるＭＣＰＴＴグループではない場合、グループ再編成解除メッセージに従ってグループ再編成解除通知情報を第１のグループ管理機能エンティティによって第２のＵＥに送信する段階は、グループ再編成解除メッセージに従ってグループ再編成解除通知情報を第１のグループ管理機能エンティティによって、第２のＭＣＰＴＴユーザが属するＭＣＰＴＴグループのグループ管理機能エンティティに送信し、これにより、第２のＭＣＰＴＴユーザが属するＭＣＰＴＴグループのグループ管理機能エンティティが、グループ再編成解除通知情報を第２のＵＥに送信する、段階を有する。
【００１４】
第１態様の第８の考えられる実装例、または第１態様の第９の考えられる実装例に関連して、第１態様の第１０の考えられる実装例において、第１のＵＥによって送信されるグループ再編成解除メッセージを第１のグループ管理機能エンティティによって受信する段階の後、当該方法はさらに、テンポラリグループに関する情報を第１のグループ管理機能エンティティによって削除する段階を備える。
【００１５】
第２態様によると、本発明の実施形態が、複数のグループを再編成するための方法を提供する。当該方法は、グループ再編成構築メッセージを第１のＵＥによって生成する段階であって、グループ再編成構築メッセージは、Ｎ個のＭＣＰＴＴグループの識別子を含み、グループ再編成構築メッセージは、第１のＭＣＰＴＴユーザによって開始されるテンポラリグループであり、かつＮ個のＭＣＰＴＴグループが再編成されるテンポラリグループを、Ｎ個のＭＣＰＴＴグループの識別子に従って構築するよう第１のグループ管理機能エンティティに要求するために使用され、Ｎは、２より大きいか、またはそれに等しい整数であり、第１のＭＣＰＴＴユーザは、Ｎ個のＭＣＰＴＴグループのうちの少なくとも１つのＭＣＰＴＴグループに属し、第１のグループ管理機能エンティティは、第１のＭＣＰＴＴユーザのホームネットワークにおけるグループ機能管理エンティティである、段階と、グループ再編成構築メッセージを第１のＵＥによって第１のグループ管理機能エンティティに送信する段階とを備える。
【００１６】
第２態様の第１の考えられる実装例において、グループ再編成構築メッセージを第１のＵＥによって第１のグループ管理機能エンティティに送信する段階の後、当該方法はさらに、第１のグループ管理機能エンティティによって送信されるグループ再編成完了メッセージを第１のＵＥによって受信する段階を備える。
【００１７】
第２態様、または第２態様の第１の考えられる実装例に関連して、第２態様の第２の考えられる実装例において、グループ再編成構築メッセージを第１のＵＥによって第１のグループ管理機能エンティティに送信する段階の後、当該方法はさらに、第１のグループ管理機能エンティティによって送信されるグループ再編成情報を第１のＵＥによって受信する段階であって、グループ再編成情報は、テンポラリグループの識別子を含む、段階を備える。
【００１８】
第２態様、または第２態様の第１の考えられる実装例、または第２態様の第２の考えられる実装例に関連して、第２態様の第３の考えられる実装例において、グループ再編成構築メッセージを第１のＵＥによって第１のグループ管理機能エンティティに送信する段階の後、当該方法はさらに、グループ再編成解除メッセージを第１のＵＥによって第１のグループ管理機能エンティティに送信する段階であって、グループ再編成解除メッセージは、テンポラリグループの識別子を含み、グループ再編成解除メッセージは、テンポラリグループの識別子に従ってテンポラリグループを解除するよう第１のグループ管理機能エンティティに要求するために使用される、段階と、第１のグループ管理機能エンティティによって送信されるグループ再編成解除通知情報を第１のＵＥによって受信する段階であって、グループ再編成解除通知情報は、テンポラリグループの識別子を含む、段階と、グループ再編成解除通知情報内のテンポラリグループの識別子に従って、グループ再編成情報を第１のＵＥによって削除する段階とを備える。
【００１９】
第３態様によると、本発明の実施形態が、複数のグループを再編成するための方法を提供する。当該方法は、第１のＵＥによって送信され、かつ第１のグループ管理機能エンティティによって転送されるグループ再編成構築メッセージを第２のグループ管理機能エンティティによって受信する段階であって、グループ再編成構築メッセージは、Ｎ個のＭＣＰＴＴグループの識別子を含み、グループ再編成構築メッセージは、第１のＭＣＰＴＴユーザによって開始されるテンポラリグループであり、かつＮ個のＭＣＰＴＴグループが再編成されるテンポラリグループを、Ｎ個のＭＣＰＴＴグループの識別子に従って構築するよう第１のグループ管理機能エンティティに要求するために使用され、第２のグループ管理機能エンティティは、Ｎ個のＭＣＰＴＴグループのうちの少なくとも１つのＭＣＰＴＴグループを管理し、第１のグループ管理機能エンティティは、第１のＭＣＰＴＴユーザのホームネットワークにおけるグループ管理機能エンティティであり、第１のＭＣＰＴＴユーザは、Ｎ個のＭＣＰＴＴグループのうちの少なくとも１つのＭＣＰＴＴグループに属する、段階と、グループ再編成応答メッセージを第２のグループ管理機能エンティティによって第１のグループ管理機能エンティティに送信する段階とを備える。
【００２０】
第３態様の第１の考えられる実装例において、グループ再編成応答メッセージはさらに、第２のグループ管理機能エンティティによって管理される、Ｎ個のＭＣＰＴＴグループのうちの少なくとも１つのＭＣＰＴＴグループ内のＭＣＰＴＴユーザに関する情報を含む。
【００２１】
第３態様、または第３態様の第１の考えられる実装例に関連して、第３態様の第２の考えられる実装例において、グループ再編成応答メッセージを第２のグループ管理機能エンティティによって第１のグループ管理機能エンティティに送信する段階の後、当該方法はさらに、第１のグループ管理機能エンティティによって送信されるグループ再編成情報を第２のグループ管理機能エンティティによって受信する段階であって、グループ再編成情報は、テンポラリグループの識別子を含む、段階と、グループ再編成情報を第２のグループ管理機能エンティティによって第２のＵＥに送信する段階であって、第２のＵＥは、第２のＭＣＰＴＴユーザによって使用されるＵＥであり、第２のＭＣＰＴＴユーザは、第２のグループ管理機能エンティティによって管理される、Ｎ個のＭＣＰＴＴグループのうちの少なくとも１つのＭＣＰＴＴグループ内の任意のＭＣＰＴＴユーザである、段階とを備える。
【００２２】
第３態様の第２の考えられる実装例に関連して、第３態様の第３の考えられる実装例において、当該方法はさらに、第１のグループ管理機能エンティティによって送信されるグループ再編成解除通知情報を第２のグループ管理機能エンティティによって受信する段階であって、グループ再編成解除通知情報は、テンポラリグループの識別子を含み、グループ再編成解除通知情報は、テンポラリグループの識別子に従ってグループ再編成情報を削除するよう命令するために使用される、段階と、グループ再編成解除通知情報を第２のグループ管理機能エンティティによって第２のＵＥに送信する段階とを備える。
【００２３】
第３態様の第３の考えられる実装例に関連して、第３態様の第４の考えられる実装例において、第１のグループ管理機能エンティティによって送信されるグループ再編成解除通知情報を第２のグループ管理機能エンティティによって受信する段階の後、当該方法はさらに、グループ再編成情報を第２のグループ管理機能エンティティによって削除する段階を備える。
【００２４】
第４態様によると、本発明の実施形態が、第１のグループ管理機能エンティティとして使用されるグループ管理機能エンティティを提供する。当該グループ管理機能エンティティは、第１のＵＥによって送信されるグループ再編成構築メッセージを受信するよう構成される送受信ユニットであって、グループ再編成構築メッセージは、Ｎ個のＭＣＰＴＴグループの識別子を含み、グループ再編成構築メッセージは、第１のＭＣＰＴＴユーザによって開始されるテンポラリグループであり、かつＮ個のＭＣＰＴＴグループが再編成されるテンポラリグループを、Ｎ個のＭＣＰＴＴグループの識別子に従って構築するよう第１のグループ管理機能エンティティに要求するために使用され、第１のグループ管理機能エンティティは、第１のＭＣＰＴＴユーザのホームネットワークにおけるグループ管理機能エンティティであり、第１のＭＣＰＴＴユーザは、Ｎ個のＭＣＰＴＴグループのうちの少なくとも１つのＭＣＰＴＴグループに属する、送受信ユニットと、テンポラリグループに関する情報を設定するよう構成される処理ユニットであって、テンポラリグループに関する情報は、Ｎ個のＭＣＰＴＴグループが再編成されるテンポラリグループの識別子と、Ｎ個のＭＣＰＴＴグループの識別子とを含む、処理ユニットとを備える。
【００２５】
第４態様の第１の考えられる実装例において、送受信ユニットは、処理ユニットがテンポラリグループに関する情報を設定した後、さらにグループ再編成完了メッセージを第１のＵＥに送信するよう構成される。
【００２６】
第４態様、または第４態様の第１の考えられる実装例に関連して、第４態様の第２の考えられる実装例において、テンポラリグループに関する情報はさらに、Ｎ個のＭＣＰＴＴグループのうちの少なくとも１つのＭＣＰＴＴグループ内のＭＣＰＴＴユーザに関する情報、テンポラリグループの優先度、またはテンポラリグループのセキュリティレベルのうちの少なくとも１つを含む。
【００２７】
第４態様、または第４態様の第１の考えられる実装例、または第４態様の第２の考えられる実装例に関連して、第４態様の第３の考えられる実装例において、Ｎ個のＭＣＰＴＴグループは、第１のグループ管理機能エンティティによって管理されるＭＣＰＴＴグループである。
【００２８】
第４態様、または第４態様の第１の考えられる実装例、または第４態様の第２の考えられる実装例に関連して、第４態様の第４の考えられる実装例において、Ｎ個のＭＣＰＴＴグループのうちの第１のＭＣＰＴＴグループは、第１のグループ管理機能エンティティによって管理されるＭＣＰＴＴグループではなく、第１のＭＣＰＴＴグループは、Ｎ個のＭＣＰＴＴグループのうちの少なくとも１つのＭＣＰＴＴグループであり、送受信ユニットはさらに、処理ユニットがテンポラリグループに関する情報を設定する前、グループ再編成構築メッセージを、第１のＭＣＰＴＴグループのうちの少なくとも１つのＭＣＰＴＴグループを管理する任意のグループ管理機能エンティティである第２のグループ管理機能エンティティに送信し、第２のグループ管理機能エンティティによって送信されるグループ再編成応答メッセージを受信するよう構成され、テンポラリグループに関する情報を設定する場合、処理ユニットは具体的に、グループ再編成応答メッセージに従ってテンポラリグループに関する情報を設定するよう構成される。
【００２９】
第４態様の第４の考えられる実装例に関連して、第４態様の第５の考えられる実装例において、グループ再編成応答メッセージはさらに、第２のグループ管理機能エンティティによって管理される、第１のＭＣＰＴＴグループのうちの少なくとも１つのＭＣＰＴＴグループ内のＭＣＰＴＴユーザに関する情報を含む。
【００３０】
第４態様、または第４態様の第１から第５の考えられる実装例のいずれか１つに関連して、第４態様の第６の考えられる実装例において、送受信ユニットはさらに、処理ユニットがテンポラリグループに関する情報を設定した後、グループ再編成情報を第２のＵＥに送信するよう構成され、グループ再編成情報は、テンポラリグループの識別子を含み、第２のＵＥは、第２のＭＣＰＴＴユーザによって使用されるＵＥであり、第２のＭＣＰＴＴユーザは、Ｎ個のＭＣＰＴＴグループ内の任意のＭＣＰＴＴユーザである。
【００３１】
第４態様の第６の考えられる実装例に関連して、第４態様の第７の考えられる実装例において、第２のＭＣＰＴＴユーザが属するＭＣＰＴＴグループが第１のグループ管理機能エンティティによって管理されるＭＣＰＴＴグループではない場合、グループ再編成情報を第２のＵＥに送信するとき、送受信ユニットは具体的に、グループ再編成情報を、第２のＭＣＰＴＴユーザが属するＭＣＰＴＴグループのグループ管理機能エンティティに送信するよう構成され、これにより、第２のＭＣＰＴＴユーザが属するＭＣＰＴＴグループのグループ管理機能エンティティは、グループ再編成情報を第２のＵＥに送信する。
【００３２】
第４態様の第６の考えられる実装例、または第４態様の第７の考えられる実装例に関連して、第４態様の第８の考えられる実装例において、送受信ユニットはさらに、第１のＵＥによって送信されるグループ再編成解除メッセージであって、テンポラリグループの識別子を含み、かつ、テンポラリグループの識別子に従ってテンポラリグループを解除するよう第１のグループ管理機能エンティティに要求するために使用されるグループ再編成解除メッセージを受信し、グループ再編成解除メッセージに従ってグループ再編成解除通知情報を第２のＵＥに送信するよう構成され、グループ再編成解除通知情報は、テンポラリグループの識別子を含み、グループ再編成解除通知情報は、テンポラリグループの識別子に従ってグループ再編成情報を削除するよう第２のＵＥに命令するために使用される。
【００３３】
第４態様の第８の考えられる実装例に関連して、第４態様の第９の考えられる実装例において、第２のＭＣＰＴＴユーザが属するＭＣＰＴＴグループが第１のグループ管理機能エンティティによって管理されるＭＣＰＴＴグループではない場合、グループ再編成解除メッセージに従ってグループ再編成解除通知情報を第２のＵＥに送信するとき、送受信ユニットは具体的に、グループ再編成解除メッセージに従ってグループ再編成解除通知情報を第２のＭＣＰＴＴユーザが属するＭＣＰＴＴグループのグループ管理機能エンティティに送信するよう構成され、これにより、第２のＭＣＰＴＴユーザが属するＭＣＰＴＴグループのグループ管理機能エンティティは、グループ再編成解除通知情報を第２のＵＥに送信する。
【００３４】
第４態様の第８の考えられる実装例、または第４態様の第９の考えられる実装例に関連して、第４態様の第１０の考えられる実装例において、処理ユニットはさらに、送受信ユニットが、第１のＵＥによって送信されるグループ再編成解除メッセージを受信した後、テンポラリグループに関する情報を削除するよう構成される。
【００３５】
第５態様によると、本発明の実施形態が第１のＵＥとして使用されるＵＥを提供する。当該ＵＥは、グループ再編成構築メッセージを生成するよう構成される処理ユニットであって、グループ再編成構築メッセージは、Ｎ個のＭＣＰＴＴグループの識別子を含み、グループ再編成構築メッセージは、第１のＭＣＰＴＴユーザによって開始されるテンポラリグループであり、かつＮ個のＭＣＰＴＴグループが再編成されるテンポラリグループを、Ｎ個のＭＣＰＴＴグループの識別子に従って構築するよう第１のグループ管理機能エンティティに要求するために使用され、Ｎは、２より大きいか、またはそれに等しい整数であり、第１のＭＣＰＴＴユーザは、Ｎ個のＭＣＰＴＴグループのうちの少なくとも１つのＭＣＰＴＴグループに属し、第１のグループ管理機能エンティティは、第１のＭＣＰＴＴユーザのホームネットワークにおけるグループ機能管理エンティティである、処理ユニットと、グループ再編成構築メッセージを第１のグループ管理機能エンティティに送信するよう構成される送受信ユニットとを備える。
【００３６】
第５態様の第１の考えられる実装例において、送受信ユニットはさらに、グループ再編成構築メッセージを第１のグループ管理機能エンティティに送信した後、第１のグループ管理機能エンティティによって送信されるグループ再編成完了メッセージを受信するよう構成される。
【００３７】
第５態様、または第５態様の第１の考えられる実装例に関連して、第５態様の第２の考えられる実装例において、送受信ユニットはさらに、グループ再編成構築メッセージを第１のグループ管理機能エンティティに送信した後、第１のグループ管理機能エンティティによって送信されたグループ再編成情報であって、テンポラリグループの識別子を含むグループ再編成情報を受信するよう構成される。
【００３８】
第５態様、または第５態様の第１の考えられる実装例、または第５態様の第２の考えられる実装例に関連して、第５態様の第３の考えられる実装例において、送受信ユニットはさらに、グループ再編成構築メッセージを第１のグループ管理機能エンティティに送信した後、テンポラリグループの識別子を含むグループ再編成解除メッセージであり、かつ、テンポラリグループの識別子に従ってテンポラリグループを解除するよう第１のグループ管理機能エンティティに要求するために使用されるグループ再編成解除メッセージを第１のグループ管理機能エンティティに送信し、第１のグループ管理機能エンティティによって送信されるグループ再編成解除通知情報であって、テンポラリグループの識別子を含むグループ再編成解除通知情報を受信するよう構成され、処理ユニットはさらに、グループ再編成解除通知情報内のテンポラリグループの識別子に従ってグループ再編成情報を削除するよう構成される。
【００３９】
第６態様によると、本発明の実施形態が、第２のグループ管理機能エンティティとして使用されるグループ管理機能エンティティを提供する。当該グループ管理機能エンティティは、第１のＵＥによって送信され、かつ第１のグループ管理機能エンティティによって転送されるグループ再編成構築メッセージを受信するよう構成される受信ユニットであって、グループ再編成構築メッセージは、Ｎ個のＭＣＰＴＴグループの識別子を含み、グループ再編成構築メッセージは、第１のＭＣＰＴＴユーザによって開始されるテンポラリグループであり、かつＮ個のＭＣＰＴＴグループが再編成されるテンポラリグループを、Ｎ個のＭＣＰＴＴグループの識別子に従って構築するよう第１のグループ管理機能エンティティに要求するために使用され、第２のグループ管理機能エンティティは、Ｎ個のＭＣＰＴＴグループのうちの少なくとも１つのＭＣＰＴＴグループを管理し、第１のグループ管理機能エンティティは、第１のＭＣＰＴＴユーザのホームネットワークにおけるグループ管理機能エンティティであり、第１のＭＣＰＴＴユーザは、Ｎ個のＭＣＰＴＴグループのうちの少なくとも１つのＭＣＰＴＴグループに属する、受信ユニットと、グループ再編成応答メッセージを第１のグループ管理機能エンティティに送信するよう構成される送信ユニットとを備える。
【００４０】
第６態様の第１の考えられる実装例において、グループ再編成応答メッセージはさらに、第２のグループ管理機能エンティティによって管理される、Ｎ個のＭＣＰＴＴグループのうちの少なくとも１つのＭＣＰＴＴグループ内のＭＣＰＴＴユーザに関する情報を含む。
【００４１】
第６態様、または第６態様の第１の考えられる実装例に関連して、第６態様の第２の考えられる実装例において、受信ユニットはさらに、送信ユニットがグループ再編成応答メッセージを第１のグループ管理機能エンティティに送信した後、第１のグループ管理機能エンティティによって送信されるグループ再編成情報を受信するよう構成され、グループ再編成情報は、テンポラリグループの識別子を含み、送信ユニットはさらに、グループ再編成情報を第２のＵＥに送信するよう構成され、第２のＵＥは、第２のＭＣＰＴＴユーザによって使用されるＵＥであり、第２のＭＣＰＴＴユーザは、第２のグループ管理機能エンティティによって管理される、Ｎ個のＭＣＰＴＴグループのうちの少なくとも１つのＭＣＰＴＴグループ内の任意のＭＣＰＴＴユーザである。
【００４２】
第６態様の第２の考えられる実装例に関連して、第６態様の第３の考えられる実装例において、受信ユニットはさらに、第１のグループ管理機能エンティティによって送信されるグループ再編成解除通知情報を受信するよう構成され、グループ再編成解除通知情報は、テンポラリグループの識別子を含み、グループ再編成解除通知情報は、テンポラリグループの識別子に従ってグループ再編成情報を削除するよう命令するために使用され、送信ユニットはさらに、グループ再編成解除通知情報を第２のＵＥに送信するよう構成される。
【００４３】
第６態様の第３の考えられる実装例に関連して、第６態様の第４の考えられる実装例において、グループ管理機能エンティティはさらに、受信ユニットが、第１のグループ管理機能エンティティによって送信されるグループ再編成解除通知情報を受信した後、グループ再編成情報を削除するよう構成される処理ユニットを備える。
【００４４】
第７態様によると、本発明の実施形態が、第１のグループ管理機能エンティティとして使用されるグループ管理機能エンティティを提供する。当該グループ管理機能エンティティは、第１のＵＥによって送信されるグループ再編成構築メッセージを受信するよう構成される送受信機であって、グループ再編成構築メッセージは、Ｎ個のＭＣＰＴＴグループの識別子を含み、グループ再編成構築メッセージは、第１のＭＣＰＴＴユーザによって開始されるテンポラリグループであり、かつＮ個のＭＣＰＴＴグループが再編成されるテンポラリグループを、Ｎ個のＭＣＰＴＴグループの識別子に従って構築するよう第１のグループ管理機能エンティティに要求するために使用され、第１のグループ管理機能エンティティは、第１のＭＣＰＴＴユーザのホームネットワークにおけるグループ管理機能エンティティであり、第１のＭＣＰＴＴユーザは、Ｎ個のＭＣＰＴＴグループのうちの少なくとも１つのＭＣＰＴＴグループに属する、送受信機と、テンポラリグループに関する情報を設定するよう構成されるプロセッサであって、テンポラリグループに関する情報は、Ｎ個のＭＣＰＴＴグループが再編成されるテンポラリグループの識別子とＮ個のＭＣＰＴＴグループの識別子とを含む、プロセッサとを備える。
【００４５】
第７態様の第１の考えられる実装例において、送受信機はさらに、プロセッサがテンポラリグループに関する情報を設定した後、グループ再編成完了メッセージを第１のＵＥに送信するよう構成される。
【００４６】
第７態様、または第７態様の第１の考えられる実装例に関連して、第７態様の第２の考えられる実装例において、テンポラリグループに関する情報はさらに、Ｎ個のＭＣＰＴＴグループのうちの少なくとも１つのＭＣＰＴＴグループ内のＭＣＰＴＴユーザに関する情報、テンポラリグループの優先度、またはテンポラリグループのセキュリティレベルのうちの少なくとも１つを含む。
【００４７】
第７態様、または第７態様の第１の考えられる実装例、または第７態様の第２の考えられる実装例に関連して、第７態様の第３の考えられる実装例において、Ｎ個のＭＣＰＴＴグループは、第１のグループ管理機能エンティティによって管理されるＭＣＰＴＴグループである。
【００４８】
第７態様、または第７態様の第１の考えられる実装例、または第７態様の第２の考えられる実装例に関連して、第７態様の第４の考えられる実装例において、Ｎ個のＭＣＰＴＴグループのうちの第１のＭＣＰＴＴグループは、第１のグループ管理機能エンティティによって管理されるＭＣＰＴＴグループではなく、第１のＭＣＰＴＴグループはＮ個のＭＣＰＴＴグループのうちの少なくとも１つのＭＣＰＴＴグループであり、送受信機はさらに、プロセッサがテンポラリグループに関する情報を設定する前、グループ再編成構築メッセージを、第１のＭＣＰＴＴグループのうちの少なくとも１つのＭＣＰＴＴグループを管理する任意のグループ管理機能エンティティである第２のグループ管理機能エンティティに送信し、第２のグループ管理機能エンティティによって送信されるグループ再編成応答メッセージを受信するよう構成され、テンポラリグループに関する情報を設定する場合、プロセッサは具体的に、グループ再編成応答メッセージに従ってテンポラリグループに関する情報を設定するよう構成される。
【００４９】
第７態様の第４の考えられる実装例に関連して、第７態様の第５の考えられる実装例において、グループ再編成応答メッセージはさらに、第２のグループ管理機能エンティティによって管理される、第１のＭＣＰＴＴグループのうちの少なくとも１つのＭＣＰＴＴグループ内のＭＣＰＴＴユーザに関する情報を含む。
【００５０】
第７態様、または第７態様の第１から第５の考えられる実装例のいずれか１つに関連して、第７態様の第６の考えられる実装例において、送受信機はさらに、プロセッサがテンポラリグループに関する情報を設定した後、グループ再編成情報を第２のＵＥに送信するよう構成され、グループ再編成情報は、テンポラリグループの識別子を含み、第２のＵＥは、第２のＭＣＰＴＴユーザによって使用されるＵＥであり、第２のＭＣＰＴＴユーザは、Ｎ個のＭＣＰＴＴグループ内の任意のＭＣＰＴＴユーザである。
【００５１】
第７態様の第６の考えられる実装例に関連して、第７態様の第７の考えられる実装例において、第２のＭＣＰＴＴユーザが属するＭＣＰＴＴグループが第１のグループ管理機能エンティティによって管理されるＭＣＰＴＴグループではない場合、グループ再編成情報を第２のＵＥに送信するとき、送受信機は具体的に、グループ再編成情報を、第２のＭＣＰＴＴユーザが属するＭＣＰＴＴグループのグループ管理機能エンティティに送信するよう構成され、これにより、第２のＭＣＰＴＴユーザが属するＭＣＰＴＴグループのグループ管理機能エンティティは、グループ再編成情報を第２のＵＥに送信する。
【００５２】
第７態様の第６の考えられる実装例、または第７態様の第７の考えられる実装例に関連して、第７態様の第８の考えられる実装例において、送受信機はさらに、第１のＵＥによって送信されるグループ再編成解除メッセージであって、テンポラリグループの識別子を含み、かつ、テンポラリグループの識別子に従ってテンポラリグループを解除するよう第１のグループ管理機能エンティティに要求するために使用されるグループ再編成解除メッセージを受信し、グループ再編成解除メッセージに従ってグループ再編成解除通知情報を第２のＵＥに送信するよう構成され、グループ再編成解除通知情報は、テンポラリグループの識別子を含み、グループ再編成解除通知情報は、テンポラリグループの識別子に従ってグループ再編成情報を削除するよう第２のＵＥに命令するために使用される。
【００５３】
第７態様の第８の考えられる実装例に関連して、第７態様の第９の考えられる実装例において、第２のＭＣＰＴＴユーザが属するＭＣＰＴＴグループが第１のグループ管理機能エンティティによって管理されるＭＣＰＴＴグループではない場合、グループ再編成解除メッセージに従ってグループ再編成解除通知情報を第２のＵＥに送信するとき、送受信機は具体的に、グループ再編成解除メッセージに従ってグループ再編成解除通知情報を第２のＭＣＰＴＴユーザが属するＭＣＰＴＴグループのグループ管理機能エンティティに送信するよう構成され、これにより、第２のＭＣＰＴＴユーザが属するＭＣＰＴＴグループのグループ管理機能エンティティは、グループ再編成解除通知情報を第２のＵＥに送信する。
【００５４】
第７態様の第８の考えられる実装例、または第７態様の第９の考えられる実装例に関連して、第７態様の第１０の考えられる実装例において、プロセッサはさらに、送受信機が第１のＵＥによって送信されるグループ再編成解除メッセージを受信した後、テンポラリグループに関する情報を削除するよう構成される。
【００５５】
第８態様によると、本発明の実施形態が、第１のＵＥとして使用されるＵＥを提供する。当該ＵＥは、グループ再編成構築メッセージを生成するよう構成されるプロセッサであって、グループ再編成構築メッセージはＮ個のＭＣＰＴＴグループの識別子を含み、グループ再編成構築メッセージは、第１のＭＣＰＴＴユーザによって開始されるテンポラリグループであり、かつＮ個のＭＣＰＴＴグループが再編成されるテンポラリグループを、Ｎ個のＭＣＰＴＴグループの識別子に従って構築するよう第１のグループ管理機能エンティティに要求するために使用され、Ｎは、２より大きいか、またはそれに等しい整数であり、第１のＭＣＰＴＴユーザは、Ｎ個のＭＣＰＴＴグループのうちの少なくとも１つのＭＣＰＴＴグループに属し、第１のグループ管理機能エンティティは、第１のＭＣＰＴＴユーザのホームネットワークにおけるグループ機能管理エンティティである、プロセッサと、グループ再編成構築メッセージを第１のグループ管理機能エンティティに送信するよう構成される送受信機とを備える。
【００５６】
第８態様の第１の考えられる実装例において、送受信機はさらに、グループ再編成構築メッセージを第１のグループ管理機能エンティティに送信した後、第１のグループ管理機能エンティティによって送信されるグループ再編成完了メッセージを受信するよう構成される。
【００５７】
第８態様、または第８態様の第１の考えられる実装例に関連して、第８態様の第２の考えられる実装例において、送受信機はさらに、グループ再編成構築メッセージを第１のグループ管理機能エンティティに送信した後、第１のグループ管理機能エンティティによって送信されるグループ再編成情報を受信するよう構成され、グループ再編成情報は、テンポラリグループの識別子を含む。
【００５８】
第８態様、または第８態様の第１の考えられる実装例、または第８態様の第２の考えられる実装例に関連して、第８態様の第３の考えられる実装例において、送受信機はさらに、グループ再編成構築メッセージを第１のグループ管理機能エンティティに送信した後、テンポラリグループの識別子を含むグループ再編成解除メッセージであり、かつテンポラリグループの識別子に従ってテンポラリグループを解除するよう第１のグループ管理機能エンティティに要求するために使用されるグループ再編成解除メッセージを第１のグループ管理機能エンティティに送信し、第１のグループ管理機能エンティティによって送信されるグループ再編成解除通知情報であって、テンポラリグループの識別子を含むグループ再編成解除通知情報を受信するよう構成され、プロセッサはさらに、グループ再編成解除通知情報内のテンポラリグループの識別子に従ってグループ再編成情報を削除するよう構成される。
【００５９】
第９態様によると、本発明の実施形態が、第２のグループ管理機能エンティティとして使用されるグループ管理機能エンティティを提供する。当該グループ管理機能エンティティは、第１のＵＥによって送信され、かつ第１のグループ管理機能エンティティによって転送されるグループ再編成構築メッセージを受信するよう構成される受信機であって、グループ再編成構築メッセージは、Ｎ個のＭＣＰＴＴグループの識別子を含み、グループ再編成構築メッセージは、第１のＭＣＰＴＴユーザによって開始されるテンポラリグループであり、かつＮ個のＭＣＰＴＴグループが再編成されるテンポラリグループを、Ｎ個のＭＣＰＴＴグループの識別子に従って構築するよう第１のグループ管理機能エンティティに要求するために使用され、第２のグループ管理機能エンティティは、Ｎ個のＭＣＰＴＴグループのうちの少なくとも１つのＭＣＰＴＴグループを管理し、第１のグループ管理機能エンティティは、第１のＭＣＰＴＴユーザのホームネットワークにおけるグループ管理機能エンティティであり、第１のＭＣＰＴＴユーザは、Ｎ個のＭＣＰＴＴグループのうちの少なくとも１つのＭＣＰＴＴグループに属する、受信機と、グループ再編成応答メッセージを第１のグループ管理機能エンティティに送信するよう構成される送信機とを備える。
【００６０】
第９態様の第１の考えられる実装例において、グループ再編成応答メッセージはさらに、第２のグループ管理機能エンティティによって管理される、Ｎ個のＭＣＰＴＴグループのうちの少なくとも１つのＭＣＰＴＴグループ内のＭＣＰＴＴユーザに関する情報を含む。
【００６１】
第９態様、または第９態様の第１の考えられる実装例に関連して、第９態様の第２の考えられる実装例において、受信機はさらに、送信機がグループ再編成応答メッセージを第１のグループ管理機能エンティティに送信した後、第１のグループ管理機能エンティティによって送信されるグループ再編成情報を受信するよう構成され、グループ再編成情報は、テンポラリグループの識別子を含み、送信機はさらに、グループ再編成情報を第２のＵＥに送信するよう構成され、第２のＵＥは、第２のＭＣＰＴＴユーザによって使用されるＵＥであり、第２のＭＣＰＴＴユーザは、第２のグループ管理機能エンティティによって管理される、Ｎ個のＭＣＰＴＴグループのうちの少なくとも１つのＭＣＰＴＴグループ内の任意のＭＣＰＴＴユーザである。
【００６２】
第９態様の第２の考えられる実装例に関連して、第９態様の第３の考えられる実装例において、受信機はさらに、第１のグループ管理機能エンティティによって送信されるグループ再編成解除通知情報を受信するよう構成され、グループ再編成解除通知情報は、テンポラリグループの識別子を含み、グループ再編成解除通知情報は、テンポラリグループの識別子に従ってグループ再編成情報を削除するよう命令するために使用され、
送信機はさらに、グループ再編成解除通知情報を第２のＵＥに送信するよう構成される。
【００６３】
第９態様の第３の考えられる実装例に関連して、第９態様の第４の考えられる実装例において、グループ管理機能エンティティはさらに、受信機が第１のグループ管理機能エンティティによって送信されるグループ再編成解除通知情報を受信した後、グループ再編成情報を削除するよう構成されるプロセッサを備える。
【００６４】
本発明の実施形態において提供される、複数のグループを再編成するための方法およびデバイスによると、第１のグループ管理機能エンティティが、第１のＵＥによって送信されるグループ再編成構築メッセージを受信し、ここで、グループ再編成構築メッセージは、Ｎ個のＭＣＰＴＴグループの識別子を含み、また、グループ再編成構築メッセージは、第１のＭＣＰＴＴユーザによって開始されるテンポラリグループであり、かつＮ個のＭＣＰＴＴグループが再編成されるテンポラリグループを、Ｎ個のＭＣＰＴＴグループの識別子に従って構築するよう第１のグループ管理機能エンティティに要求するために使用され、次に、第１のグループ管理機能エンティティは、Ｎ個のＭＣＰＴＴグループが再編成されるテンポラリグループの識別子と、Ｎ個のＭＣＰＴＴグループの識別子とを含むテンポラリグループに関する情報を設定し、これにより、Ｎ個のＭＣＰＴＴグループを再編成する。ゆえに、Ｎ個のＭＣＰＴＴグループ内のＭＣＰＴＴユーザが、Ｎ個のＭＣＰＴＴグループが再編成されるテンポラリグループに属し、これにより、Ｎ個のＭＣＰＴＴグループが再編成される同一のテンポラリグループに属するＭＣＰＴＴユーザによって使用されるＵＥが互いに通信できる。
【図面の簡単な説明】
【００６５】
本発明の実施形態における、または従来技術における技術的解決手段をより明確に説明すべく、実施形態または従来技術を説明するために必要な添付の図面を以下で簡潔に説明する。明らかに、以下の説明における添付の図面は本発明の一部の実施形態を示し、当業者ならば、創造的な努力なくこれらの添付の図面からさらに他の図面を導き得る。
【図１】本発明に係る、複数のグループを再編成するための方法の実施形態１のフローチャートである。
【図２】本発明に係る、複数のグループを再編成するための方法の実施形態２のフローチャートである。
【図３】本発明に係る、複数のグループを再編成するための方法の実施形態３のフローチャートである。
【図４】本発明に係る、複数のグループを再編成するための方法の実施形態４のフローチャートである。
【図５】本発明に係る、複数のグループを再編成するための方法の実施形態５のフローチャートである。
【図６】本発明に係る、複数のグループを再編成するための方法の実施形態６のフローチャートである。
【図７】本発明に係る、複数のグループを再編成するための方法の実施形態７のフローチャートである。
【図８】本発明に係るグループ管理機能エンティティの実施形態１の概略構造図である。
【図９】本発明に係るＵＥの実施形態１の概略構造図である。
【図１０】本発明に係るグループ管理機能エンティティの実施形態２の概略構造図である。
【図１１】本発明に係るグループ管理機能エンティティの実施形態３の概略構造図である。
【図１２】本発明に係るＵＥの実施形態２の概略構造図である。
【図１３】本発明に係るグループ管理機能エンティティの実施形態４の概略構造図である。
【発明を実施するための形態】
【００６６】
本発明の実施形態の目的、技術的解決手段、および利点をより明確にすべく、本発明の実施形態における添付の図面に関連して本発明の実施形態における技術的解決手段を以下で明確かつ完全に説明する。明らかに、説明される実施形態は、本発明の実施形態の一部であり全てではない。創造的な努力なく本発明の実施形態に基づいて当業者によって得られる他の全ての実施形態は、当然本発明の保護範囲に含まれる。
【００６７】
図１は、本発明に係る、複数のグループを再編成するための方法の実施形態１のフローチャートである。図１に示されるように、本実施形態の方法は、以下の段階を備えてよい。
【００６８】
Ｓ１０１：第１のグループ管理機能エンティティが、第１のＵＥによって送信されるグループ再編成構築メッセージを受信する。ここで、グループ再編成構築メッセージは、Ｎ個のＭＣＰＴＴグループの識別子を含み、グループ再編成構築メッセージは、第１のＭＣＰＴＴユーザによって開始されるテンポラリグループであり、かつＮ個のＭＣＰＴＴグループが再編成されるテンポラリグループを、Ｎ個のＭＣＰＴＴグループの識別子に従って構築するよう第１のグループ管理機能エンティティに要求するために使用される。
【００６９】
本実施形態において、第１のグループ管理機能エンティティは、第１のＭＣＰＴＴユーザのホームネットワークにおけるグループ管理機能エンティティである。第１のグループ管理機能エンティティは、第１のＵＥによって送信されるグループ再編成構築メッセージを受信する。グループ再編成構築メッセージは、Ｎ個のＭＣＰＴＴグループの識別子を含み、グループ再編成構築メッセージは、第１のＭＣＰＴＴユーザによって開始されるテンポラリグループであり、かつＮ個のＭＣＰＴＴグループが再編成されるテンポラリグループを、Ｎ個のＭＣＰＴＴグループの識別子に従って構築するよう第１のグループ管理機能エンティティに要求するために使用される。各ＭＣＰＴＴグループは、少なくとも一人のＭＣＰＴＴユーザを含む。第１のＭＣＰＴＴユーザは、Ｎ個のＭＣＰＴＴグループのうちの少なくとも１つのＭＣＰＴＴグループに属する。すなわち、第１のＭＣＰＴＴユーザは、同時にＮ個のＭＣＰＴＴグループのうちの複数のＭＣＰＴＴグループに属してよい。
【００７０】
Ｓ１０２：第１のグループ管理機能エンティティが、テンポラリグループに関する情報を設定する。ここで、テンポラリグループに関する情報は、Ｎ個のＭＣＰＴＴグループが再編成されるテンポラリグループの識別子と、Ｎ個のＭＣＰＴＴグループの識別子とを含む。
【００７１】
本実施形態において、第１のＵＥによって送信されるグループ再編成構築メッセージを受信した後、第１のグループ管理機能エンティティは、Ｎ個のＭＣＰＴＴグループをあるグループへと再編成してよい。ここで、再編成後取得される当該グループは、テンポラリグループと称される。第１のグループ管理機能エンティティはさらに、テンポラリグループの識別子を設定してよく、次に、テンポラリグループに関する情報が生成されてよい。本実施形態において、第１のグループ管理機能エンティティは、Ｎ個のＭＣＰＴＴが再編成されるテンポラリグループが構築されたことを示す、テンポラリグループに関する情報の設定（ｃｏｎｆｉｇｕｒａｔｉｏｎ）を完了する。
【００７２】
本実施形態において提供される複数のグループを再編成するための方法によると、第１のグループ管理機能エンティティが、第１のＵＥによって送信されるグループ再編成構築メッセージを受信し、ここで、グループ再編成構築メッセージは、Ｎ個のＭＣＰＴＴグループの識別子を含み、グループ再編成構築メッセージは、第１のＭＣＰＴＴユーザによって開始されるテンポラリグループであり、かつＮ個のＭＣＰＴＴグループが再編成されるテンポラリグループを、Ｎ個のＭＣＰＴＴグループの識別子に従って構築するよう第１のグループ管理機能エンティティに要求するために使用され、次に、第１のグループ管理機能エンティティは、テンポラリグループに関する情報を設定し、ここで、テンポラリグループに関する情報は、Ｎ個のＭＣＰＴＴグループが再編成されるテンポラリグループの識別子と、Ｎ個のＭＣＰＴＴグループの識別子とを含み、これにより、Ｎ個のＭＣＰＴＴグループを再編成する。ゆえに、Ｎ個のＭＣＰＴＴグループ内のＭＣＰＴＴユーザが、Ｎ個のＭＣＰＴＴグループが再編成されるテンポラリグループに属し、これにより、Ｎ個のＭＣＰＴＴグループが再編成される同一のテンポラリグループに属するＭＣＰＴＴユーザによって使用されるＵＥが互いに通信できる。
【００７３】
任意選択で、テンポラリグループに関する情報を設定した後、第１のグループ管理機能エンティティはさらに、グループ再編成完了メッセージを第１のＵＥに送信してよい。グループ再編成完了メッセージは、Ｎ個のＭＣＰＴＴグループの再編成が完了したことを示すために使用される。それに対応して、第１のＵＥは、第１のグループ管理機能エンティティによって送信されるグループ再編成完了メッセージを受信し、Ｎ個のＭＣＰＴＴグループの再編成が完了したことを知る。
【００７４】
任意選択で、第１のグループ管理機能エンティティによって設定されたテンポラリグループに関する情報はさらに、Ｎ個のＭＣＰＴＴグループのうちの少なくとも１つのＭＣＰＴＴグループ内のＭＣＰＴＴユーザに関する情報、テンポラリグループの優先度、またはテンポラリグループのセキュリティレベルのうちの少なくとも１つを含む。
【００７５】
図２は、本発明に係る、複数のグループを再編成する方法の実施形態２のフローチャートである。図２に示されるように、本実施形態の方法は、以下の段階を含んでよい。
【００７６】
Ｓ２０１：第１のＵＥが、グループ再編成構築メッセージを生成する。ここで、グループ再編成構築メッセージは、Ｎ個のＭＣＰＴＴグループの識別子を含み、グループ再編成構築メッセージは、第１のＭＣＰＴＴユーザによって開始されるテンポラリグループであり、かつＮ個のＭＣＰＴＴグループが再編成されるテンポラリグループを、Ｎ個のＭＣＰＴＴグループの識別子に従って構築するよう第１のグループ管理機能エンティティに要求するために使用される。
【００７７】
本実施形態において、第１のＵＥは、第１のＭＣＰＴＴユーザによって使用されるＵＥである。第１のＭＣＰＴＴユーザがＮ個のＭＣＰＴＴグループの再編成を開始する場合、第１のＵＥは、第１のＭＣＰＴＴユーザがＮ個のＭＣＰＴＴグループの再編成を開始すると決定してよい。第１のＵＥは、グループ再編成構築メッセージを生成してよい。グループ再編成構築メッセージは、第１のＭＣＰＴＴユーザによって開始されるテンポラリグループであり、かつＮ個のＭＣＰＴＴグループが再編成されるテンポラリグループを構築するよう第１のグループ管理機能エンティティに要求するために使用される。第１のグループ管理機能エンティティは、第１のＭＣＰＴＴユーザのホームネットワークにおけるグループ機能管理エンティティである。Ｎは、２より大きいか、またはそれに等しい整数である。各ＭＣＰＴＴグループは、少なくとも一人のＭＣＰＴＴユーザを含む。第１のＭＣＰＴＴユーザは、同時に少なくとも１つのＭＣＰＴＴグループに属してよく、ゆえに、第１のＭＣＰＴＴユーザが属するＭＣＰＴＴグループが、Ｎ個のＭＣＰＴＴグループのうちの少なくとも１つのＭＣＰＴＴグループである。
【００７８】
Ｓ２０２：第１のＵＥが、グループ再編成構築メッセージを第１のグループ管理機能エンティティに送信する。
【００７９】
本実施形態において、グループ再編成構築メッセージを生成した後、第１のＵＥは、グループ再編成構築メッセージを第１のグループ管理機能エンティティに送信し、これにより、グループ再編成構築メッセージの受信後、第１のグループ管理機能エンティティは、Ｎ個のＭＣＰＴＴグループが再編成されるテンポラリグループに関する情報であって、テンポラリグループの識別子とＮ個のＭＣＰＴＴグループの識別子とを含むテンポラリグループに関する情報をグループ再編成構築メッセージに従って設定し、これにより、Ｎ個のＭＣＰＴＴグループを再編成する。
【００８０】
本実施形態において提供される複数のグループを再編成するための方法によると、第１のＵＥがグループ再編成構築メッセージを生成し、ここで、グループ再編成構築メッセージは、Ｎ個のＭＣＰＴＴグループの識別子を含み、グループ再編成構築メッセージは、第１のＭＣＰＴＴユーザによって開始されるテンポラリグループであり、かつＮ個のＭＣＰＴＴグループが再編成されるテンポラリグループを、Ｎ個のＭＣＰＴＴグループの識別子に従って構築するよう第１のグループ管理機能エンティティに要求するために使用され、次に、第１のＵＥは、グループ再編成構築メッセージを第１のＭＣＰＴＴユーザのホームネットワークにおけるグループ機能管理エンティティである第１のグループ管理機能エンティティに送信し、これにより、第１のグループ管理機能エンティティは、テンポラリグループに関する情報を設定し、これにより、Ｎ個のＭＣＰＴＴグループを再編成する。ゆえに、Ｎ個のＭＣＰＴＴグループ内のＭＣＰＴＴユーザが、Ｎ個のＭＣＰＴＴグループが再編成されるテンポラリグループに属し、これにより、Ｎ個のＭＣＰＴＴグループが再編成される同一のテンポラリグループに属するＭＣＰＴＴユーザによって使用されるＵＥが互いに通信できる。
【００８１】
任意選択で、第１のＵＥがグループ再編成構築メッセージを第１のグループ管理機能エンティティに送信した後、第１のＵＥは、第１のグループ管理機能エンティティによって送信されるグループ再編成完了メッセージを受信する。グループ再編成完了メッセージは、Ｎ個のＭＣＰＴＴグループの再編成が完了したことを示すために使用される。ゆえに、第１のＵＥは、Ｎ個のＭＣＰＴＴグループの再編成が完了したことをグループ再編成完了メッセージに従って知り得る。
【００８２】
任意選択で、グループ再編成構築メッセージを第１のグループ管理機能エンティティに送信した後、第１のＵＥはさらに、第１のグループ管理機能エンティティによって送信されるグループ再編成情報を受信してよい。グループ再編成情報は、Ｎ個のＭＣＰＴＴグループが再編成されるテンポラリグループの識別子を含む。
【００８３】
任意選択で、第１のグループ管理機能エンティティによって設定されるテンポラリグループに関する情報はさらに、Ｎ個のＭＣＰＴＴグループのうちの少なくとも１つのＭＣＰＴＴグループ内のＭＣＰＴＴユーザに関する情報、テンポラリグループの優先度、またはテンポラリグループのセキュリティレベルのうちの少なくとも１つを含む。ゆえに、グループ再編成情報はさらに、Ｎ個のＭＣＰＴＴグループのうちの少なくとも１つのＭＣＰＴＴグループ内のＭＣＰＴＴユーザに関する情報、テンポラリグループの優先度、またはテンポラリグループのセキュリティレベルのうちの少なくとも１つを含んでよい。
【００８４】
任意選択で、グループ再編成情報内の、Ｎ個のＭＣＰＴＴグループのうちの少なくとも１つのＭＣＰＴＴグループ内のＭＣＰＴＴユーザに関する情報は、第１のグループ管理機能エンティティによって管理される、Ｎ個のＭＣＰＴＴグループのうちの少なくとも１つのＭＣＰＴＴグループ内のＭＣＰＴＴユーザに関する情報を含んでよく、または、第１のグループ管理機能エンティティによって管理されるＭＣＰＴＴグループではない、Ｎ個のＭＣＰＴＴグループのうちの少なくとも１つのＭＣＰＴＴグループ内のＭＣＰＴＴユーザに関する情報を含んでよい。
【００８５】
図３は、本発明に係る、複数のグループを再編成するための方法の実施形態３のフローチャートである。図３に示されるように、本実施形態において、Ｎ個のＭＣＰＴＴグループのうちの少なくとも１つのＭＣＰＴＴグループは、第１のグループ管理機能エンティティによって管理されるＭＣＰＴＴグループではない。ここで、Ｎ個のＭＣＰＴＴグループのうちの少なくとも１つのＭＣＰＴＴグループは、第１のＭＣＰＴＴグループと称される。すなわち、第１のグループ管理機能エンティティは、第１のＭＣＰＴＴグループではない、Ｎ個のＭＣＰＴＴグループのうちのあるＭＣＰＴＴグループを管理する。本実施形態の方法は、以下の段階を含んでよい。
【００８６】
Ｓ３０１：第１のＵＥが、グループ再編成構築メッセージを生成する。
【００８７】
グループ再編成構築メッセージは、Ｎ個のＭＣＰＴＴグループの識別子を含み、グループ再編成構築メッセージは、第１のＭＣＰＴＴユーザによって開始されるテンポラリグループであり、かつＮ個のＭＣＰＴＴグループが再編成されるテンポラリグループを、Ｎ個のＭＣＰＴＴグループの識別子に従って構築するよう第１のグループ管理機能エンティティに要求するために使用される。Ｎは、２より大きいか、またはそれに等しい整数である。第１のＵＥは、第１のＭＣＰＴＴユーザによって使用されるＵＥである。第１のＭＣＰＴＴユーザは、Ｎ個のＭＣＰＴＴグループのうちの少なくとも１つのＭＣＰＴＴグループに属する。
【００８８】
Ｓ３０２：第１のＵＥが、グループ再編成構築メッセージを第１のグループ管理機能エンティティに送信する。
【００８９】
各ＭＣＰＴＴグループは、少なくとも一人のＭＣＰＴＴユーザを含む。第１のグループ管理機能エンティティは、第１のＭＣＰＴＴユーザのホームネットワークにおけるグループ管理機能エンティティである。
【００９０】
本実施形態において、Ｓ３０１およびＳ３０２の具体的な実装プロセスについては、本発明の方法の実施形態２における関連する説明を参照されたい。詳細はここでは再度説明しない。
【００９１】
第１のＭＣＰＴＴグループは、第１のグループ機能管理エンティティによって管理されるＭＣＰＴＴグループではなく、第１のＭＣＰＴＴグループの各ＭＣＰＴＴグループを管理する少なくとも１つのグループ管理機能エンティティが存在する。ここでは、例として第１のＭＣＰＴＴグループのうちの少なくとも１つのＭＣＰＴＴグループを管理する任意のグループ管理機能エンティティが使用されて、Ｓ３０３およびＳ３０４を実行する。当該任意のグループ管理機能エンティティは、第２のグループ管理機能エンティティと称される。別のグループ管理機能エンティティに対応する動作は同様である。詳細はここでは再度説明しない。
【００９２】
Ｓ３０３：第１のグループ管理機能エンティティが、グループ再編成構築メッセージを第２のグループ管理機能エンティティに送信する。
【００９３】
Ｓ３０４：第２のグループ管理機能エンティティが、グループ再編成応答メッセージを第１のグループ管理機能エンティティに送信する。
【００９４】
本実施形態において、第２のグループ管理機能エンティティが、第１のグループ管理機能エンティティによって送信されるグループ再編成構築メッセージを受信した後、第２のグループ管理機能エンティティは、グループ再編成応答メッセージを第１のグループ管理機能エンティティに送信し、これにより、第１のグループ管理機能エンティティは、第２のグループ管理機能エンティティによって送信されるグループ再編成応答メッセージを受信できる。グループ再編成応答メッセージは、Ｎ個のＭＣＰＴＴグループの再編成が完了したことを示すために使用されてよい。
【００９５】
任意選択で、グループ再編成応答メッセージを第１のグループ管理機能エンティティに送信する前、第２のグループ管理機能エンティティはさらに、Ｎ個のＭＣＰＴＴグループを再編成することに同意すると決定してよく、このことは具体的に、グループ管理機能エンティティによって管理される、第１のＭＣＰＴＴグループのうちの少なくとも１つのＭＣＰＴＴグループの所有者または管理者またはＭＣＰＴＴユーザの許可をグループ管理機能エンティティが求めることであってよい。
【００９６】
Ｓ３０５：第１のグループ管理機能エンティティが、受信されたグループ再編成応答メッセージに従ってテンポラリグループに関する情報を設定する。
【００９７】
本実施形態において、上述のものは、第２のグループ管理機能エンティティがグループ再編成応答メッセージを第１のグループ管理機能エンティティに送信することのみを説明しているが、別のグループ管理機能エンティティもまたグループ再編成応答メッセージを第１のグループ管理機能エンティティに送信する。ゆえに、第１のグループ管理機能エンティティは、少なくとも１つのグループ管理機能エンティティによって送信されるグループ再編成応答メッセージを受信してよく、次に、第１のグループ管理機能エンティティは、テンポラリグループに関する情報を設定してよい。
【００９８】
任意選択で、Ｓ３０５を実行する前、第１のグループ管理機能エンティティはさらに、Ｎ個のＭＣＰＴＴグループの再編成に同意すると決定してよい。任意選択の実装例は、第１のグループ管理機能エンティティが、第１のＭＣＰＴＴグループではない、Ｎ個のＭＣＰＴＴグループのうちのあるＭＣＰＴＴグループの所有者または管理者またはＭＣＰＴＴユーザの許可を求めることであってよい。ここで、第１のＭＣＰＴＴグループではない、Ｎ個のＭＣＰＴＴグループのうちの当該ＭＣＰＴＴグループは、第１のグループ管理機能エンティティによって管理されるＭＣＰＴＴグループである。
【００９９】
任意選択で、第１のグループ管理機能エンティティによって設定されるテンポラリグループに関する情報はさらに、テンポラリグループの優先度、およびテンポラリグループのセキュリティレベルのうちの少なくとも１つを含む。
【０１００】
任意選択で、第１のグループ管理機能エンティティによって設定されるテンポラリグループに関する情報はさらに、第１のＭＣＰＴＴグループではない、Ｎ個のＭＣＰＴＴグループのうちのあるＭＣＰＴＴグループ内のＭＣＰＴＴユーザに関する情報を含む。
【０１０１】
任意選択で、グループ再編成応答メッセージはさらに、第２のグループ管理機能エンティティによって管理される、第１のＭＣＰＴＴグループのうちの少なくとも１つのＭＣＰＴＴグループ内のＭＣＰＴＴユーザに関する情報を含み、それに対応して、テンポラリグループに関する情報を設定する場合、第１のグループ管理機能エンティティはまた、グループ再編成応答メッセージに含まれる情報をテンポラリグループに関する情報に追加してよく、これにより、テンポラリグループに関する情報はさらに、第２のグループ管理機能エンティティによって管理される、第１のＭＣＰＴＴグループのうちの少なくとも１つのＭＣＰＴＴグループ内のＭＣＰＴＴユーザに関する情報を含む。
【０１０２】
例えば、第１のＭＣＰＴＴグループを管理するグループ管理機能エンティティが２つ存在する場合、２つのグループ管理機能エンティティの両方が、２つのグループ管理機能エンティティのいずれかによって管理されるＭＣＰＴＴグループ内のＭＣＰＴＴユーザに関する情報を第１のグループ管理機能エンティティが共有することを許可しないときには、２つのグループ管理機能エンティティによって送信されるグループ再編成応答メッセージは、２つのグループ管理機能エンティティのいずれかによって管理されるＭＣＰＴＴグループ内のＭＣＰＴＴユーザに関する情報を含まない。２つのグループ管理機能エンティティの両方が、２つのグループ管理機能エンティティのいずれかによって管理されるＭＣＰＴＴグループ内のＭＣＰＴＴユーザに関する情報を第１のグループ管理機能エンティティが共有することを許可するときには、２つのグループ管理機能エンティティによって送信されるグループ再編成応答メッセージは、２つのグループ管理機能エンティティのいずれかによって管理されるＭＣＰＴＴグループ内のＭＣＰＴＴユーザに関する情報を含む。２つのグループ管理機能エンティティのうちの一方が、当該一方のグループ管理機能エンティティによって管理されるＭＣＰＴＴグループ内のＭＣＰＴＴユーザに関する情報を第１のグループ管理機能エンティティが共有することを許可する一方で、他方のグループ管理機能エンティティによって管理されるＭＣＰＴＴグループ内のＭＣＰＴＴユーザに関する情報を第１のグループ管理機能エンティティが共有することを当該他方のグループ管理機能エンティティが許可しないときには、当該一方のグループ管理機能エンティティによって送信されるグループ再編成応答メッセージは、当該一方のグループ管理機能エンティティによって管理されるＭＣＰＴＴグループ内のＭＣＰＴＴユーザに関する情報を含む一方で、当該他方のグループ管理機能エンティティによって送信されるグループ再編成応答メッセージは、当該他方のグループ管理機能エンティティによって管理されるＭＣＰＴＴグループ内のＭＣＰＴＴユーザに関する情報を含まない。
【０１０３】
本実施形態において、テンポラリグループに関する情報を設定した後、第１のグループ管理機能エンティティは、グループ再編成情報を、Ｎ個のＭＣＰＴＴグループ内の任意のＭＣＰＴＴユーザによって使用されるＵＥに送信してよい。ここでは、当該任意のＭＣＰＴＴユーザは、第２のＭＣＰＴＴユーザと称され、第２のＭＣＰＴＴユーザによって使用されるＵＥは第２のＵＥと称される。第２のＭＣＰＴＴユーザは、説明のための例として使用され、別のＭＣＰＴＴユーザについての手順は同様である。詳細はここでは再度説明しない。
【０１０４】
Ｓ３０６：第１のグループ管理機能エンティティが、グループ再編成情報を第２のＵＥに送信する。
【０１０５】
本実施形態において、テンポラリグループに関する情報を設定した後、第１のグループ管理機能エンティティは、送信予定のグループ再編成情報をテンポラリグループに関する情報に従って決定し、次に、グループ再編成情報を第２のＵＥに送信する。グループ再編成情報は、テンポラリグループの識別子を含む。
【０１０６】
任意選択で、グループ管理情報はさらに、Ｎ個のＭＣＰＴＴグループの識別子を含む。
【０１０７】
任意選択で、グループ再編成情報はさらに、Ｎ個のＭＣＰＴＴグループのうちの少なくとも１つのＭＣＰＴＴグループ内のＭＣＰＴＴユーザに関する情報を含む。すなわち、グループ再編成情報はさらに、テンポラリグループに関する情報に少なくとも１つのＭＣＰＴＴグループ内のＭＣＰＴＴユーザに関する情報を含む。任意選択で、グループ再編成情報はさらに、テンポラリグループの優先度を含む。
【０１０８】
任意選択で、グループ再編成情報はさらに、テンポラリグループのセキュリティレベルを含む。任意選択で、グループ再編成情報とは、テンポラリグループに関する情報である。
【０１０９】
任意選択の実装例において、第１のグループ管理機能エンティティが第２のＭＣＰＴＴユーザに関する情報を取得し得る場合、第１のグループ管理機能エンティティは、第２のＭＣＰＴＴユーザに関する情報とテンポラリグループに関する情報とに従ってグループ再編成情報を第２のＵＥに送信する。例えば、第１のグループ管理機能エンティティが、Ｎ個のＭＣＰＴＴグループ内の第２のＭＣＰＴＴユーザが属するＭＣＰＴＴグループを管理する場合、第１のグループ管理機能エンティティは、第２のＭＣＰＴＴユーザに関する情報を取得してよく、または、第１のグループ管理機能エンティティが、Ｎ個のＭＣＰＴＴグループ内の第２のＭＣＰＴＴユーザが属するＭＣＰＴＴグループを管理しない場合、第１のグループ管理機能エンティティは、第２のＭＣＰＴＴユーザが属するＭＣＰＴＴグループを管理するグループ管理機能エンティティから第２のＭＣＰＴＴユーザに関する情報を取得してよい。
【０１１０】
第２の任意選択の実装例において、Ｎ個のＭＣＰＴＴグループ内の第２のＭＣＰＴＴユーザが属するＭＣＰＴＴグループが第１のグループ管理機能エンティティによって管理されるＭＣＰＴＴグループではない場合、第１のグループ管理機能エンティティは、第２のＭＣＰＴＴユーザが属するＭＣＰＴＴグループのグループ管理機能エンティティを使用することによってグループ再編成情報を第２のＵＥに送信してよい。具体的には、第１のグループ管理機能エンティティは、グループ再編成情報を第２のＭＣＰＴＴユーザが属するＭＣＰＴＴグループのグループ管理機能エンティティに送信する。ここで、グループ再編成情報はテンポラリグループの識別子を含む。グループ再編成情報の受信後、第２のＭＣＰＴＴユーザが属するＭＣＰＴＴグループのグループ管理機能エンティティは、グループ再編成情報を第２のＭＣＰＴＴユーザによって使用される第２のＵＥに送信してよい。第２のＭＣＰＴＴユーザが属するＭＣＰＴＴグループのグループ管理機能エンティティは、Ｎ個のＭＣＰＴＴグループのうちの少なくとも１つのＭＣＰＴＴグループを管理してよい。ここで、少なくとも１つのＭＣＰＴＴグループは、少なくとも一人のＭＣＰＴＴユーザを含んでよい。ゆえに、第２のＭＣＰＴＴユーザが属するＭＣＰＴＴグループのグループ管理機能エンティティはさらに、グループ再編成情報を第２のＭＣＰＴＴユーザ以外のＭＣＰＴＴユーザによって使用されるＵＥに送信してよい。任意選択で、グループ再編成情報の受信後、第２のＭＣＰＴＴユーザが属するＭＣＰＴＴグループのグループ管理機能エンティティは、グループ再編成情報を格納してよい。
【０１１１】
Ｓ３０７：第１のグループ管理機能エンティティが、グループ再編成完了メッセージを第１のＵＥに送信する。
【０１１２】
本実施形態において、Ｓ３０７の具体的な実装プロセスについては、本発明の上述した方法の実施形態における関連する説明を参照されたい。詳細はここでは再度説明しない。
【０１１３】
本実施形態において提供される、複数のグループを再編成するための方法によると、第１のＵＥが、グループ再編成構築メッセージを第１のグループ管理機能エンティティに送信する。第１のグループ管理機能エンティティは、グループ再編成構築メッセージを、Ｎ個のＭＣＰＴＴグループのうちの他のＭＣＰＴＴグループのグループ管理機能エンティティに送信し、次に、これらのグループ管理機能エンティティによって送信されるグループ再編成応答メッセージを受信する。第１のグループ管理機能エンティティは、受信されたグループ再編成応答メッセージに従ってテンポラリグループに関する情報を設定し、テンポラリグループに関する情報に従って、Ｎ個のＭＣＰＴＴグループ内の任意のＭＣＰＴＴユーザによって使用されるＵＥにグループ再編成情報を送信し、これにより、Ｎ個のＭＣＰＴＴグループを再編成する。ゆえに、Ｎ個のＭＣＰＴＴグループ内のＭＣＰＴＴユーザが、Ｎ個のＭＣＰＴＴグループが再編成されるテンポラリグループに属し、これにより、Ｎ個のＭＣＰＴＴグループが再編成される同一のテンポラリグループに属するＭＣＰＴＴユーザによって使用されるＵＥが互いに通信できる。
【０１１４】
図４は、本発明に係る、複数のグループを再編成するための方法の実施形態４のフローチャートである。図４に示されるように、本実施形態において、Ｎ個のＭＣＰＴＴグループは、第１のグループ管理機能エンティティによって管理されるＭＣＰＴＴグループである。すなわち、第１のグループ管理機能エンティティはＮ個のＭＣＰＴＴグループを管理する。本実施形態の方法は、以下の段階を備えてよい。
【０１１５】
Ｓ４０１：第１のＵＥが、グループ再編成構築メッセージを生成する。
【０１１６】
グループ再編成構築メッセージは、Ｎ個のＭＣＰＴＴグループの識別子を含み、グループ再編成構築メッセージは、第１のＭＣＰＴＴユーザによって開始されるテンポラリグループであり、かつＮ個のＭＣＰＴＴグループが再編成されるテンポラリグループを、Ｎ個のＭＣＰＴＴグループの識別子に従って構築するよう第１のグループ管理機能エンティティに要求するために使用される。Ｎは、２より大きいか、またはそれに等しい整数である。第１のＵＥは、第１のＭＣＰＴＴユーザによって使用されるＵＥである。第１のグループ管理機能エンティティは、第１のＭＣＰＴＴユーザのホームネットワークにおけるグループ管理機能エンティティである。
【０１１７】
Ｓ４０２：第１のＵＥが、グループ再編成構築メッセージを第１のグループ管理機能エンティティに送信する。各ＭＣＰＴＴグループは、少なくとも一人のＭＣＰＴＴユーザを含む。
【０１１８】
本実施形態において、Ｓ４０１およびＳ４０２の具体的な実装プロセスについては、本発明の方法の実施形態３における関連する説明を参照されたい。詳細はここでは再度説明しない。
【０１１９】
Ｓ４０３：第１のグループ管理機能エンティティが、テンポラリグループに関する情報を設定する。
【０１２０】
本実施形態において、第１のグループ管理機能エンティティは、Ｎ個のＭＣＰＴＴグループを管理するグループ管理機能エンティティである。ゆえに、第１のグループ管理機能エンティティは、Ｎ個のＭＣＰＴＴグループ内のＭＣＰＴＴユーザに関する情報を取得してよく、Ｎ個のＭＣＰＴＴグループが再編成されるテンポラリグループの識別子を設定し、次に、テンポラリグループに関する情報を生成してよい。テンポラリグループに関する情報は、Ｎ個のＭＣＰＴＴグループが再編成されるテンポラリグループの識別子、Ｎ個のＭＣＰＴＴグループの識別子、およびＮ個のＭＣＰＴＴグループ内のＭＣＰＴＴユーザに関する情報を含む。
【０１２１】
任意選択で、テンポラリグループに関する情報はさらに、テンポラリグループの優先度およびテンポラリグループのセキュリティレベルのうちの少なくとも１つを含む。
【０１２２】
Ｓ４０４：第１のグループ管理機能エンティティが、グループ再編成情報を第２のＵＥに送信する。
【０１２３】
本実施形態において、第１のグループ管理機能エンティティは、テンポラリグループに関する情報に従って、送信される必要があるグループ再編成情報を決定してよい。第２のＭＣＰＴＴユーザは、Ｎ個のＭＣＰＴＴグループ内の任意のＭＣＰＴＴユーザであり、第２のＭＣＰＴＴユーザによって使用されるＵＥは、第２のＵＥと称される。第１のグループ管理機能エンティティは、Ｎ個のＭＣＰＴＴグループを管理し、ゆえに、第１のグループ管理機能エンティティは、第２のＭＣＰＴＴユーザに関する情報を取得してよく、次に、第２のＭＣＰＴＴユーザに関する情報に従ってグループ再編成情報を第２のＵＥに送信する。第１のグループ管理機能エンティティはさらに、第２のＭＣＰＴＴユーザではない、第１のＭＣＰＴＴグループ内のＭＣＰＴＴユーザによって使用されるＵＥにグループ再編成情報を送信してよい。第２のＭＣＰＴＴユーザはまた第１のＭＣＰＴＴユーザであってもよく、第２のＵＥはまた第１のＵＥであってもよいことに注意すべきである。
【０１２４】
任意選択で、グループ管理情報はさらに、Ｎ個のＭＣＰＴＴグループの識別子を含む。
【０１２５】
任意選択で、グループ再編成情報はさらに、Ｎ個のＭＣＰＴＴグループのうちの少なくとも１つのＭＣＰＴＴグループ内のＭＣＰＴＴユーザに関する情報を含む。すなわち、グループ再編成情報はさらに、テンポラリグループに関する情報に少なくとも１つのＭＣＰＴＴグループ内のＭＣＰＴＴユーザに関する情報を含む。任意選択で、グループ再編成情報はさらに、テンポラリグループの優先度を含む。
【０１２６】
任意選択で、グループ再編成情報はさらに、テンポラリグループのセキュリティレベルを含む。任意選択で、グループ再編成情報とは、テンポラリグループに関する情報である。
【０１２７】
Ｓ４０５：第１のグループ管理機能エンティティが、グループ再編成完了メッセージを第１のＵＥに送信する。
【０１２８】
本実施形態において、Ｓ４０５の具体的な実装プロセスについては、本発明の上述した方法の実施形態における関連する説明を参照されたい。詳細はここでは再度説明しない。
【０１２９】
本実施形態において提供される、複数のグループを再編成するための方法によると、第１のＵＥが、グループ再編成構築メッセージを第１のグループ管理機能エンティティに送信する。第１のグループ管理機能エンティティは、テンポラリグループに関する情報を設定し、次に、テンポラリグループに関する情報に従って、Ｎ個のＭＣＰＴＴグループ内の任意のＭＣＰＴＴユーザによって使用されるＵＥにグループ再編成情報を送信し、これにより、Ｎ個のＭＣＰＴＴグループを再編成する。ゆえに、Ｎ個のＭＣＰＴＴグループ内のＭＣＰＴＴユーザが、Ｎ個のＭＣＰＴＴグループが再編成されるテンポラリグループに属し、これにより、Ｎ個のＭＣＰＴＴグループが再編成される同一のテンポラリグループに属するＭＣＰＴＴユーザによって使用されるＵＥが互いに通信できる。
【０１３０】
図５は、本発明に係る、複数のグループを再編成するための方法の実施形態５のフローチャートである。図５に示されるように、図３に示される実施形態に基づいて、本実施形態の方法はさらに、以下の段階を備えてよい。
【０１３１】
Ｓ５０１：第１のＵＥが、グループ再編成解除メッセージを第１のグループ管理機能エンティティに送信する。
【０１３２】
本実施形態において、第１のＵＥを使用する第１のＭＣＰＴＴユーザが、Ｎ個のＭＣＰＴＴグループが再編成されるテンポラリグループの解除を開始すると第１のＵＥが決定した場合、第１のＵＥは、グループ再編成解除メッセージを第１のグループ管理機能エンティティに送信してよい。グループ再編成解除メッセージは、テンポラリグループの識別子を含み、グループ再編成解除メッセージは、テンポラリグループの識別子に従って、Ｎ個のＭＣＰＴＴグループが再編成されるテンポラリグループを解除するよう第１のグループ管理機能エンティティに要求するために使用される。
【０１３３】
Ｓ５０２：第１のグループ管理機能エンティティが、グループ再編成解除メッセージに従ってグループ再編成解除通知情報を第２のＵＥに送信する。
【０１３４】
本実施形態において、第１のＵＥによって送信されるグループ再編成解除メッセージを受信した後、第１のグループ管理機能エンティティは、グループ再編成解除通知情報を第２のＵＥに送信する。グループ再編成解除通知情報は、テンポラリグループの識別子を含み、グループ再編成解除通知情報は、受信されたグループ再編成情報をテンポラリグループの識別子に従って削除するよう第２のＵＥに命令するために使用される。
【０１３５】
任意選択の実装例において、第１のグループ管理機能エンティティが第２のＭＣＰＴＴユーザに関する情報を取得し得る場合、第１のグループ管理機能エンティティは、第２のＭＣＰＴＴユーザに関する情報とグループ再編成解除メッセージとに従ってグループ再編成解除通知情報を第２のＵＥに送信する。例えば、第１のグループ管理機能エンティティが、Ｎ個のＭＣＰＴＴグループ内の第２のＭＣＰＴＴユーザが属するＭＣＰＴＴグループを管理する場合、第１のグループ管理機能エンティティは、第２のＭＣＰＴＴユーザに関する情報を取得してよく、または、第１のグループ管理機能エンティティが、Ｎ個のＭＣＰＴＴグループ内の第２のＭＣＰＴＴユーザが属するＭＣＰＴＴグループを管理しない場合、第１のグループ管理機能エンティティは、第２のＭＣＰＴＴユーザが属するＭＣＰＴＴグループを管理するグループ管理機能エンティティから第２のＭＣＰＴＴユーザに関する情報を取得してよい。
【０１３６】
第２の任意選択の実装例において、Ｎ個のＭＣＰＴＴグループ内の第２のＭＣＰＴＴユーザが属するＭＣＰＴＴグループが第１のグループ管理機能エンティティによって管理されるＭＣＰＴＴグループではない場合、第１のグループ管理機能エンティティは、第２のＭＣＰＴＴユーザが属するＭＣＰＴＴグループのグループ管理機能エンティティを使用することによってグループ再編成解除通知情報を第２のＵＥに送信してよい。具体的には、第１のグループ管理機能エンティティは、グループ再編成解除通知情報を第２のＭＣＰＴＴユーザが属するＭＣＰＴＴグループのグループ管理機能エンティティに送信する。ここで、グループ再編成解除通知情報はテンポラリグループの識別子を含む。グループ再編成解除通知情報の受信後、第２のＭＣＰＴＴユーザが属するＭＣＰＴＴグループのグループ管理機能エンティティは、グループ再編成解除通知情報を第２のＭＣＰＴＴユーザによって使用される第２のＵＥに送信してよい。第２のＭＣＰＴＴユーザが属するＭＣＰＴＴグループのグループ管理機能エンティティは、Ｎ個のＭＣＰＴＴグループのうちの少なくとも１つのＭＣＰＴＴグループを管理してよい。ここで、少なくとも１つのＭＣＰＴＴグループは、少なくとも一人のＭＣＰＴＴユーザを含んでよい。ゆえに、第２のＭＣＰＴＴユーザが属するＭＣＰＴＴグループのグループ管理機能エンティティはさらに、グループ再編成解除通知情報を第２のＭＣＰＴＴユーザ以外のＭＣＰＴＴユーザによって使用されるＵＥに送信してよい。
【０１３７】
Ｓ５０３：第２のＵＥが、グループ再編成解除通知情報に従ってグループ再編成情報を削除する。
【０１３８】
第２のＭＣＰＴＴユーザが属するＭＣＰＴＴグループのグループ管理機能エンティティによって送信されるグループ再編成解除通知情報を受信した後、第２のＵＥは、受信されたグループ再編成解除通知情報に従ってグループ再編成情報を削除する。その結果、Ｎ個のＭＣＰＴＴグループが再編成されるテンポラリグループは解除される。
【０１３９】
任意選択で、第２のＵＥはさらに、第２のＭＣＰＴＴユーザが属するＭＣＰＴＴグループのグループ管理機能エンティティにグループ再編成解除応答情報を送信してよい。ここで、グループ再編成解除応答情報は、グループ再編成情報が削除されたことを示すために使用される。あるいは、第２のＭＣＰＴＴユーザが属するＭＣＰＴＴグループのグループ管理機能エンティティは、グループ再編成解除応答情報を第１のグループ管理機能エンティティに送信してよい。
【０１４０】
任意選択で、グループ再編成解除通知情報を受信した後、第２のＭＣＰＴＴユーザが属するＭＣＰＴＴグループのグループ管理機能エンティティは、グループ管理機能エンティティによって格納されるグループ再編成情報をグループ再編成解除通知情報に従って削除する。
【０１４１】
任意選択で、第１のグループ管理機能エンティティはさらに、グループ再編成解除完了メッセージを第１のＵＥに送信してよい。グループ再編成解除完了メッセージは、Ｎ個のＭＣＰＴＴグループが再編成されるテンポラリグループが解除されたことを示すために使用される。
【０１４２】
任意選択で、第１のＵＥによって送信されるグループ再編成解除メッセージを受信した後、第１のグループ管理機能エンティティは、第１のグループ管理機能エンティティによって格納されるテンポラリグループに関する情報をグループ再編成解除メッセージに従って削除してよい。
【０１４３】
本実施形態において提供される、複数のグループを再編成するための方法によると、第１のＵＥが、グループ再編成解除メッセージを第１のグループ管理機能エンティティに送信する。第１のグループ管理機能エンティティは、グループ再編成情報を削除するよう、Ｎ個のＭＣＰＴＴグループ内のＭＣＰＴＴユーザのＵＥにグループ再編成解除メッセージに従って命令し、これにより、Ｎ個のＭＣＰＴＴグループが再編成されるテンポラリグループを解除する。
【０１４４】
図６は、本発明に係る、複数のグループを再編成するための方法の実施形態６のフローチャートである。図６に示されるように、図４に示される実施形態に基づいて、本実施形態の方法はさらに、以下の段階を備えてよい。
【０１４５】
Ｓ６０１：第１のＵＥが、グループ再編成解除メッセージを第１のグループ管理機能エンティティに送信する。
【０１４６】
本実施形態において、Ｓ６０１の具体的な実装プロセスについては、本発明の方法の実施形態５における関連する説明を参照されたい。詳細はここでは再度説明しない。
【０１４７】
Ｓ６０２：第１のグループ管理機能エンティティが、グループ再編成解除通知情報を第２のＵＥに送信する。
【０１４８】
本実施形態において、第２のＭＣＰＴＴユーザは、Ｎ個のＭＣＰＴＴグループの任意のＭＣＰＴＴユーザである。第２のＭＣＰＴＴユーザについては、本発明の方法の実施形態４における関連する説明を参照されたい。詳細はここでは再度説明しない。第１のＭＣＰＴＴグループは、Ｎ個のＭＣＰＴＴグループ内のＭＣＰＴＴユーザに関する情報を取得してよく、ゆえに、第１のグループ管理機能エンティティは、第２のＭＣＰＴＴユーザに関する情報に従ってグループ再編成解除通知情報を第２のＵＥに送信してよい。グループ再編成解除通知情報は、テンポラリグループの識別子を含む。グループ再編成解除通知情報は、テンポラリグループの識別子に従ってグループ再編成情報を削除するよう第２のＵＥに命令するために使用される。第１のグループ管理機能エンティティはさらに、グループ再編成解除通知情報を第２のＭＣＰＴＴユーザ以外の第１のＭＣＰＴＴグループ内のＭＣＰＴＴユーザによって使用されるＵＥに送信してよい。
【０１４９】
Ｓ６０３：第２のＵＥが、グループ再編成解除通知情報に従ってグループ再編成情報を削除する。
【０１５０】
本実施形態において、第１のグループ管理機能エンティティによって送信されるグループ再編成解除通知情報を受信した後、第２のＵＥは、受信されたグループ再編成解除通知情報に従ってグループ再編成情報を削除する。任意選択で、第２のＵＥはさらに、グループ再編成解除応答情報を第１のグループ管理機能エンティティに送信してよい。グループ再編成解除応答情報は、グループ再編成情報が削除されたことを示すために使用される。
【０１５１】
任意選択で、第１のグループ管理機能エンティティはさらに、グループ再編成解除完了メッセージを第１のＵＥに送信してよい。グループ再編成解除完了メッセージは、Ｎ個のＭＣＰＴＴグループが再編成されるテンポラリグループが解除（ｒｅｌｅａｓｅ）されたことを示すために使用される。
【０１５２】
任意選択で、第１のＵＥによって送信される、グループ再編成解除メッセージを受信した後、第１のグループ管理機能エンティティは、第１のグループ管理機能エンティティによって格納されるテンポラリグループに関する情報をグループ再編成解除メッセージに従って削除してよい。
【０１５３】
本実施形態において提供される複数のグループを再編成するための方法によると、第１のＵＥが、グループ再編成解除メッセージを第１のグループ管理機能エンティティに送信する。第１のグループ管理機能エンティティは、グループ再編成情報を削除するよう、Ｎ個のＭＣＰＴＴグループ内のＭＣＰＴＴユーザによって使用されるＵＥにグループ再編成解除メッセージに従って命令し、これにより、Ｎ個のＭＣＰＴＴグループが再編成されるテンポラリグループを解除する。
【０１５４】
図７は、本発明に係る、複数のグループを再編成するための方法の実施形態７のフローチャートである。図７に示されるように、本実施形態の方法は、以下の段階を備えてよい。
【０１５５】
Ｓ７０１：第２のグループ管理機能エンティティが、第１のＵＥによって送信され、かつ第１のグループ管理機能エンティティによって転送されるグループ再編成構築メッセージを受信する。ここで、グループ再編成構築メッセージはＮ個のＭＣＰＴＴグループの識別子を含み、グループ再編成構築メッセージは、第１のＭＣＰＴＴユーザによって開始されるテンポラリグループであり、かつＮ個のＭＣＰＴＴグループが再編成されるテンポラリグループを、Ｎ個のＭＣＰＴＴグループの識別子に従って構築するよう第１のグループ管理機能エンティティに要求するために使用される。
【０１５６】
Ｎは、２より大きいか、またはそれに等しい整数である。各ＭＣＰＴＴグループは、少なくとも一人のＭＣＰＴＴユーザを含む。第１のグループ管理機能エンティティは、第１のＭＣＰＴＴユーザのホームネットワークにおけるグループ管理機能エンティティである。第２のグループ管理機能エンティティは、Ｎ個のＭＣＰＴＴグループのうちの少なくとも１つのＭＣＰＴＴグループを管理する。第１のＭＣＰＴＴユーザは、Ｎ個のＭＣＰＴＴグループのうちの少なくとも１つのＭＣＰＴＴグループに属する。
【０１５７】
Ｓ７０２：第２のグループ管理機能エンティティが、グループ再編成応答メッセージを第１のグループ管理機能エンティティに送信する。
【０１５８】
任意選択で、グループ再編成応答メッセージはさらに、第２のグループ管理機能エンティティによって管理される、Ｎ個のＭＣＰＴＴグループのうちの少なくとも１つのＭＣＰＴＴグループ内のＭＣＰＴＴユーザに関する情報を含む。
【０１５９】
本実施形態において、Ｓ７０１およびＳ７０２の具体的な実装プロセスについては、本発明の方法の実施形態３における第２のグループ管理機能エンティティに関連する説明を参照されたい。詳細はここでは再度説明しない。
【０１６０】
本実施形態において提供される、複数のグループを再編成するための方法によると、Ｎ個のＭＣＰＴＴグループの再編成は完了される。ゆえに、Ｎ個のＭＣＰＴＴグループ内のユーザが、Ｎ個のＭＣＰＴＴグループが再編成されるテンポラリグループに属し、これにより、Ｎ個のＭＣＰＴＴグループが再編成される同一のテンポラリグループに属するＭＣＰＴＴユーザによって使用されるＵＥが互いに通信できる。
【０１６１】
任意選択で、第２のグループ管理機能エンティティはさらに、第１のグループ管理機能エンティティによって送信されるグループ再編成情報を受信する。グループ再編成情報は、Ｎ個のＭＣＰＴＴグループが再編成されるテンポラリグループの識別子を含む。次に、第２のグループ管理機能エンティティは、グループ再編成情報を第２のＵＥに送信する。ここで、第２のＵＥは、第２のＭＣＰＴＴユーザによって使用されるＵＥであり、第２のＭＣＰＴＴユーザは、第２のグループ管理機能エンティティによって管理される、Ｎ個のＭＣＰＴＴグループのうちの少なくとも１つのＭＣＰＴＴグループ内の任意のＭＣＰＴＴユーザである。具体的な実装プロセスについては、本発明の方法の実施形態３における、第２のＭＣＰＴＴユーザが属するＭＣＰＴＴグループのグループ管理機能エンティティに関する説明を参照されたい。詳細はここでは再度説明しない。
【０１６２】
任意選択で、Ｓ７０２が実行された後、当該方法はさらに、第１のグループ管理機能エンティティによって送信されるグループ再編成解除通知情報を第２のグループ管理機能エンティティによって受信する段階であって、グループ再編成解除通知情報はテンポラリグループの識別子を含む、段階と、グループ再編成解除通知情報を第２のＵＥに送信する段階とを備える。任意選択で、第１のグループ管理機能エンティティによって送信されるグループ再編成解除通知情報を受信した後、第２のグループ管理機能エンティティは、第２のグループ管理機能エンティティによって格納されるグループ再編成情報をグループ再編成解除通知情報に従って削除してよい。具体的な実装プロセスについては、本発明の方法の実施形態５における関連する説明を参照されたい。詳細はここでは再度説明しない。このようにして、Ｎ個のＭＣＰＴＴグループが再編成されるテンポラリグループは解除される。
【０１６３】
第２のＭＣＰＴＴユーザが属するＭＣＰＴＴグループのグループ管理機能エンティティは、当該グループ管理機能エンティティが、第２のＭＣＰＴＴユーザが属するＭＣＰＴＴグループを管理することを示していることに注意すべきである。
【０１６４】
図８は、本発明に係るグループ管理機能エンティティの実施形態１の概略構造図である。図８に示されるように、本実施形態のグループ管理機能エンティティは、第１のグループ管理機能エンティティとして使用され、送受信ユニット１１および処理ユニット１２を備えてよい。送受信ユニット１１は、第１のＵＥによって送信されるグループ再編成構築メッセージを受信するよう構成される。ここで、グループ再編成構築メッセージは、Ｎ個のＭＣＰＴＴグループの識別子を含み、グループ再編成構築メッセージは、第１のＭＣＰＴＴユーザによって開始されるテンポラリグループであり、かつＮ個のＭＣＰＴＴグループが再編成されるテンポラリグループを、Ｎ個のＭＣＰＴＴグループの識別子に従って構築するよう第１のグループ管理機能エンティティに要求するために使用され、第１のグループ管理機能エンティティは、第１のＭＣＰＴＴユーザのホームネットワークにおけるグループ管理機能エンティティであり、第１のＭＣＰＴＴユーザは、Ｎ個のＭＣＰＴＴグループのうちの少なくとも１つのＭＣＰＴＴグループに属する。処理ユニット１２は、テンポラリグループに関する情報を設定するよう構成される。ここで、テンポラリグループに関する情報は、Ｎ個のＭＣＰＴＴグループが再編成されるテンポラリグループの識別子と、Ｎ個のＭＣＰＴＴグループの識別子とを含む。
【０１６５】
任意選択で、送受信ユニット１１はさらに、処理ユニット１２がテンポラリグループに関する情報を設定した後、グループ再編成完了メッセージを第１のＵＥに送信するよう構成される。
【０１６６】
任意選択で、テンポラリグループに関する情報はさらに、Ｎ個のＭＣＰＴＴグループのうちの少なくとも１つのＭＣＰＴＴグループ内のＭＣＰＴＴユーザに関する情報、テンポラリグループの優先度、またはテンポラリグループのセキュリティレベルのうちの少なくとも１つを含む。
【０１６７】
任意選択の実装例において、Ｎ個のＭＣＰＴＴグループは、第１のグループ管理機能エンティティによって管理されるＭＣＰＴＴグループである。
【０１６８】
別の任意選択の実装例において、Ｎ個のＭＣＰＴＴグループのうちの第１のＭＣＰＴＴグループは、第１のグループ管理機能エンティティによって管理されるＭＣＰＴＴグループではなく、第１のＭＣＰＴＴグループは、Ｎ個のＭＣＰＴＴグループのうちの少なくとも１つのＭＣＰＴＴグループであり、送受信ユニット１１はさらに、処理ユニット１２がテンポラリグループに関する情報を設定する前、グループ再編成構築メッセージを、第１のＭＣＰＴＴグループのうちの少なくとも１つのＭＣＰＴＴグループを管理する任意のグループ管理機能エンティティである第２のグループ管理機能エンティティに送信し、第２のグループ管理機能エンティティによって送信されるグループ再編成応答メッセージを受信するよう構成され、テンポラリグループに関する情報を設定する場合、処理ユニット１２は具体的に、グループ再編成応答メッセージに従ってテンポラリグループに関する情報を設定するよう構成される。
【０１６９】
任意選択で、グループ再編成応答メッセージはさらに、第２のグループ管理機能エンティティによって管理される、第１のＭＣＰＴＴグループのうちの少なくとも１つのＭＣＰＴＴグループ内のＭＣＰＴＴユーザに関する情報を含む。
【０１７０】
任意選択で、送受信ユニット１１はさらに、処理ユニット１２がテンポラリグループに関する情報を設定した後、グループ再編成情報を第２のＵＥに送信するよう構成される。ここで、グループ再編成情報は、テンポラリグループの識別子を含み、第２のＵＥは、第２のＭＣＰＴＴユーザによって使用されるＵＥであり、第２のＭＣＰＴＴユーザは、Ｎ個のＭＣＰＴＴグループ内の任意のＭＣＰＴＴユーザである。
【０１７１】
任意選択で、第２のＭＣＰＴＴユーザが属するＭＣＰＴＴグループが第１のグループ管理機能エンティティによって管理されるＭＣＰＴＴグループではない場合、グループ再編成情報を第２のＵＥに送信するとき、送受信ユニット１１は具体的に、グループ再編成情報を第２のＭＣＰＴＴユーザが属するＭＣＰＴＴグループのグループ管理機能エンティティに送信するよう構成され、これにより、第２のＭＣＰＴＴユーザが属するＭＣＰＴＴグループのグループ管理機能エンティティは、グループ再編成情報を第２のＵＥに送信する。
【０１７２】
任意選択で、送受信ユニット１１はさらに、第１のＵＥによって送信されるグループ再編成解除メッセージであって、テンポラリグループの識別子を含み、かつ、テンポラリグループ識別子に従ってテンポラリグループを解除するよう第１のグループ管理機能エンティティに要求するために使用されるグループ再編成解除メッセージを受信し、グループ再編成解除メッセージに従ってグループ再編成解除通知情報を第２のＵＥに送信するよう構成され、グループ再編成解除通知情報は、テンポラリグループの識別子を含み、グループ再編成解除通知情報は、テンポラリグループの識別子に従ってグループ再編成情報を削除するよう第２のＵＥに命令するために使用される。
【０１７３】
任意選択で、第２のＭＣＰＴＴユーザが属するＭＣＰＴＴグループが第１のグループ管理機能エンティティによって管理されるＭＣＰＴＴグループではない場合、グループ再編成解除メッセージに従ってグループ再編成解除通知情報を第２のＵＥに送信するとき、送受信ユニット１１は具体的に、グループ再編成解除メッセージに従ってグループ再編成解除通知情報を第２のＭＣＰＴＴユーザが属するＭＣＰＴＴグループのグループ管理機能エンティティに送信するよう構成され、これにより、第２のＭＣＰＴＴユーザが属するＭＣＰＴＴグループのグループ管理機能エンティティは、グループ再編成解除通知情報を第２のＵＥに送信する。
【０１７４】
任意選択で、処理ユニット１２はさらに、送受信ユニット１１が第１のＵＥによって送信されるグループ再編成解除メッセージを受信した後、テンポラリグループに関する情報を削除するよう構成される。
【０１７５】
本実施形態のグループ管理機能エンティティは、本発明の上述した方法の実施形態の第１のグループ管理機能エンティティによって実行される技術的解決手段を実行するよう構成されてよい。実装原理およびその技術的効果は、方法の実施形態のものと同様である。詳細はここでは再度説明しない。
【０１７６】
図９は、本発明に係るＵＥの実施形態１の概略構造図である。図９に示されるように、本実施形態のＵＥは第１のＵＥとして使用され、処理ユニット２１および送受信ユニット２２を備えてよい。処理ユニット２１は、グループ再編成構築メッセージを生成するよう構成される。ここで、グループ再編成構築メッセージは、Ｎ個のＭＣＰＴＴグループの識別子を含み、グループ再編成構築メッセージは、第１のＭＣＰＴＴユーザによって開始されるテンポラリグループであり、かつＮ個のＭＣＰＴＴグループが再編成されるテンポラリグループを、Ｎ個のＭＣＰＴＴグループの識別子に従って構築するよう第１のグループ管理機能エンティティに要求するために使用され、Ｎは、２より大きいか、またはそれに等しい整数であり、第１のＭＣＰＴＴユーザは、Ｎ個のＭＣＰＴＴグループのうちの少なくとも１つのＭＣＰＴＴグループに属し、第１のグループ管理機能エンティティは、第１のＭＣＰＴＴユーザのホームネットワークにおけるグループ機能管理エンティティである。送受信ユニット２２は、グループ再編成構築メッセージを第１のグループ管理機能エンティティに送信するよう構成される。
【０１７７】
任意選択で、送受信ユニット２２はさらに、グループ再編成構築メッセージを第１のグループ管理機能エンティティに送信した後、第１のグループ管理機能エンティティによって送信されるグループ再編成完了メッセージを受信するよう構成される。
【０１７８】
任意選択で、送受信ユニット２２はさらに、グループ再編成構築メッセージを第１のグループ管理機能エンティティに送信した後、第１のグループ管理機能エンティティによって送信されるグループ再編成情報を受信するよう構成される。ここで、グループ再編成情報は、テンポラリグループの識別子を含む。
【０１７９】
任意選択で、送受信ユニット２２はさらに、グループ再編成構築メッセージを第１のグループ管理機能エンティティに送信した後、テンポラリグループの識別子を含むグループ再編成解除メッセージであり、かつ、テンポラリグループの識別子に従ってテンポラリグループを解除するよう第１のグループ管理機能エンティティに要求するために使用されるグループ再編成解除メッセージを第１のグループ管理機能エンティティに送信し、第１のグループ管理機能エンティティによって送信されるグループ再編成解除通知情報であって、テンポラリグループの識別子を含むグループ再編成解除通知情報を受信するよう構成され、処理ユニット２１はさらに、グループ再編成解除通知情報内のテンポラリグループの識別子に従ってグループ再編成情報を削除するよう構成される。
【０１８０】
本実施形態のＵＥは、本発明の上述した方法の実施形態の第１のＵＥによって実行される技術的解決手段を実行するよう構成されてよい。実装原理およびその技術的効果は、方法の実施形態のものと同様である。詳細はここでは再度説明しない。
【０１８１】
図１０は、本発明に係るグループ管理機能エンティティの実施形態２の概略構造図である。図１０に示されるように、本実施形態のグループ管理機能エンティティは第２のグループ管理機能エンティティとして使用され、受信ユニット３１および送信ユニット３２を備えてよい。受信ユニット３１は、第１のユーザ機器ＵＥによって送信され、かつ第１のグループ管理機能エンティティによって転送されるグループ再編成構築メッセージを受信するよう構成される。ここで、グループ再編成構築メッセージは、Ｎ個のＭＣＰＴＴグループの識別子を含み、グループ再編成構築メッセージは、第１のＭＣＰＴＴユーザによって開始されるテンポラリグループであり、かつＮ個のＭＣＰＴＴグループが再編成されるテンポラリグループを、Ｎ個のＭＣＰＴＴグループの識別子に従って構築するよう第１のグループ管理機能エンティティに要求するために使用され、第２のグループ管理機能エンティティは、Ｎ個のＭＣＰＴＴグループのうちの少なくとも１つのＭＣＰＴＴグループを管理し、第１のグループ管理機能エンティティは、第１のＭＣＰＴＴユーザのホームネットワークにおけるグループ管理機能エンティティであり、第１のＭＣＰＴＴユーザは、Ｎ個のＭＣＰＴＴグループのうちの少なくとも１つのＭＣＰＴＴグループに属する。送信ユニット３２は、グループ再編成応答メッセージを第１のグループ管理機能エンティティに送信するよう構成される。
【０１８２】
任意選択で、グループ再編成応答メッセージはさらに、第２のグループ管理機能エンティティによって管理される、Ｎ個のＭＣＰＴＴグループのうちの少なくとも１つのＭＣＰＴＴグループ内のＭＣＰＴＴユーザに関する情報を含む。
【０１８３】
任意選択で、受信ユニット３１はさらに、送信ユニット３２がグループ再編成応答メッセージを第１のグループ管理機能エンティティに送信した後、第１のグループ管理機能エンティティによって送信されるグループ再編成情報を受信するよう構成され、グループ再編成情報は、テンポラリグループの識別子を含み、送信ユニット３２はさらに、グループ再編成情報を第２のＵＥに送信するよう構成され、第２のＵＥは、第２のＭＣＰＴＴユーザによって使用されるＵＥであり、第２のＭＣＰＴＴユーザは、第２のグループ管理機能エンティティによって管理される、Ｎ個のＭＣＰＴＴグループのうちの少なくとも１つのＭＣＰＴＴグループ内の任意のＭＣＰＴＴユーザである。
【０１８４】
任意選択で、受信ユニット３１はさらに、第１のグループ管理機能エンティティによって送信されるグループ再編成解除通知情報を受信するよう構成され、グループ再編成解除通知情報は、テンポラリグループの識別子を含み、グループ再編成解除通知情報は、テンポラリグループの識別子に従ってグループ再編成情報を削除するよう命令するために使用され、送信ユニット３２はさらに、グループ再編成解除通知情報を第２のＵＥに送信するよう構成される。
【０１８５】
任意選択で、本実施形態のグループ管理機能エンティティはさらに、処理ユニット３３を備えてよい。処理ユニット３３は、受信ユニット３１が第１のグループ管理機能エンティティによって送信されるグループ再編成解除通知情報を受信した後、グループ再編成情報を削除するよう構成される。
【０１８６】
本実施形態のグループ管理機能エンティティは、本発明の上述した方法の実施形態の第２のグループ管理機能エンティティによって実行される技術的解決手段を実行するよう構成されてよい。実装原理およびその技術的効果は、方法の実施形態のものと同様である。詳細はここでは再度説明しない。
【０１８７】
図１１は、本発明に係るグループ管理機能エンティティの実施形態３の概略構造図である。図１１に示されるように、本実施形態のグループ管理機能エンティティは第１のグループ管理機能エンティティとして使用され、送受信機４１およびプロセッサ４２を備えてよい。送受信機４１は、第１のＵＥによって送信されるグループ再編成構築メッセージを受信するよう構成される。ここで、グループ再編成構築メッセージは、Ｎ個のＭＣＰＴＴグループの識別子を含み、グループ再編成構築メッセージは、第１のＭＣＰＴＴユーザによって開始されるテンポラリグループであり、かつＮ個のＭＣＰＴＴグループが再編成されるテンポラリグループを、Ｎ個のＭＣＰＴＴグループの識別子に従って構築するよう第１のグループ管理機能エンティティに要求するために使用され、第１のグループ管理機能エンティティは、第１のＭＣＰＴＴユーザのホームネットワークにおけるグループ管理機能エンティティであり、第１のＭＣＰＴＴユーザは、Ｎ個のＭＣＰＴＴグループのうちの少なくとも１つのＭＣＰＴＴグループに属する。プロセッサ４２は、テンポラリグループに関する情報を設定するよう構成される。ここで、テンポラリグループに関する情報は、Ｎ個のＭＣＰＴＴグループが再編成されるテンポラリグループの識別子と、Ｎ個のＭＣＰＴＴグループの識別子とを含む。
【０１８８】
任意選択で、送受信機４１はさらに、プロセッサ４２がテンポラリグループに関する情報を設定した後、グループ再編成完了メッセージを第１のＵＥに送信するよう構成される。
【０１８９】
任意選択で、テンポラリグループに関する情報はさらに、Ｎ個のＭＣＰＴＴグループのうちの少なくとも１つのＭＣＰＴＴグループ内のＭＣＰＴＴユーザに関する情報、テンポラリグループの優先度、またはテンポラリグループのセキュリティレベルのうちの少なくとも１つを含む。
【０１９０】
任意選択で、Ｎ個のＭＣＰＴＴグループは、第１のグループ管理機能エンティティによって管理されるＭＣＰＴＴグループである。
【０１９１】
任意選択で、Ｎ個のＭＣＰＴＴグループのうちの第１のＭＣＰＴＴグループは、第１のグループ管理機能エンティティによって管理されるＭＣＰＴＴグループではなく、第１のＭＣＰＴＴグループは、Ｎ個のＭＣＰＴＴグループのうちの少なくとも１つのＭＣＰＴＴグループであり、送受信機４１はさらに、プロセッサ４２がテンポラリグループに関する情報を設定する前、グループ再編成構築メッセージを、第１のＭＣＰＴＴグループのうちの少なくとも１つのＭＣＰＴＴグループを管理する任意のグループ管理機能エンティティである第２のグループ管理機能エンティティに送信し、第２のグループ管理機能エンティティによって送信されるグループ再編成応答メッセージを受信するよう構成され、テンポラリグループに関する情報を設定する場合、プロセッサ４２は具体的に、グループ再編成応答メッセージに従ってテンポラリグループに関する情報を設定するよう構成される。
【０１９２】
任意選択で、グループ再編成応答メッセージはさらに、第２のグループ管理機能エンティティによって管理される、第１のＭＣＰＴＴグループのうちの少なくとも１つのＭＣＰＴＴグループ内のＭＣＰＴＴユーザに関する情報を含む。
【０１９３】
任意選択で、送受信機４１はさらに、プロセッサ４２がテンポラリグループに関する情報を設定した後、グループ再編成情報を第２のＵＥに送信するよう構成される。ここで、グループ再編成情報は、テンポラリグループの識別子を含み、第２のＵＥは、第２のＭＣＰＴＴユーザによって使用されるＵＥであり、第２のＭＣＰＴＴユーザは、Ｎ個のＭＣＰＴＴグループ内の任意のＭＣＰＴＴユーザである。
【０１９４】
任意選択で、第２のＭＣＰＴＴユーザが属するＭＣＰＴＴグループが第１のグループ管理機能エンティティによって管理されるＭＣＰＴＴグループではない場合、グループ再編成情報を第２のＵＥに送信するとき、送受信機４１は具体的に、グループ再編成情報を第２のＭＣＰＴＴユーザが属するＭＣＰＴＴグループのグループ管理機能エンティティに送信するよう構成され、これにより、第２のＭＣＰＴＴユーザが属するＭＣＰＴＴグループのグループ管理機能エンティティは、グループ再編成情報を第２のＵＥに送信する。
【０１９５】
任意選択で、送受信機４１はさらに、第１のＵＥによって送信されるグループ再編成解除メッセージであって、テンポラリグループの識別子を含み、かつ、テンポラリグループ識別子に従ってテンポラリグループを解除するよう第１のグループ管理機能エンティティに要求するために使用されるグループ再編成解除メッセージを受信し、グループ再編成解除メッセージに従ってグループ再編成解除通知情報を第２のＵＥに送信するよう構成され、グループ再編成解除通知情報は、テンポラリグループの識別子を含み、グループ再編成解除通知情報は、テンポラリグループの識別子に従ってグループ再編成情報を削除するよう第２のＵＥに命令するために使用される。
【０１９６】
任意選択で、第２のＭＣＰＴＴユーザが属するＭＣＰＴＴグループが第１のグループ管理機能エンティティによって管理されるＭＣＰＴＴグループではない場合、グループ再編成解除メッセージに従ってグループ再編成解除通知情報を第２のＵＥに送信するとき、送受信機４１は具体的に、グループ再編成解除メッセージに従ってグループ再編成解除通知情報を第２のＭＣＰＴＴユーザが属するＭＣＰＴＴグループのグループ管理機能エンティティに送信するよう構成され、これにより、第２のＭＣＰＴＴユーザが属するＭＣＰＴＴグループのグループ管理機能エンティティは、グループ再編成解除通知情報を第２のＵＥに送信する。
【０１９７】
任意選択で、プロセッサ４２はさらに、送受信機４１が第１のＵＥによって送信されるグループ再編成解除メッセージを受信した後、テンポラリグループに関する情報を削除するよう構成される。
【０１９８】
本実施形態のグループ管理機能エンティティは、本発明の上述した方法の実施形態の第１のグループ管理機能エンティティによって実行される技術的解決手段を実行するよう構成されてよい。実装原理およびその技術的効果は、方法の実施形態のものと同様である。詳細はここでは再度説明しない。
【０１９９】
図１２は、本発明に係るＵＥの実施形態２の概略構造図である。図１２に示されるように、本実施形態のＵＥは第１のＵＥとして使用され、プロセッサ５１および送受信機５２を備えてよい。プロセッサ５１は、グループ再編成構築メッセージを生成するよう構成される。ここで、グループ再編成構築メッセージは、Ｎ個のＭＣＰＴＴグループの識別子を含み、グループ再編成構築メッセージは、第１のＭＣＰＴＴユーザによって開始されるテンポラリグループであり、かつＮ個のＭＣＰＴＴグループが再編成されるテンポラリグループを、Ｎ個のＭＣＰＴＴグループの識別子に従って構築するよう第１のグループ管理機能エンティティに要求するために使用され、Ｎは、２より大きいか、またはそれに等しい整数であり、第１のＭＣＰＴＴユーザは、Ｎ個のＭＣＰＴＴグループのうちの少なくとも１つのＭＣＰＴＴグループに属し、第１のグループ管理機能エンティティは、第１のＭＣＰＴＴユーザのホームネットワークにおけるグループ機能管理エンティティである。送受信機５２は、グループ再編成構築メッセージを第１のグループ管理機能エンティティに送信するよう構成される。
【０２００】
任意選択で、送受信機５２はさらに、グループ再編成構築メッセージを第１のグループ管理機能エンティティに送信した後、第１のグループ管理機能エンティティによって送信されるグループ再編成完了メッセージを受信するよう構成される。
【０２０１】
任意選択で、送受信機５２はさらに、グループ再編成構築メッセージを第１のグループ管理機能エンティティに送信した後、第１のグループ管理機能エンティティによって送信されるグループ再編成情報を受信するよう構成される。ここで、グループ再編成情報は、テンポラリグループの識別子を含む。
【０２０２】
任意選択で、送受信機５２はさらに、グループ再編成構築メッセージを第１のグループ管理機能エンティティに送信した後、テンポラリグループの識別子を含むグループ再編成解除メッセージであり、かつ、テンポラリグループの識別子に従ってテンポラリグループを解除するよう第１のグループ管理機能エンティティに要求するために使用されるグループ再編成解除メッセージを第１のグループ管理機能エンティティに送信し、第１のグループ管理機能エンティティによって送信されるグループ再編成解除通知情報であって、テンポラリグループの識別子を含むグループ再編成解除通知情報を受信するよう構成され、プロセッサ５１はさらに、グループ再編成解除通知情報内のテンポラリグループの識別子に従ってグループ再編成情報を削除するよう構成される。
【０２０３】
本実施形態のＵＥは、本発明の上述した方法の実施形態の第１のＵＥによって実行される技術的解決手段を実行するよう構成されてよい。実装原理およびその技術的効果は、方法の実施形態のものと同様である。詳細はここでは再度説明しない。
【０２０４】
図１３は、本発明に係るグループ管理機能エンティティの実施形態４の概略構造図である。図１３に示されるように、本実施形態のグループ管理機能エンティティは第２のグループ管理機能エンティティとして使用され、受信機６１および送信機６２を備えてよい。送受信機６１は、第１のユーザ機器ＵＥによって送信され、かつ第１のグループ管理機能エンティティによって転送されるグループ再編成構築メッセージを受信するよう構成される。ここで、グループ再編成構築メッセージは、Ｎ個のＭＣＰＴＴグループの識別子を含み、グループ再編成構築メッセージは、第１のＭＣＰＴＴユーザによって開始されるテンポラリグループであり、かつＮ個のＭＣＰＴＴグループが再編成されるテンポラリグループを、Ｎ個のＭＣＰＴＴグループの識別子に従って構築するよう第１のグループ管理機能エンティティに要求するために使用され、第２のグループ管理機能エンティティは、Ｎ個のＭＣＰＴＴグループのうちの少なくとも１つのＭＣＰＴＴグループを管理し、第１のグループ管理機能エンティティは、第１のＭＣＰＴＴユーザのホームネットワークにおけるグループ管理機能エンティティであり、第１のＭＣＰＴＴユーザは、Ｎ個のＭＣＰＴＴグループのうちの少なくとも１つのＭＣＰＴＴグループに属する。送信機６２は、グループ再編成応答メッセージを第１のグループ管理機能エンティティに送信するよう構成される。
【０２０５】
任意選択で、グループ再編成応答メッセージはさらに、第２のグループ管理機能エンティティによって管理される、Ｎ個のＭＣＰＴＴグループのうちの少なくとも１つのＭＣＰＴＴグループ内のＭＣＰＴＴユーザに関する情報を含む。
【０２０６】
任意選択で、受信機６１はさらに、送信機６２がグループ再編成応答メッセージを第１のグループ管理機能エンティティに送信した後、第１のグループ管理機能エンティティによって送信されるグループ再編成情報を受信するよう構成され、グループ再編成情報は、テンポラリグループの識別子を含み、送信機６２はさらに、グループ再編成情報を第２のＵＥに送信するよう構成され、第２のＵＥは、第２のＭＣＰＴＴユーザによって使用されるＵＥであり、第２のＭＣＰＴＴユーザは、第２のグループ管理機能エンティティによって管理される、Ｎ個のＭＣＰＴＴグループのうちの少なくとも１つのＭＣＰＴＴグループ内の任意のＭＣＰＴＴユーザである。
【０２０７】
任意選択で、受信機６１はさらに、第１のグループ管理機能エンティティによって送信されるグループ再編成解除通知情報を受信するよう構成され、グループ再編成解除通知情報は、テンポラリグループの識別子を含み、グループ再編成解除通知情報は、テンポラリグループの識別子に従ってグループ再編成情報を削除するよう命令するために使用され、送信機６２はさらに、グループ再編成解除通知情報を第２のＵＥに送信するよう構成される。
【０２０８】
任意選択で、本実施形態のグループ管理機能エンティティはさらに、プロセッサ６３を備えてよい。プロセッサ６３は、受信機６１が第１のグループ管理機能エンティティによって送信されるグループ再編成解除通知情報を受信した後、グループ再編成情報を削除するよう構成される。
【０２０９】
本実施形態のグループ管理機能エンティティは、本発明の上述した方法の実施形態の第２のグループ管理機能エンティティによって実行される技術的解決手段を実行するよう構成されてよい。実装原理及びその技術的効果は、方法の実施形態のものと同様である。詳細はここでは再度説明しない。
【０２１０】
当業者ならば、方法の実施形態の段階の全部または一部が、関連するハードウェアに命令するプログラムによって実装されてよいことを理解し得る。当該プログラムは、コンピュータ可読記憶媒体に格納されてよい。プログラムが起動するとき、方法の実施形態の段階が実行される。上述の記憶媒体は、プログラムコードを格納できる、リードオンリメモリ（英語：Ｒｅａｄ−Ｏｎｌｙ  Ｍｅｍｏｒｙ、略してＲＯＭ）、ランダムアクセスメモリ（英語：Ｒａｎｄｏｍ  Ａｃｃｅｓｓ  Ｍｅｍｏｒｙ、略してＲＡＭ）、磁気ディスク、または光ディスクなどの任意の媒体を含む。
【０２１１】
最後に、上述した実施形態は、本発明の技術的解決手段を説明することを意図したものに過ぎず、本発明を限定することを意図したものではないことに注意すべきである。本発明は上述した実施形態に関連して詳細に説明されているが、当業者ならば、本発明の実施形態の技術的解決手段の範囲から逸脱することなく、上述した実施形態において説明された技術的解決手段に対してさらに変更を施し得、または、それらの一部または全部の技術的特徴に対して均等な置き換えを行い得るということを当業者は理解すべきである。
【図１】
2018512000.tif 000003
【図２】
2018512000.tif 000004
【図３】
2018512000.tif 000005
【図４】
2018512000.tif 000006
【図５】
2018512000.tif 000007
【図６】
2018512000.tif 000008
【図７】
2018512000.tif 000009
【図８】
2018512000.tif 000010
【図９】
2018512000.tif 000011
【図１０】
2018512000.tif 000012
【図１１】
2018512000.tif 000013
【図１２】
2018512000.tif 000014
【図１３】
2018512000.tif 000015
【手続補正書】
【提出日】平成29年10月31日(2017.10.31)
【手続補正１】
【補正対象書類名】特許請求の範囲
【補正対象項目名】全文
【補正方法】変更
【補正の内容】
【特許請求の範囲】
【請求項１】
第１のユーザ機器（ＵＥ）によって送信されるグループ再編成構築メッセージを第１のグループ管理機能エンティティによって受信する段階であって、前記グループ再編成構築メッセージは、Ｎ個のミッションクリティカル・プッシュ・ツー・トーク（ＭＣＰＴＴ）グループの識別子を含み、前記グループ再編成構築メッセージは、第１のＭＣＰＴＴユーザによって開始されるテンポラリグループであり、かつ前記Ｎ個のＭＣＰＴＴグループが再編成されるテンポラリグループを、前記Ｎ個のＭＣＰＴＴグループの前記識別子に従って構築するよう前記第１のグループ管理機能エンティティに要求するために使用され、前記第１のグループ管理機能エンティティは、前記第１のＭＣＰＴＴユーザのホームネットワークにおけるグループ管理機能エンティティであり、前記第１のＭＣＰＴＴユーザは、前記Ｎ個のＭＣＰＴＴグループのうちの少なくとも１つのＭＣＰＴＴグループに属する、段階と、
前記テンポラリグループに関する情報を前記第１のグループ管理機能エンティティによって設定する段階であって、前記テンポラリグループに関する前記情報は、前記Ｎ個のＭＣＰＴＴグループが再編成される前記テンポラリグループの識別子と、前記Ｎ個のＭＣＰＴＴグループの前記識別子とを含む、段階と
を備える、複数のグループを再編成するための方法。
【請求項２】
前記テンポラリグループに関する情報を前記第１のグループ管理機能エンティティによって設定する前記段階の後、
グループ再編成完了メッセージを前記第１のグループ管理機能エンティティによって前記第１のＵＥに送信する段階をさらに備える、請求項１に記載の方法。
【請求項３】
前記テンポラリグループに関する前記情報はさらに、前記Ｎ個のＭＣＰＴＴグループのうちの少なくとも１つのＭＣＰＴＴグループ内のＭＣＰＴＴユーザに関する情報、前記テンポラリグループの優先度、または前記テンポラリグループのセキュリティレベルのうちの少なくとも１つを含む、請求項１または２に記載の方法。
【請求項４】
前記Ｎ個のＭＣＰＴＴグループは、前記第１のグループ管理機能エンティティによって管理されるＭＣＰＴＴグループである、請求項１から３のいずれか一項に記載の方法。
【請求項５】
グループ再編成構築メッセージを第１のユーザ機器（ＵＥ）によって生成する段階であって、前記グループ再編成構築メッセージは、Ｎ個のミッションクリティカル・プッシュ・ツー・トーク（ＭＣＰＴＴ）グループの識別子を含み、前記グループ再編成構築メッセージは、第１のＭＣＰＴＴユーザによって開始されるテンポラリグループであり、かつ前記Ｎ個のＭＣＰＴＴグループが再編成されるテンポラリグループを、前記Ｎ個のＭＣＰＴＴグループの前記識別子に従って構築するよう第１のグループ管理機能エンティティに要求するために使用され、Ｎは、２より大きいか、またはそれに等しい整数であり、前記第１のＭＣＰＴＴユーザは、前記Ｎ個のＭＣＰＴＴグループのうちの少なくとも１つのＭＣＰＴＴグループに属し、前記第１のグループ管理機能エンティティは、前記第１のＭＣＰＴＴユーザのホームネットワークにおけるグループ管理機能エンティティである、段階と、
前記グループ再編成構築メッセージを前記第１のＵＥによって前記第１のグループ管理機能エンティティに送信する段階と
を備える、複数のグループを再編成するための方法。
【請求項６】
前記グループ再編成構築メッセージを前記第１のＵＥによって前記第１のグループ管理機能エンティティに送信する前記段階の後、
前記第１のグループ管理機能エンティティによって送信されるグループ再編成完了メッセージを前記第１のＵＥによって受信する段階をさらに備える、請求項５に記載の方法。
【請求項７】
第１のユーザ機器（ＵＥ）によって送信され、かつ第１のグループ管理機能エンティティによって転送されるグループ再編成構築メッセージを第２のグループ管理機能エンティティによって受信する段階であって、前記グループ再編成構築メッセージは、Ｎ個のミッションクリティカル・プッシュ・ツー・トーク（ＭＣＰＴＴ）グループの識別子を含み、前記グループ再編成構築メッセージは、第１のＭＣＰＴＴユーザによって開始されるテンポラリグループであり、かつ前記Ｎ個のＭＣＰＴＴグループが再編成されるテンポラリグループを、前記Ｎ個のＭＣＰＴＴグループの前記識別子に従って構築するよう前記第１のグループ管理機能エンティティに要求するために使用され、前記第２のグループ管理機能エンティティは、前記Ｎ個のＭＣＰＴＴグループのうちの少なくとも１つのＭＣＰＴＴグループを管理し、前記第１のグループ管理機能エンティティは、前記第１のＭＣＰＴＴユーザのホームネットワークにおけるグループ管理機能エンティティであり、前記第１のＭＣＰＴＴユーザは、前記Ｎ個のＭＣＰＴＴグループのうちの少なくとも１つのＭＣＰＴＴグループに属する、段階と、
グループ再編成応答メッセージを前記第２のグループ管理機能エンティティによって前記第１のグループ管理機能エンティティに送信する段階と
を備える、複数のグループを再編成するための方法。
【請求項８】
前記グループ再編成応答メッセージはさらに、前記第２のグループ管理機能エンティティによって管理される、前記Ｎ個のＭＣＰＴＴグループのうちの前記少なくとも１つのＭＣＰＴＴグループ内のＭＣＰＴＴユーザに関する情報を含む、請求項７に記載の方法。
【請求項９】
第１のグループ管理機能エンティティとして使用されるグループ管理機能エンティティであって、
第１のユーザ機器（ＵＥ）によって送信されるグループ再編成構築メッセージを受信する送受信ユニットであって、前記グループ再編成構築メッセージは、Ｎ個のミッションクリティカル・プッシュ・ツー・トーク（ＭＣＰＴＴ）グループの識別子を含み、前記グループ再編成構築メッセージは、第１のＭＣＰＴＴユーザによって開始されるテンポラリグループであり、かつ前記Ｎ個のＭＣＰＴＴグループが再編成されるテンポラリグループを、前記Ｎ個のＭＣＰＴＴグループの前記識別子に従って構築するよう前記第１のグループ管理機能エンティティに要求するために使用され、前記第１のグループ管理機能エンティティは、前記第１のＭＣＰＴＴユーザのホームネットワークにおけるグループ管理機能エンティティであり、前記第１のＭＣＰＴＴユーザは、前記Ｎ個のＭＣＰＴＴグループのうちの少なくとも１つのＭＣＰＴＴグループに属する、送受信ユニットと、
前記テンポラリグループに関する情報を設定する処理ユニットであって、前記テンポラリグループに関する前記情報は、前記Ｎ個のＭＣＰＴＴグループが再編成されるテンポラリグループの識別子と、前記Ｎ個のＭＣＰＴＴグループの前記識別子とを含む、処理ユニットと
を備えるグループ管理機能エンティティ。
【請求項１０】
前記送受信ユニットはさらに、前記処理ユニットが前記テンポラリグループに関する前記情報を設定した後、グループ再編成完了メッセージを前記第１のＵＥに送信する、請求項９に記載のグループ管理機能エンティティ。
【請求項１１】
前記テンポラリグループに関する前記情報はさらに、前記Ｎ個のＭＣＰＴＴグループのうちの少なくとも１つのＭＣＰＴＴグループ内のＭＣＰＴＴユーザに関する情報、前記テンポラリグループの優先度、または前記テンポラリグループのセキュリティレベルのうちの少なくとも１つを含む、請求項９または１０に記載のグループ管理機能エンティティ。
【請求項１２】
前記Ｎ個のＭＣＰＴＴグループは、前記第１のグループ管理機能エンティティによって管理されるＭＣＰＴＴグループである、請求項９から１１のいずれか一項に記載のグループ管理機能エンティティ。
【請求項１３】
第１のユーザ機器（ＵＥ）として使用されるＵＥであって、
グループ再編成構築メッセージを生成する処理ユニットであって、前記グループ再編成構築メッセージは、Ｎ個のミッションクリティカル・プッシュ・ツー・トーク（ＭＣＰＴＴ）グループの識別子を含み、前記グループ再編成構築メッセージは、第１のＭＣＰＴＴユーザによって開始されるテンポラリグループであり、かつ前記Ｎ個のＭＣＰＴＴグループが再編成されるテンポラリグループを、前記Ｎ個のＭＣＰＴＴグループの前記識別子に従って構築するよう第１のグループ管理機能エンティティに要求するために使用され、Ｎは、２より大きいか、またはそれに等しい整数であり、前記第１のＭＣＰＴＴユーザは、前記Ｎ個のＭＣＰＴＴグループのうちの少なくとも１つのＭＣＰＴＴグループに属し、前記第１のグループ管理機能エンティティは、前記第１のＭＣＰＴＴユーザのホームネットワークにおけるグループ機能管理エンティティである、処理ユニットと、
前記グループ再編成構築メッセージを前記第１のグループ管理機能エンティティに送信する送受信ユニットと
を備えるＵＥ。
【請求項１４】
前記送受信ユニットはさらに、前記グループ再編成構築メッセージを前記第１のグループ管理機能エンティティに送信した後、前記第１のグループ管理機能エンティティによって送信されるグループ再編成完了メッセージを受信する、請求項１３に記載のＵＥ。
【請求項１５】
第２のグループ管理機能エンティティとして使用されるグループ管理機能エンティティであって、
第１のユーザ機器（ＵＥ）によって送信され、かつ第１のグループ管理機能エンティティによって転送されるグループ再編成構築メッセージを受信する受信ユニットであって、前記グループ再編成構築メッセージは、Ｎ個のミッションクリティカル・プッシュ・ツー・トーク（ＭＣＰＴＴ）グループの識別子を含み、前記グループ再編成構築メッセージは、第１のＭＣＰＴＴユーザによって開始されるテンポラリグループであり、かつ前記Ｎ個のＭＣＰＴＴグループが再編成されるテンポラリグループを、前記Ｎ個のＭＣＰＴＴグループの前記識別子に従って構築するよう前記第１のグループ管理機能エンティティに要求するために使用され、前記第２のグループ管理機能エンティティは、前記Ｎ個のＭＣＰＴＴグループのうちの少なくとも１つのＭＣＰＴＴグループを管理し、前記第１のグループ管理機能エンティティは、前記第１のＭＣＰＴＴユーザのホームネットワークにおけるグループ管理機能エンティティであり、前記第１のＭＣＰＴＴユーザは、前記Ｎ個のＭＣＰＴＴグループのうちの少なくとも１つのＭＣＰＴＴグループに属する、受信ユニットと、
グループ再編成応答メッセージを前記第１のグループ管理機能エンティティに送信する送信ユニットと
を備えるグループ管理機能エンティティ。
【請求項１６】
前記グループ再編成応答メッセージはさらに、前記第２のグループ管理機能エンティティによって管理される、前記Ｎ個のＭＣＰＴＴグループのうちの前記少なくとも１つのＭＣＰＴＴグループ内のＭＣＰＴＴユーザに関する情報を含む、請求項１５に記載のグループ管理機能エンティティ。
【請求項１７】
コンピュータに、請求項１から８のいずれか一項に記載の方法を実行させるプログラム。
【請求項１８】
第１のグループ管理機能エンティティとして使用されるグループ管理機能エンティティであって、
第１のユーザ機器（ＵＥ）によって送信されるグループ再編成構築メッセージを受信する送受信機であって、前記グループ再編成構築メッセージは、Ｎ個のミッションクリティカル・プッシュ・ツー・トーク（ＭＣＰＴＴ）グループの識別子を含み、前記グループ再編成構築メッセージは、第１のＭＣＰＴＴユーザによって開始されるテンポラリグループであり、かつ前記Ｎ個のＭＣＰＴＴグループが再編成されるテンポラリグループを、前記Ｎ個のＭＣＰＴＴグループの前記識別子に従って構築するよう前記第１のグループ管理機能エンティティに要求するために使用され、前記第１のグループ管理機能エンティティは、前記第１のＭＣＰＴＴユーザのホームネットワークにおけるグループ管理機能エンティティであり、前記第１のＭＣＰＴＴユーザは、前記Ｎ個のＭＣＰＴＴグループのうちの少なくとも１つのＭＣＰＴＴグループに属する、送受信機と、
前記テンポラリグループに関する情報を設定するプロセッサであって、前記テンポラリグループに関する前記情報は、前記Ｎ個のＭＣＰＴＴグループが再編成される前記テンポラリグループの識別子と、前記Ｎ個のＭＣＰＴＴグループの前記識別子とを含む、プロセッサと
を備えるグループ管理機能エンティティ。
【請求項１９】
前記送受信機はさらに、前記プロセッサが前記テンポラリグループに関する前記情報を設定した後、グループ再編成完了メッセージを前記第１のＵＥに送信する、請求項１８に記載のグループ管理機能エンティティ。
【請求項２０】
前記テンポラリグループに関する前記情報はさらに、前記Ｎ個のＭＣＰＴＴグループのうちの少なくとも１つのＭＣＰＴＴグループ内のＭＣＰＴＴユーザに関する情報、前記テンポラリグループの優先度、または前記テンポラリグループのセキュリティレベルのうちの少なくとも１つを含む、請求項１８または１９に記載のグループ管理機能エンティティ。
【請求項２１】
第１のユーザ機器（ＵＥ）として使用されるＵＥであって、
グループ再編成構築メッセージを生成するプロセッサであって、前記グループ再編成構築メッセージは、Ｎ個のミッションクリティカル・プッシュ・ツー・トーク（ＭＣＰＴＴ）グループの識別子を含み、前記グループ再編成構築メッセージは、第１のＭＣＰＴＴユーザによって開始されるテンポラリグループであり、かつ前記Ｎ個のＭＣＰＴＴグループが再編成されるテンポラリグループを、前記Ｎ個のＭＣＰＴＴグループの前記識別子に従って構築するよう第１のグループ管理機能エンティティに要求するために使用され、Ｎは、２より大きいか、またはそれに等しい整数であり、前記第１のＭＣＰＴＴユーザは、前記Ｎ個のＭＣＰＴＴグループのうちの少なくとも１つのＭＣＰＴＴグループに属し、前記第１のグループ管理機能エンティティは、前記第１のＭＣＰＴＴユーザのホームネットワークにおけるグループ機能管理エンティティである、プロセッサと、
前記グループ再編成構築メッセージを前記第１のグループ管理機能エンティティに送信する送受信機と
を備えるＵＥ。
【請求項２２】
前記送受信機はさらに、前記グループ再編成構築メッセージを前記第１のグループ管理機能エンティティに送信した後、前記第１のグループ管理機能エンティティによって送信されるグループ再編成完了メッセージを受信する、請求項２１に記載のＵＥ。
【請求項２３】
前記送受信機はさらに、前記グループ再編成構築メッセージを前記第１のグループ管理機能エンティティに送信した後、前記第１のグループ管理機能エンティティによって送信されるグループ再編成情報を受信し、前記グループ再編成情報は、前記テンポラリグループの識別子を含む、請求項２１または２２に記載のＵＥ。
【請求項２４】
第２のグループ管理機能エンティティとして使用されるグループ管理機能エンティティであって、
第１のユーザ機器（ＵＥ）によって送信され、かつ第１のグループ管理機能エンティティによって転送されるグループ再編成構築メッセージを受信する受信機であって、前記グループ再編成構築メッセージは、Ｎ個のミッションクリティカル・プッシュ・ツー・トーク（ＭＣＰＴＴ）グループの識別子を含み、前記グループ再編成構築メッセージは、第１のＭＣＰＴＴユーザによって開始されるテンポラリグループであり、かつ前記Ｎ個のＭＣＰＴＴグループが再編成されるテンポラリグループを、前記Ｎ個のＭＣＰＴＴグループの前記識別子に従って構築するよう前記第１のグループ管理機能エンティティに要求するために使用され、前記第２のグループ管理機能エンティティは、前記Ｎ個のＭＣＰＴＴグループのうちの少なくとも１つのＭＣＰＴＴグループを管理し、前記第１のグループ管理機能エンティティは、前記第１のＭＣＰＴＴユーザのホームネットワークにおけるグループ管理機能エンティティであり、前記第１のＭＣＰＴＴユーザは、前記Ｎ個のＭＣＰＴＴグループのうちの少なくとも１つのＭＣＰＴＴグループに属する、受信機と、
グループ再編成応答メッセージを前記第１のグループ管理機能エンティティに送信する送信機と
を備えるグループ管理機能エンティティ。
【請求項２５】
前記グループ再編成応答メッセージはさらに、前記第２のグループ管理機能エンティティによって管理される、前記Ｎ個のＭＣＰＴＴグループのうちの前記少なくとも１つのＭＣＰＴＴグループ内のＭＣＰＴＴユーザに関する情報を含む、請求項２４に記載のグループ管理機能エンティティ。
【手続補正２】
【補正対象書類名】明細書
【補正対象項目名】０００２
【補正方法】変更
【補正の内容】
【０００２】
実際の応用において、ある要件、すなわち、認可されたミッションクリティカル・プッシュ・ツー・トーク（英語：Ｍｉｓｓｉｏｎ  ｃｒｉｔｉｃａｌ  ｐｕｓｈ  ｔｏ  ｔａｌｋ、略してＭＣＰＴＴ）ユーザが、いくつかのＭＣＰＴＴグループをテンポラリグループに一時的に編成してよいという要件が存在する。例えば、いくつかの緊急事態においては、消防署と公安局とは連携し、現場の指揮官は、消防署と公安局との２つのＭＣＰＴＴグループを新たな大グループへと一時的に編成する必要がある場合がある。このＭＣＰＴＴグループ再編成機能は、今のところ従来技術においてはサポートできていない。
【手続補正３】
【補正対象書類名】明細書
【補正対象項目名】０２１１
【補正方法】変更
【補正の内容】
【０２１１】
最後に、上述した実施形態は、本発明の技術的解決手段を説明することを意図したものに過ぎず、本発明を限定することを意図したものではないことに注意すべきである。本発明は上述した実施形態に関連して詳細に説明されているが、当業者ならば、本発明の実施形態の技術的解決手段の範囲から逸脱することなく、上述した実施形態において説明された技術的解決手段に対してさらに変更を施し得、または、それらの一部または全部の技術的特徴に対して均等な置き換えを行い得るということを当業者は理解すべきである。
［項目１］
第１のユーザ機器ＵＥによって送信されるグループ再編成構築メッセージを第１のグループ管理機能エンティティによって受信する段階であって、上記グループ再編成構築メッセージは、Ｎ個のミッションクリティカル・プッシュ・ツー・トークＭＣＰＴＴグループの識別子を含み、上記グループ再編成構築メッセージは、第１のＭＣＰＴＴユーザによって開始されるテンポラリグループであり、かつ上記Ｎ個のＭＣＰＴＴグループが再編成されるテンポラリグループを、上記Ｎ個のＭＣＰＴＴグループの上記識別子に従って構築するよう上記第１のグループ管理機能エンティティに要求するために使用され、上記第１のグループ管理機能エンティティは、上記第１のＭＣＰＴＴユーザのホームネットワークにおけるグループ管理機能エンティティであり、上記第１のＭＣＰＴＴユーザは、上記Ｎ個のＭＣＰＴＴグループのうちの少なくとも１つのＭＣＰＴＴグループに属する、段階と、
上記テンポラリグループに関する情報を上記第１のグループ管理機能エンティティによって設定する段階であって、上記テンポラリグループに関する上記情報は、上記Ｎ個のＭＣＰＴＴグループが再編成される上記テンポラリグループの識別子と、上記Ｎ個のＭＣＰＴＴグループの上記識別子とを含む、段階と
を備える、複数のグループを再編成するための方法。
［項目２］
上記テンポラリグループに関する情報を上記第１のグループ管理機能エンティティによって設定する上記段階の後、
グループ再編成完了メッセージを上記第１のグループ管理機能エンティティによって上記第１のＵＥに送信する段階をさらに備える、項目１に記載の方法。
［項目３］
上記テンポラリグループに関する上記情報はさらに、上記Ｎ個のＭＣＰＴＴグループのうちの少なくとも１つのＭＣＰＴＴグループ内のＭＣＰＴＴユーザに関する情報、上記テンポラリグループの優先度、または上記テンポラリグループのセキュリティレベルのうちの少なくとも１つを含む、項目１または２に記載の方法。
［項目４］
上記Ｎ個のＭＣＰＴＴグループは、上記第１のグループ管理機能エンティティによって管理されるＭＣＰＴＴグループである、項目１から３のいずれか一項に記載の方法。
［項目５］
上記Ｎ個のＭＣＰＴＴグループのうちの第１のＭＣＰＴＴグループは、上記第１のグループ管理機能エンティティによって管理されるＭＣＰＴＴグループではなく、上記第１のＭＣＰＴＴグループは、上記Ｎ個のＭＣＰＴＴグループのうちの少なくとも１つのＭＣＰＴＴグループであり、
上記テンポラリグループに関する情報を上記第１のグループ管理機能エンティティによって設定する上記段階の前、上記方法はさらに、
上記グループ再編成構築メッセージを上記第１のグループ管理機能エンティティによって第２のグループ管理機能エンティティに送信する段階であって、上記第２のグループ管理機能エンティティは、上記第１のＭＣＰＴＴグループのうちの少なくとも１つのＭＣＰＴＴグループを管理する任意のグループ管理機能エンティティである、段階と、
上記第２のグループ管理機能エンティティによって送信されるグループ再編成応答メッセージを上記第１のグループ管理機能エンティティによって受信する段階とを備え、
上記テンポラリグループに関する情報を上記第１のグループ管理機能エンティティによって設定する上記段階は、上記グループ再編成応答メッセージに従って上記テンポラリグループに関する上記情報を上記第１のグループ管理機能エンティティによって設定する段階を有する、項目１から３のいずれか一項に記載の方法。
［項目６］
上記グループ再編成応答メッセージはさらに、上記第２のグループ管理機能エンティティによって管理される、上記第１のＭＣＰＴＴグループのうちの上記少なくとも１つのＭＣＰＴＴグループ内のＭＣＰＴＴユーザに関する情報を含む、項目５に記載の方法。
［項目７］
上記テンポラリグループに関する情報を上記第１のグループ管理機能エンティティによって設定する上記段階の後、
グループ再編成情報を上記第１のグループ管理機能エンティティによって第２のＵＥに送信する段階であって、上記グループ再編成情報は、上記テンポラリグループの上記識別子を含み、上記第２のＵＥは、第２のＭＣＰＴＴユーザによって使用されるＵＥであり、上記第２のＭＣＰＴＴユーザは、上記Ｎ個のＭＣＰＴＴグループ内の任意のＭＣＰＴＴユーザである、段階をさらに備える、項目１から６のいずれか一項に記載の方法。
［項目８］
上記第２のＭＣＰＴＴユーザが属するＭＣＰＴＴグループが上記第１のグループ管理機能エンティティによって管理されるＭＣＰＴＴグループではない場合、グループ再編成情報を上記第１のグループ管理機能エンティティによって第２のＵＥに送信する上記段階は、
上記グループ再編成情報を上記第１のグループ管理機能エンティティによって、上記第２のＭＣＰＴＴユーザが属する上記ＭＣＰＴＴグループのグループ管理機能エンティティに送信し、これにより、上記第２のＭＣＰＴＴユーザが属する上記ＭＣＰＴＴグループの上記グループ管理機能エンティティが、上記グループ再編成情報を上記第２のＵＥに送信する段階を有する、項目７に記載の方法。
［項目９］
上記第１のＵＥによって送信されるグループ再編成解除メッセージを上記第１のグループ管理機能エンティティによって受信する段階であって、上記グループ再編成解除メッセージは、上記テンポラリグループの上記識別子を含み、上記グループ再編成解除メッセージは、上記テンポラリグループの上記識別子に従って上記テンポラリグループを解除するよう上記第１のグループ管理機能エンティティに要求するために使用される、段階と、
上記グループ再編成解除メッセージに従ってグループ再編成解除通知情報を上記第１のグループ管理機能エンティティによって上記第２のＵＥに送信する段階とをさらに備え、
上記グループ再編成解除通知情報は、上記テンポラリグループの上記識別子を含み、上記グループ再編成解除通知情報は、上記テンポラリグループの上記識別子に従って上記グループ再編成情報を削除するよう上記第２のＵＥに命令するために使用される、
項目６または７に記載の方法。
［項目１０］
上記第２のＭＣＰＴＴユーザが属するＭＣＰＴＴグループが上記第１のグループ管理機能エンティティによって管理されるＭＣＰＴＴグループではない場合、上記グループ再編成解除メッセージに従ってグループ再編成解除通知情報を上記第１のグループ管理機能エンティティによって上記第２のＵＥに送信する上記段階は、
上記グループ再編成解除通知情報を上記グループ再編成解除メッセージに従って上記第１のグループ管理機能エンティティによって上記第２のＭＣＰＴＴユーザが属する上記ＭＣＰＴＴグループのグループ管理機能エンティティに送信し、これにより、上記第２のＭＣＰＴＴユーザが属する上記ＭＣＰＴＴグループの上記グループ管理機能エンティティが、上記グループ再編成解除通知情報を上記第２のＵＥに送信する段階を有する、項目９に記載の方法。
［項目１１］
上記第１のＵＥによって送信されるグループ再編成解除メッセージを上記第１のグループ管理機能エンティティによって受信する上記段階の後、
上記テンポラリグループに関する上記情報を上記第１のグループ管理機能エンティティによって削除する段階をさらに備える、項目９または１０に記載の方法。
［項目１２］
グループ再編成構築メッセージを第１のユーザ機器ＵＥによって生成する段階であって、上記グループ再編成構築メッセージは、Ｎ個のミッションクリティカル・プッシュ・ツー・トークＭＣＰＴＴグループの識別子を含み、上記グループ再編成構築メッセージは、第１のＭＣＰＴＴユーザによって開始されるテンポラリグループであり、かつ上記Ｎ個のＭＣＰＴＴグループが再編成されるテンポラリグループを、上記Ｎ個のＭＣＰＴＴグループの上記識別子に従って構築するよう第１のグループ管理機能エンティティに要求するために使用され、Ｎは、２より大きいか、またはそれに等しい整数であり、上記第１のＭＣＰＴＴユーザは、上記Ｎ個のＭＣＰＴＴグループのうちの少なくとも１つのＭＣＰＴＴグループに属し、上記第１のグループ管理機能エンティティは、上記第１のＭＣＰＴＴユーザのホームネットワークにおけるグループ管理機能エンティティである、段階と、
上記グループ再編成構築メッセージを上記第１のＵＥによって上記第１のグループ管理機能エンティティに送信する段階と
を備える、複数のグループを再編成するための方法。
［項目１３］
上記グループ再編成構築メッセージを上記第１のＵＥによって上記第１のグループ管理機能エンティティに送信する上記段階の後、
上記第１のグループ管理機能エンティティによって送信されるグループ再編成完了メッセージを上記第１のＵＥによって受信する段階をさらに備える、項目１２に記載の方法。
［項目１４］
上記グループ再編成構築メッセージを上記第１のＵＥによって上記第１のグループ管理機能エンティティに送信する上記段階の後、
上記第１のグループ管理機能エンティティによって送信されるグループ再編成情報を上記第１のＵＥによって受信する段階であって、上記グループ再編成情報は上記テンポラリグループの識別子を含む、段階をさらに備える、項目１２または１３に記載の方法。
［項目１５］
上記グループ再編成構築メッセージを上記第１のＵＥによって上記第１のグループ管理機能エンティティに送信する上記段階の後、
グループ再編成解除メッセージを上記第１のＵＥによって上記第１のグループ管理機能エンティティに送信する段階であって、上記グループ再編成解除メッセージは、上記テンポラリグループの上記識別子を含み、上記グループ再編成解除メッセージは、上記テンポラリグループの上記識別子に従って上記テンポラリグループを解除するよう上記第１のグループ管理機能エンティティに要求するために使用される、段階と、
上記第１のグループ管理機能エンティティによって送信されるグループ再編成解除通知情報を上記第１のＵＥによって受信する段階であって、上記グループ再編成解除通知情報は、上記テンポラリグループの上記識別子を含む、段階と、
上記グループ再編成解除通知情報内の上記テンポラリグループの上記識別子に従って上記グループ再編成情報を上記第１のＵＥによって削除する段階と、をさらに備える、項目１２から１４のいずれか一項に記載の方法。
［項目１６］
第１のユーザ機器ＵＥによって送信され、かつ第１のグループ管理機能エンティティによって転送されるグループ再編成構築メッセージを第２のグループ管理機能エンティティによって受信する段階であって、上記グループ再編成構築メッセージは、Ｎ個のミッションクリティカル・プッシュ・ツー・トークＭＣＰＴＴグループの識別子を含み、上記グループ再編成構築メッセージは、第１のＭＣＰＴＴユーザによって開始されるテンポラリグループであり、かつ上記Ｎ個のＭＣＰＴＴグループが再編成されるテンポラリグループを、上記Ｎ個のＭＣＰＴＴグループの上記識別子に従って構築するよう上記第１のグループ管理機能エンティティに要求するために使用され、上記第２のグループ管理機能エンティティは、上記Ｎ個のＭＣＰＴＴグループのうちの少なくとも１つのＭＣＰＴＴグループを管理し、上記第１のグループ管理機能エンティティは、上記第１のＭＣＰＴＴユーザのホームネットワークにおけるグループ管理機能エンティティであり、上記第１のＭＣＰＴＴユーザは、上記Ｎ個のＭＣＰＴＴグループのうちの少なくとも１つのＭＣＰＴＴグループに属する、段階と、
グループ再編成応答メッセージを上記第２のグループ管理機能エンティティによって上記第１のグループ管理機能エンティティに送信する段階と
を備える、複数のグループを再編成するための方法。
［項目１７］
上記グループ再編成応答メッセージはさらに、上記第２のグループ管理機能エンティティによって管理される、上記Ｎ個のＭＣＰＴＴグループのうちの上記少なくとも１つのＭＣＰＴＴグループ内のＭＣＰＴＴユーザに関する情報を含む、項目１６に記載の方法。
［項目１８］
グループ再編成応答メッセージを上記第２のグループ管理機能エンティティによって上記第１のグループ管理機能エンティティに送信する上記段階の後、
上記第１のグループ管理機能エンティティによって送信されるグループ再編成情報を上記第２のグループ管理機能エンティティによって受信する段階であって、上記グループ再編成情報は、上記テンポラリグループの識別子を含む、段階と、
上記グループ再編成情報を上記第２のグループ管理機能エンティティによって第２のＵＥに送信する段階であって、上記第２のＵＥは、第２のＭＣＰＴＴユーザによって使用されるＵＥであり、上記第２のＭＣＰＴＴユーザは、上記第２のグループ管理機能エンティティによって管理される、上記Ｎ個のＭＣＰＴＴグループのうちの上記少なくとも１つのＭＣＰＴＴグループ内の任意のＭＣＰＴＴユーザである、段階とをさらに備える、項目１６または１７に記載の方法。
［項目１９］
上記第１のグループ管理機能エンティティによって送信されるグループ再編成解除通知情報を上記第２のグループ管理機能エンティティによって受信する段階であって、上記グループ再編成解除通知情報は、上記テンポラリグループの上記識別子を含み、上記グループ再編成解除通知情報は、上記テンポラリグループの上記識別子に従って上記グループ再編成情報を削除するよう命令するために使用される、段階と、
上記グループ再編成解除通知情報を上記第２のグループ管理機能エンティティによって上記第２のＵＥに送信する段階と
をさらに備える、項目１８に記載の方法。
［項目２０］
上記第１のグループ管理機能エンティティによって送信されるグループ再編成解除通知情報を上記第２のグループ管理機能エンティティによって受信する上記段階の後、
上記グループ再編成情報を上記第２のグループ管理機能エンティティによって削除する段階をさらに備える、項目１９に記載の方法。
［項目２１］
第１のグループ管理機能エンティティとして使用されるグループ管理機能エンティティであって、
第１のユーザ機器ＵＥによって送信されるグループ再編成構築メッセージを受信するよう構成される送受信ユニットであって、上記グループ再編成構築メッセージは、Ｎ個のミッションクリティカル・プッシュ・ツー・トークＭＣＰＴＴグループの識別子を含み、上記グループ再編成構築メッセージは、第１のＭＣＰＴＴユーザによって開始されるテンポラリグループであり、かつ上記Ｎ個のＭＣＰＴＴグループが再編成されるテンポラリグループを、上記Ｎ個のＭＣＰＴＴグループの上記識別子に従って構築するよう上記第１のグループ管理機能エンティティに要求するために使用され、上記第１のグループ管理機能エンティティは、上記第１のＭＣＰＴＴユーザのホームネットワークにおけるグループ管理機能エンティティであり、上記第１のＭＣＰＴＴユーザは、上記Ｎ個のＭＣＰＴＴグループのうちの少なくとも１つのＭＣＰＴＴグループに属する、送受信ユニットと、
上記テンポラリグループに関する情報を設定するよう構成される処理ユニットであって、上記テンポラリグループに関する上記情報は、上記Ｎ個のＭＣＰＴＴグループが再編成される上記テンポラリグループの識別子と、上記Ｎ個のＭＣＰＴＴグループの上記識別子とを含む、処理ユニットと
を備えるグループ管理機能エンティティ。
［項目２２］
上記送受信ユニットはさらに、上記処理ユニットが上記テンポラリグループに関する上記情報を設定した後、グループ再編成完了メッセージを上記第１のＵＥに送信するよう構成される、項目２１に記載のグループ管理機能エンティティ。
［項目２３］
上記テンポラリグループに関する上記情報はさらに、上記Ｎ個のＭＣＰＴＴグループのうちの少なくとも１つのＭＣＰＴＴグループ内のＭＣＰＴＴユーザに関する情報、上記テンポラリグループの優先度、または上記テンポラリグループのセキュリティレベルのうちの少なくとも１つを含む、項目２１または２２に記載のグループ管理機能エンティティ。
［項目２４］
上記Ｎ個のＭＣＰＴＴグループは、上記第１のグループ管理機能エンティティによって管理されるＭＣＰＴＴグループである、項目２１から２３のいずれか一項に記載のグループ管理機能エンティティ。
［項目２５］
上記Ｎ個のＭＣＰＴＴグループのうちの第１のＭＣＰＴＴグループは、上記第１のグループ管理機能エンティティによって管理されるＭＣＰＴＴグループではなく、上記第１のＭＣＰＴＴグループは、上記Ｎ個のＭＣＰＴＴグループのうちの少なくとも１つのＭＣＰＴＴグループであり、
上記送受信ユニットはさらに、上記処理ユニットが上記テンポラリグループに関する上記情報を設定する前、上記グループ再編成構築メッセージを、上記第１のＭＣＰＴＴグループのうちの少なくとも１つのＭＣＰＴＴグループを管理する任意のグループ管理機能エンティティである第２のグループ管理機能エンティティに送信し、上記第２のグループ管理機能エンティティによって送信されるグループ再編成応答メッセージを受信するよう構成され、
上記テンポラリグループに関する上記情報を設定する場合、上記処理ユニットは具体的に、上記グループ再編成応答メッセージに従って上記テンポラリグループに関する上記情報を設定するよう構成される、項目２１から２３のいずれか一項に記載のグループ管理機能エンティティ。
［項目２６］
上記グループ再編成応答メッセージはさらに、上記第２のグループ管理機能エンティティによって管理される、上記第１のＭＣＰＴＴグループのうちの上記少なくとも１つのＭＣＰＴＴグループ内のＭＣＰＴＴユーザに関する情報を含む、項目２５に記載のグループ管理機能エンティティ。
［項目２７］
上記送受信ユニットはさらに、上記処理ユニットが上記テンポラリグループに関する上記情報を設定した後、グループ再編成情報を第２のＵＥに送信するよう構成され、上記グループ再編成情報は、上記テンポラリグループの上記識別子を含み、上記第２のＵＥは、第２のＭＣＰＴＴユーザによって使用されるＵＥであり、上記第２のＭＣＰＴＴユーザは、上記Ｎ個のＭＣＰＴＴグループ内の任意のＭＣＰＴＴユーザである、項目２１から２６のいずれか一項に記載のグループ管理機能エンティティ。
［項目２８］
上記第２のＭＣＰＴＴユーザが属するＭＣＰＴＴグループが上記第１のグループ管理機能エンティティによって管理されるＭＣＰＴＴグループではない場合、上記グループ再編成情報を上記第２のＵＥに送信するとき、上記送受信ユニットは具体的に、上記グループ再編成情報を、上記第２のＭＣＰＴＴユーザが属する上記ＭＣＰＴＴグループのグループ管理機能エンティティに送信するよう構成され、これにより、上記第２のＭＣＰＴＴユーザが属する上記ＭＣＰＴＴグループの上記グループ管理機能エンティティは、上記グループ再編成情報を上記第２のＵＥに送信する、項目２７に記載のグループ管理機能エンティティ。
［項目２９］
上記送受信ユニットはさらに、上記第１のＵＥによって送信されるグループ再編成解除メッセージであって、上記テンポラリグループの上記識別子を含み、かつ、上記テンポラリグループの上記識別子に従って上記テンポラリグループを解除するよう上記第１のグループ管理機能エンティティに要求するために使用されるグループ再編成解除メッセージを受信し、上記グループ再編成解除メッセージに従ってグループ再編成解除通知情報を上記第２のＵＥに送信するよう構成され、
上記グループ再編成解除通知情報は、上記テンポラリグループの上記識別子を含み、上記グループ再編成解除通知情報は、上記テンポラリグループの上記識別子に従って上記グループ再編成情報を削除するよう上記第２のＵＥに命令するために使用される、項目２６または２７に記載のグループ管理機能エンティティ。
［項目３０］
上記第２のＭＣＰＴＴユーザが属するＭＣＰＴＴグループが上記第１のグループ管理機能エンティティによって管理されるＭＣＰＴＴグループではない場合、上記グループ再編成解除メッセージに従って上記グループ再編成解除通知情報を上記第２のＵＥに送信するとき、上記送受信ユニットは具体的に、上記グループ再編成解除メッセージに従って上記グループ再編成解除通知情報を、上記第２のＭＣＰＴＴユーザが属する上記ＭＣＰＴＴグループのグループ管理機能エンティティに送信するよう構成され、これにより、上記第２のＭＣＰＴＴユーザが属する上記ＭＣＰＴＴグループの上記グループ管理機能エンティティは、上記グループ再編成解除通知情報を上記第２のＵＥに送信する、項目２９に記載のグループ管理機能エンティティ。
［項目３１］
上記処理ユニットはさらに、上記送受信ユニットが上記第１のＵＥによって送信される上記グループ再編成解除メッセージを受信した後、上記テンポラリグループに関する上記情報を削除するよう構成される、項目２９または３０に記載のグループ管理機能エンティティ。
［項目３２］
第１のユーザ機器ＵＥとして使用されるＵＥであって、
グループ再編成構築メッセージを生成するよう構成される処理ユニットであって、上記グループ再編成構築メッセージは、Ｎ個のミッションクリティカル・プッシュ・ツー・トークＭＣＰＴＴグループの識別子を含み、上記グループ再編成構築メッセージは、第１のＭＣＰＴＴユーザによって開始されるテンポラリグループであり、かつ上記Ｎ個のＭＣＰＴＴグループが再編成されるテンポラリグループを、上記Ｎ個のＭＣＰＴＴグループの上記識別子に従って構築するよう第１のグループ管理機能エンティティに要求するために使用され、Ｎは、２より大きいか、またはそれに等しい整数であり、上記第１のＭＣＰＴＴユーザは、上記Ｎ個のＭＣＰＴＴグループのうちの少なくとも１つのＭＣＰＴＴグループに属し、上記第１のグループ管理機能エンティティは、上記第１のＭＣＰＴＴユーザのホームネットワークにおけるグループ機能管理エンティティである、処理ユニットと、
上記グループ再編成構築メッセージを上記第１のグループ管理機能エンティティに送信するよう構成される送受信ユニットと
を備えるＵＥ。
［項目３３］
上記送受信ユニットはさらに、上記グループ再編成構築メッセージを上記第１のグループ管理機能エンティティに送信した後、上記第１のグループ管理機能エンティティによって送信されるグループ再編成完了メッセージを受信するよう構成される、項目３２に記載のＵＥ。
［項目３４］
上記送受信ユニットはさらに、上記グループ再編成構築メッセージを上記第１のグループ管理機能エンティティに送信した後、上記第１のグループ管理機能エンティティによって送信されるグループ再編成情報を受信するよう構成され、上記グループ再編成情報は、上記テンポラリグループの識別子を含む、項目３２または３３に記載のＵＥ。
［項目３５］
上記送受信ユニットはさらに、上記グループ再編成構築メッセージを上記第１のグループ管理機能エンティティに送信した後、上記テンポラリグループの上記識別子を含むグループ再編成解除メッセージであり、かつ、上記テンポラリグループの上記識別子に従って上記テンポラリグループを解除するよう上記第１のグループ管理機能エンティティに要求するために使用されるグループ再編成解除メッセージを上記第１のグループ管理機能エンティティに送信し、上記第１のグループ管理機能エンティティによって送信されるグループ再編成解除通知情報であって、上記テンポラリグループの上記識別子を含むグループ再編成解除通知情報を受信するよう構成され、
上記処理ユニットはさらに、上記グループ再編成解除通知情報内の上記テンポラリグループの上記識別子に従って上記グループ再編成情報を削除するよう構成される、項目３２から３４のいずれか一項に記載のＵＥ。
［項目３６］
第２のグループ管理機能エンティティとして使用されるグループ管理機能エンティティであって、
第１のユーザ機器ＵＥによって送信され、かつ第１のグループ管理機能エンティティによって転送されるグループ再編成構築メッセージを受信するよう構成される受信ユニットであって、上記グループ再編成構築メッセージは、Ｎ個のミッションクリティカル・プッシュ・ツー・トークＭＣＰＴＴグループの識別子を含み、上記グループ再編成構築メッセージは、第１のＭＣＰＴＴユーザによって開始されるテンポラリグループであり、かつ上記Ｎ個のＭＣＰＴＴグループが再編成されるテンポラリグループを、上記Ｎ個のＭＣＰＴＴグループの上記識別子に従って構築するよう上記第１のグループ管理機能エンティティに要求するために使用され、上記第２のグループ管理機能エンティティは、上記Ｎ個のＭＣＰＴＴグループのうちの少なくとも１つのＭＣＰＴＴグループを管理し、上記第１のグループ管理機能エンティティは、上記第１のＭＣＰＴＴユーザのホームネットワークにおけるグループ管理機能エンティティであり、上記第１のＭＣＰＴＴユーザは、上記Ｎ個のＭＣＰＴＴグループのうちの少なくとも１つのＭＣＰＴＴグループに属する、受信ユニットと、
グループ再編成応答メッセージを上記第１のグループ管理機能エンティティに送信するよう構成される送信ユニットと
を備えるグループ管理機能エンティティ。
［項目３７］
上記グループ再編成応答メッセージはさらに、上記第２のグループ管理機能エンティティによって管理される、上記Ｎ個のＭＣＰＴＴグループのうちの上記少なくとも１つのＭＣＰＴＴグループ内のＭＣＰＴＴユーザに関する情報を含む、項目３６に記載のグループ管理機能エンティティ。
［項目３８］
上記受信ユニットはさらに、上記送信ユニットが上記グループ再編成応答メッセージを上記第１のグループ管理機能エンティティに送信した後、上記第１のグループ管理機能エンティティによって送信されるグループ再編成情報を受信するよう構成され、上記グループ再編成情報は、上記テンポラリグループの識別子を含み、
上記送信ユニットはさらに、上記グループ再編成情報を第２のＵＥに送信するよう構成され、上記第２のＵＥは、第２のＭＣＰＴＴユーザによって使用されるＵＥであり、上記第２のＭＣＰＴＴユーザは、上記第２のグループ管理機能エンティティによって管理される、上記Ｎ個のＭＣＰＴＴグループのうちの上記少なくとも１つのＭＣＰＴＴグループ内の任意のＭＣＰＴＴユーザである、項目３６または３７に記載のグループ管理機能エンティティ。
［項目３９］
上記受信ユニットはさらに、上記第１のグループ管理機能エンティティによって送信されるグループ再編成解除通知情報を受信するよう構成され、上記グループ再編成解除通知情報は、上記テンポラリグループの上記識別子を含み、上記グループ再編成解除通知情報は、上記テンポラリグループの上記識別子に従って上記グループ再編成情報を削除するよう命令するために使用され、
上記送信ユニットはさらに、上記グループ再編成解除通知情報を上記第２のＵＥに送信するよう構成される、項目３８に記載のグループ管理機能エンティティ。
［項目４０］
上記受信ユニットが上記第１のグループ管理機能エンティティによって送信される上記グループ再編成解除通知情報を受信した後、上記グループ再編成情報を削除するよう構成される処理ユニット
をさらに備える、項目３９に記載のグループ管理機能エンティティ。
［項目４１］
第１のグループ管理機能エンティティとして使用されるグループ管理機能エンティティであって、
第１のユーザ機器ＵＥによって送信されるグループ再編成構築メッセージを受信するよう構成される送受信機であって、上記グループ再編成構築メッセージは、Ｎ個のミッションクリティカル・プッシュ・ツー・トークＭＣＰＴＴグループの識別子を含み、上記グループ再編成構築メッセージは、第１のＭＣＰＴＴユーザによって開始されるテンポラリグループであり、かつ上記Ｎ個のＭＣＰＴＴグループが再編成されるテンポラリグループを、上記Ｎ個のＭＣＰＴＴグループの上記識別子に従って構築するよう上記第１のグループ管理機能エンティティに要求するために使用され、上記第１のグループ管理機能エンティティは、上記第１のＭＣＰＴＴユーザのホームネットワークにおけるグループ管理機能エンティティであり、上記第１のＭＣＰＴＴユーザは、上記Ｎ個のＭＣＰＴＴグループのうちの少なくとも１つのＭＣＰＴＴグループに属する、送受信機と、
上記テンポラリグループに関する情報を設定するよう構成されるプロセッサであって、上記テンポラリグループに関する上記情報は、上記Ｎ個のＭＣＰＴＴグループが再編成される上記テンポラリグループの識別子と、上記Ｎ個のＭＣＰＴＴグループの上記識別子とを含む、プロセッサと
を備えるグループ管理機能エンティティ。
［項目４２］
上記送受信機はさらに、上記プロセッサが上記テンポラリグループに関する上記情報を設定した後、グループ再編成完了メッセージを上記第１のＵＥに送信するよう構成される、項目４１に記載のグループ管理機能エンティティ。
［項目４３］
上記テンポラリグループに関する上記情報はさらに、上記Ｎ個のＭＣＰＴＴグループのうちの少なくとも１つのＭＣＰＴＴグループ内のＭＣＰＴＴユーザに関する情報、上記テンポラリグループの優先度、または上記テンポラリグループのセキュリティレベルのうちの少なくとも１つを含む、項目４１または４２に記載のグループ管理機能エンティティ。
［項目４４］
上記Ｎ個のＭＣＰＴＴグループは、上記第１のグループ管理機能エンティティによって管理されるＭＣＰＴＴグループである、項目４１から４３のいずれか一項に記載のグループ管理機能エンティティ。
［項目４５］
上記Ｎ個のＭＣＰＴＴグループのうちの第１のＭＣＰＴＴグループは、上記第１のグループ管理機能エンティティによって管理されるＭＣＰＴＴグループではなく、上記第１のＭＣＰＴＴグループは、上記Ｎ個のＭＣＰＴＴグループのうちの少なくとも１つのＭＣＰＴＴグループであり、
上記送受信機はさらに、上記プロセッサが上記テンポラリグループに関する上記情報を設定する前、上記グループ再編成構築メッセージを、上記第１のＭＣＰＴＴグループのうちの少なくとも１つのＭＣＰＴＴグループを管理する任意のグループ管理機能エンティティである第２のグループ管理機能エンティティに送信し、上記第２のグループ管理機能エンティティによって送信されるグループ再編成応答メッセージを受信するよう構成され、
上記テンポラリグループに関する上記情報を設定する場合、上記プロセッサは具体的に、上記グループ再編成応答メッセージに従って上記テンポラリグループに関する上記情報を設定するよう構成される、項目４１から４３のいずれか一項に記載のグループ管理機能エンティティ。
［項目４６］
上記グループ再編成応答メッセージはさらに、上記第２のグループ管理機能エンティティによって管理される、上記第１のＭＣＰＴＴグループのうちの上記少なくとも１つのＭＣＰＴＴグループ内のＭＣＰＴＴユーザに関する情報を含む、項目４５に記載のグループ管理機能エンティティ。
［項目４７］
上記送受信機はさらに、上記プロセッサが上記テンポラリグループに関する上記情報を設定した後、グループ再編成情報を第２のＵＥに送信するよう構成され、上記グループ再編成情報は、上記テンポラリグループの上記識別子を含み、上記第２のＵＥは、第２のＭＣＰＴＴユーザによって使用されるＵＥであり、上記第２のＭＣＰＴＴユーザは、上記Ｎ個のＭＣＰＴＴグループ内の任意のＭＣＰＴＴユーザである、項目４１から４６のいずれか一項に記載のグループ管理機能エンティティ。
［項目４８］
上記第２のＭＣＰＴＴユーザが属するＭＣＰＴＴグループが上記第１のグループ管理機能エンティティによって管理されるＭＣＰＴＴグループではない場合、上記グループ再編成情報を上記第２のＵＥに送信するとき、上記送受信機は具体的に、上記グループ再編成情報を、上記第２のＭＣＰＴＴユーザが属する上記ＭＣＰＴＴグループのグループ管理機能エンティティに送信するよう構成され、これにより、上記第２のＭＣＰＴＴユーザが属する上記ＭＣＰＴＴグループの上記グループ管理機能エンティティが、上記グループ再編成情報を上記第２のＵＥに送信する、項目４７に記載のグループ管理機能エンティティ。
［項目４９］
上記送受信機はさらに、上記第１のＵＥによって送信されるグループ再編成解除メッセージであって、上記テンポラリグループの上記識別子を含み、かつ、上記テンポラリグループの上記識別子に従って上記テンポラリグループを解除するよう上記第１のグループ管理機能エンティティに要求するために使用されるグループ再編成解除メッセージを受信し、上記グループ再編成解除メッセージに従ってグループ再編成解除通知情報を上記第２のＵＥに送信するよう構成され、
上記グループ再編成解除通知情報は、上記テンポラリグループの上記識別子を含み、上記グループ再編成解除通知情報は、上記テンポラリグループの上記識別子に従って上記グループ再編成情報を削除するよう上記第２のＵＥに命令するために使用される、項目４６または４７に記載のグループ管理機能エンティティ。
［項目５０］
上記第２のＭＣＰＴＴユーザが属するＭＣＰＴＴグループが上記第１のグループ管理機能エンティティによって管理されるＭＣＰＴＴグループではない場合、上記グループ再編成解除メッセージに従って上記グループ再編成解除通知情報を上記第２のＵＥに送信するとき、上記送受信機は具体的に、上記グループ再編成解除メッセージに従って上記グループ再編成解除通知情報を上記第２のＭＣＰＴＴユーザが属する上記ＭＣＰＴＴグループのグループ管理機能エンティティに送信するよう構成され、これにより、上記第２のＭＣＰＴＴユーザが属する上記ＭＣＰＴＴグループの上記グループ管理機能エンティティは、上記グループ再編成解除通知情報を上記第２のＵＥに送信する、項目４９に記載のグループ管理機能エンティティ。
［項目５１］
上記プロセッサはさらに、上記送受信機が上記第１のＵＥによって送信される上記グループ再編成解除メッセージを受信した後、上記テンポラリグループに関する上記情報を削除するよう構成される、項目４９または５０に記載のグループ管理機能エンティティ。
［項目５２］
第１のユーザ機器ＵＥとして使用されるＵＥであって、
グループ再編成構築メッセージを生成するよう構成されるプロセッサであって、上記グループ再編成構築メッセージは、Ｎ個のミッションクリティカル・プッシュ・ツー・トークＭＣＰＴＴグループの識別子を含み、上記グループ再編成構築メッセージは、第１のＭＣＰＴＴユーザによって開始されるテンポラリグループであり、かつ上記Ｎ個のＭＣＰＴＴグループが再編成されるテンポラリグループを、上記Ｎ個のＭＣＰＴＴグループの上記識別子に従って構築するよう第１のグループ管理機能エンティティに要求するために使用され、Ｎは、２より大きいか、またはそれに等しい整数であり、上記第１のＭＣＰＴＴユーザは、上記Ｎ個のＭＣＰＴＴグループのうちの少なくとも１つのＭＣＰＴＴグループに属し、上記第１のグループ管理機能エンティティは、上記第１のＭＣＰＴＴユーザのホームネットワークにおけるグループ機能管理エンティティである、プロセッサと、
上記グループ再編成構築メッセージを上記第１のグループ管理機能エンティティに送信するよう構成される送受信機と
を備えるＵＥ。
［項目５３］
上記送受信機はさらに、上記グループ再編成構築メッセージを上記第１のグループ管理機能エンティティに送信した後、上記第１のグループ管理機能エンティティによって送信されるグループ再編成完了メッセージを受信するよう構成される、項目５２に記載のＵＥ。
［項目５４］
上記送受信機はさらに、上記グループ再編成構築メッセージを上記第１のグループ管理機能エンティティに送信した後、上記第１のグループ管理機能エンティティによって送信されるグループ再編成情報を受信するよう構成され、上記グループ再編成情報は、上記テンポラリグループの識別子を含む、項目５２または５３に記載のＵＥ。
［項目５５］
上記送受信機はさらに、上記グループ再編成構築メッセージを上記第１のグループ管理機能エンティティに送信した後、上記テンポラリグループの上記識別子を含むグループ再編成解除メッセージであり、かつ、上記テンポラリグループの上記識別子に従って上記テンポラリグループを解除するよう上記第１のグループ管理機能エンティティに要求するために使用されるグループ再編成解除メッセージを上記第１のグループ管理機能エンティティに送信し、上記第１のグループ管理機能エンティティによって送信されるグループ再編成解除通知情報であって、上記テンポラリグループの上記識別子を含むグループ再編成解除通知情報を受信するよう構成され、
上記プロセッサはさらに、上記グループ再編成解除通知情報内の上記テンポラリグループの上記識別子に従って上記グループ再編成情報を削除するよう構成される、項目５２から５４のいずれか一項に記載のＵＥ。
［項目５６］
第２のグループ管理機能エンティティとして使用されるグループ管理機能エンティティであって、
第１のユーザ機器ＵＥによって送信され、かつ第１のグループ管理機能エンティティによって転送されるグループ再編成構築メッセージを受信するよう構成される受信機であって、上記グループ再編成構築メッセージは、Ｎ個のミッションクリティカル・プッシュ・ツー・トークＭＣＰＴＴグループの識別子を含み、上記グループ再編成構築メッセージは、第１のＭＣＰＴＴユーザによって開始されるテンポラリグループであり、かつ上記Ｎ個のＭＣＰＴＴグループが再編成されるテンポラリグループを、上記Ｎ個のＭＣＰＴＴグループの上記識別子に従って構築するよう上記第１のグループ管理機能エンティティに要求するために使用され、上記第２のグループ管理機能エンティティは、上記Ｎ個のＭＣＰＴＴグループのうちの少なくとも１つのＭＣＰＴＴグループを管理し、上記第１のグループ管理機能エンティティは、上記第１のＭＣＰＴＴユーザのホームネットワークにおけるグループ管理機能エンティティであり、上記第１のＭＣＰＴＴユーザは、上記Ｎ個のＭＣＰＴＴグループのうちの少なくとも１つのＭＣＰＴＴグループに属する、受信機と、
グループ再編成応答メッセージを上記第１のグループ管理機能エンティティに送信するよう構成される送信機と
を備えるグループ管理機能エンティティ。
［項目５７］
上記グループ再編成応答メッセージはさらに、上記第２のグループ管理機能エンティティによって管理される、上記Ｎ個のＭＣＰＴＴグループのうちの上記少なくとも１つのＭＣＰＴＴグループ内のＭＣＰＴＴユーザに関する情報を含む、項目５６に記載のグループ管理機能エンティティ。
［項目５８］
上記受信機はさらに、上記送信機が上記グループ再編成応答メッセージを上記第１のグループ管理機能エンティティに送信した後、上記第１のグループ管理機能エンティティによって送信されるグループ再編成情報を受信するよう構成され、上記グループ再編成情報は、上記テンポラリグループの識別子を含み、
上記送信機はさらに、上記グループ再編成情報を第２のＵＥに送信するよう構成され、上記第２のＵＥは、第２のＭＣＰＴＴユーザによって使用されるＵＥであり、上記第２のＭＣＰＴＴユーザは、上記第２のグループ管理機能エンティティによって管理される、上記Ｎ個のＭＣＰＴＴグループのうちの上記少なくとも１つのＭＣＰＴＴグループ内の任意のＭＣＰＴＴユーザである、項目５６または５７に記載のグループ管理機能エンティティ。
［項目５９］
上記受信機はさらに、上記第１のグループ管理機能エンティティによって送信されるグループ再編成解除通知情報を受信するよう構成され、上記グループ再編成解除通知情報は、上記テンポラリグループの上記識別子を含み、上記グループ再編成解除通知情報は、上記テンポラリグループの上記識別子に従って上記グループ再編成情報を削除するよう命令するために使用され、
上記送信機はさらに、上記グループ再編成解除通知情報を上記第２のＵＥに送信するよう構成される、項目５８に記載のグループ管理機能エンティティ。
［項目６０］
上記受信機が上記第１のグループ管理機能エンティティによって送信される上記グループ再編成解除通知情報を受信した後、上記グループ再編成情報を削除するよう構成されるプロセッサ
をさらに備える、項目５９に記載のグループ管理機能エンティティ。
【国際調査報告】
2018512000.tif 000016
2018512000.tif 000017
2018512000.tif 000018
2018512000.tif 000019